(57)【要約】【課題】管理エリアの管理に役立つ管理装置及び管理方法を提供する。【解決手段】管理装置は、記憶部と通信部とプロセッサを備える。記憶部には、管理エリアの第一区画を示す第一区画情報と、第一区画に対して設定された第一定員が関連付けて記憶され、管理エリアの第二区画を示す第二区画情報と、第二区画に対して設定された第二定員が関連付けて記憶される。プロセッサは、第一通信端末に、第一区画情報と第一定員と第二区画情報と第二定員を通信部から送信させる送信処理を実行する。第一通信端末の表示部には、管理エリアに対応する地図画像が表示され、第一区画に対応する地図画像上の第一範囲に、第一区画を示す第一区画画像と第一定員が関連付けて表示され、第二区画に対応する地図画像上の第二範囲に、第二区画を示す第二区画画像と第二定員が関連付けて表示される。【選択図】図４
2018073031.tif 000002
【特許請求の範囲】
【請求項１】
管理エリアに含まれる第一区画を示す第一区画情報と、前記第一区画に対して設定された第一定員と、を関連付けて記憶し、前記管理エリアに含まれる前記第一区画とは異なる第二区画を示す第二区画情報と、前記第二区画に対して設定された第二定員と、を関連付け記憶する記憶部と、
通信部と、
プロセッサと、を備え、
前記プロセッサは、表示部を備え、前記管理エリアに対応する地図画像を前記表示部に表示し、前記第一区画に対応する前記地図画像上の第一範囲に、前記第一区画を示す第一区画画像と、前記第一定員と、を関連付けて表示し、前記第二区画に対応する前記地図画像上の第二範囲に、前記第二区画を示す第二区画画像と、前記第二定員と、を関連付けて表示する第一通信端末に、前記第一区画情報と、前記第一定員と、前記第二区画情報と、前記第二定員と、を前記通信部から送信させる送信処理を実行する、管理装置。
【請求項２】
前記プロセッサは、更に、
前記管理エリアに入場している所定のユーザが所有する第二通信端末から送信された送信元の前記第二通信端末の位置を示す位置情報を前記通信部を介して取得する取得処理と、
前記記憶部に記憶された前記第一区画情報及び前記第二区画情報と、前記取得処理で取得された前記位置情報と、に従い、前記第一区画に属する前記位置情報の数と、前記第二区画に属する前記位置情報の数と、をカウントするカウント処理と、を実行し、
前記送信処理は、前記第一範囲に、更に、前記第一区画に属する前記位置情報の数に対応する第一区画者数を関連付けて表示し、前記第二範囲に、更に、前記第二区画に属する前記位置情報の数に対応する第二区画者数を関連付けて表示する前記第一通信端末に、更に、前記第一区画者数と、前記第二区画者数と、を前記通信部から送信させる処理である、請求項１に記載の管理装置。
【請求項３】
前記プロセッサは、更に、前記管理エリアに入場している所定のユーザが所有する第二通信端末から送信された送信元の前記第二通信端末の位置を示す位置情報を前記通信部を介して取得する取得処理を実行し、
前記送信処理は、前記第一範囲に、更に、前記第一区画に属する前記位置情報の数に対応する第一区画者数を関連付けて表示し、前記第二範囲に、更に、前記第二区画に属する前記位置情報の数に対応する第二区画者数を関連付けて表示する前記第一通信端末に、更に、前記取得処理で取得された全ての前記位置情報を前記通信部から送信させる処理である、請求項１に記載の管理装置。
【請求項４】
前記記憶部は、前記第一区画画像に対応する第一区画画像データと、前記第二区画画像に対応する第二区画画像データと、を記憶し、
前記送信処理は、前記第一通信端末に、更に、前記第一区画画像データと、前記第二区画画像データと、を前記通信部から送信させる処理である、請求項１から請求項３の何れか１項に記載の管理装置。
【請求項５】
管理エリアを管理する管理システムで実行される管理方法であって、
前記管理エリアに対応する地図画像と、前記管理エリアに含まれる第一区画を示す第一区画画像と、前記第一区画に対して設定された第一定員と、前記管理エリアに含まれる前記第一区画とは異なる第二区画を示す第二区画画像と、前記第二区画に対して設定された第二定員と、を表示する表示工程を含み、
前記表示工程では、
前記第一区画に対応する前記地図画像上の第一範囲に、前記第一区画画像と、前記第一定員と、が関連付けて表示され、
前記第二区画に対応する前記地図画像上の第二範囲に、前記第二区画画像と、前記第二定員と、が関連付けて表示される、管理方法。
【請求項６】
前記管理エリアに入場している所定のユーザが所有する第二通信端末から送信された送信元の前記第二通信端末の位置を示す位置情報を取得する取得工程と、
前記第一区画を示す第一区画情報及び前記第二区画を示す第二区画情報と、前記取得工程で取得された前記位置情報と、に従い、前記第一区画に属する前記位置情報の数と、前記第二区画に属する前記位置情報の数と、をカウントするカウント工程と、を含み、
前記表示工程では、
前記第一範囲に、更に、前記第一区画に属する前記位置情報の数に対応する第一区画者数が関連付けて表示され、
前記第二範囲に、更に、前記第二区画に属する前記位置情報の数に対応する第二区画者数が関連付けて表示される、請求項５に記載の管理方法。
【請求項７】
前記第一定員と前記第一区画者数とを比較し、前記第二定員と前記第二区画者数とを比較する比較工程と、
前記比較工程で前記第一区画者数が前記第一定員より多いと判断される場合、前記第一区画に属する前記位置情報の送信元の前記第二通信端末のうちの特定の第三通信端末に、前記第一定員の超過に対応させて設定された第一警報通知を送信し、前記比較工程で前記第二区画者数が前記第二定員より多いと判断される場合、前記第二区画に属する前記位置情報の送信元の前記第二通信端末のうちの特定の第四通信端末に、前記第二定員の超過に対応させて設定された第二警報通知を送信する警報工程と、を含む、請求項６に記載の管理方法。
【発明の詳細な説明】
【技術分野】
【０００１】
本発明は、管理エリアを管理する管理システムに含まれる管理装置と、管理システムで実行される管理方法に関する。
【背景技術】
【０００２】
管理エリアの管理に関する技術が提案されている。例えば、特許文献１には、ユーザ管理方法が開示されている。ユーザ管理方法は、通信システムにて実行される。通信システムは、移動端末と管理サーバと入漁証発行サーバを含み、これら各装置は、移動パケット通信網とインターネットを介してそれぞれ接続される。移動端末は、入漁権の取得を所望するユーザが所有する携帯電話機である。管理サーバは、河川情報管理センターによって管理される。入漁証発行サーバは、河川管理漁業組合によって管理される。通信システムでは、移動端末から位置情報と画像情報を含む入漁証要求が送信されると、河川が特定され、この河川の入漁証データが移動端末に送信される。通信システムでは、移動端末のユーザに関する情報が管理され、河川において緊急事態が発生した場合、ユーザに緊急連絡情報が通知される。
【０００３】
特許文献２には、テーマパークのモバイルサービスシステムに関する技術が提案されている。特許文献３には、避難通知システムに関する技術が提案されている。
【先行技術文献】
【特許文献】
【０００４】
【特許文献１】特開２００６−２３８４１号公報
【特許文献２】特開２００４−１７８０４１号公報
【特許文献３】特開２０１５−２０３９４０号公報
【発明の概要】
【発明が解決しようとする課題】
【０００５】
特定の組織又は特定の個人によって、特定のエリアが管理されることがある。例えば、漁業協同組合によって、特定の漁場が管理される。発明者は、この管理対象となる管理エリアに対し定員を設定し、管理エリアに入場しているユーザを管理可能な技術について検討した。その際、発明者は、管理エリアを複数の区画に分割し、分割された区画毎にユーザを管理することで、細かな管理が行えると考えた。
【０００６】
本発明は、管理エリアの管理に役立つ管理装置及び管理方法を提供することを目的とする。
【課題を解決するための手段】
【０００７】
本発明の一側面は、管理エリアに含まれる第一区画を示す第一区画情報と、前記第一区画に対して設定された第一定員と、を関連付けて記憶し、前記管理エリアに含まれる前記第一区画とは異なる第二区画を示す第二区画情報と、前記第二区画に対して設定された第二定員と、を関連付け記憶する記憶部と、通信部と、プロセッサと、を備え、前記プロセッサは、表示部を備え、前記管理エリアに対応する地図画像を前記表示部に表示し、前記第一区画に対応する前記地図画像上の第一範囲に、前記第一区画を示す第一区画画像と、前記第一定員と、を関連付けて表示し、前記第二区画に対応する前記地図画像上の第二範囲に、前記第二区画を示す第二区画画像と、前記第二定員と、を関連付けて表示する第一通信端末に、前記第一区画情報と、前記第一定員と、前記第二区画情報と、前記第二定員と、を前記通信部から送信させる送信処理を実行する、管理装置である。
【０００８】
この管理装置によれば、第一通信端末に、第一区画情報と第一定員と第二区画情報と第二定員を送信することができる。第一通信端末では、管理装置から送信される各データを用いて、地図画像上の第一範囲に、第一区画画像と第一定員を関連付けて表示し、地図画像上の第二範囲に、第二区画画像と第二定員を関連付けて表示することができる。
【０００９】
管理装置では、前記プロセッサは、更に、前記管理エリアに入場している所定のユーザが所有する第二通信端末から送信された送信元の前記第二通信端末の位置を示す位置情報を前記通信部を介して取得する取得処理と、前記記憶部に記憶された前記第一区画情報及び前記第二区画情報と、前記取得処理で取得された前記位置情報と、に従い、前記第一区画に属する前記位置情報の数と、前記第二区画に属する前記位置情報の数と、をカウントするカウント処理と、を実行し、前記送信処理は、前記第一範囲に、更に、前記第一区画に属する前記位置情報の数に対応する第一区画者数を関連付けて表示し、前記第二範囲に、更に、前記第二区画に属する前記位置情報の数に対応する第二区画者数を関連付けて表示する前記第一通信端末に、更に、前記第一区画者数と、前記第二区画者数と、を前記通信部から送信させる処理である、ようにしてもよい。この構成によれば、第一通信端末に、更に、第一区画者数と第二区画者数を送信することができる。第一通信端末では、管理装置から送信される各データを用いて、地図画像上の第一範囲に、第一区画画像と第一定員と第一区画者数を関連付けて表示し、地図画像上の第二範囲に、第二区画画像と第二定員と第二区画者数を関連付けて表示することができる。
【００１０】
管理装置では、前記プロセッサは、更に、前記管理エリアに入場している所定のユーザが所有する第二通信端末から送信された送信元の前記第二通信端末の位置を示す位置情報を前記通信部を介して取得する取得処理を実行し、前記送信処理は、前記第一範囲に、更に、前記第一区画に属する前記位置情報の数に対応する第一区画者数を関連付けて表示し、前記第二範囲に、更に、前記第二区画に属する前記位置情報の数に対応する第二区画者数を関連付けて表示する前記第一通信端末に、更に、前記取得処理で取得された全ての前記位置情報を前記通信部から送信させる処理である、ようにしてもよい。この構成によれば、第一通信端末に、更に、取得済みの全位置情報を送信することができる。第一通信端末では、管理装置から送信される第一区画情報及び第二区画情報と位置情報に従い、第一区画に属する位置情報の数と第二区画に属する位置情報の数がそれぞれカウントされる。その結果、第一通信端末では、管理装置から送信される各データと自装置でカウントされた第一区画者数及び第二区画者数を用いて、地図画像上の第一範囲に、第一区画画像と第一定員と第一区画者数を関連付けて表示し、地図画像上の第二範囲に、第二区画画像と第二定員と第二区画者数を関連付けて表示することができる。
【００１１】
管理装置では、前記記憶部は、前記第一区画画像に対応する第一区画画像データと、前記第二区画画像に対応する第二区画画像データと、を記憶し、前記送信処理は、前記第一通信端末に、更に、前記第一区画画像データと、前記第二区画画像データと、を前記通信部から送信させる処理である、ようにしてもよい。この構成によれば、第一通信端末に、更に、第一区画画像データと第二区画画像データを送信することができる。第一通信端末では、管理装置から送信される各データを用いて、地図画像上の第一範囲に、第一区画画像を表示し、地図画像上の第二範囲に、第二区画画像を表示することができる。
【００１２】
本発明の他の側面は、管理エリアを管理する管理システムで実行される管理方法であって、前記管理エリアに対応する地図画像と、前記管理エリアに含まれる第一区画を示す第一区画画像と、前記第一区画に対して設定された第一定員と、前記管理エリアに含まれる前記第一区画とは異なる第二区画を示す第二区画画像と、前記第二区画に対して設定された第二定員と、を表示する表示工程を含み、前記表示工程では、前記第一区画に対応する前記地図画像上の第一範囲に、前記第一区画画像と、前記第一定員と、が関連付けて表示され、前記第二区画に対応する前記地図画像上の第二範囲に、前記第二区画画像と、前記第二定員と、が関連付けて表示される、管理方法である。
【００１３】
この管理方法によれば、第一区画情報と第一区画画像と第一定員と第二区画情報と第二区画画像と第二定員を用いて、地図画像上の第一範囲に、第一区画画像と第一定員を関連付けて表示し、地図画像上の第二範囲に、第二区画画像と第二定員を関連付けて表示することができる。
【００１４】
管理方法は、前記管理エリアに入場している所定のユーザが所有する第二通信端末から送信された送信元の前記第二通信端末の位置を示す位置情報を取得する取得工程と、前記第一区画を示す第一区画情報及び前記第二区画を示す第二区画情報と、前記取得工程で取得された前記位置情報と、に従い、前記第一区画に属する前記位置情報の数と、前記第二区画に属する前記位置情報の数と、をカウントするカウント工程と、を含み、前記表示工程では、前記第一範囲に、更に、前記第一区画に属する前記位置情報の数に対応する第一区画者数が関連付けて表示され、前記第二範囲に、更に、前記第二区画に属する前記位置情報の数に対応する第二区画者数が関連付けて表示される、ようにしてもよい。この構成によれば、第一区画情報と第一区画画像と第一定員と第一区画者数と第二区画情報と第二区画画像と第二定員と第二区画者数を用いて、地図画像上の第一範囲に、第一区画画像と第一定員と第一区画者数を関連付けて表示し、地図画像上の第二範囲に、第二区画画像と第二定員と第二区画者数を関連付けて表示することができる。
【００１５】
管理方法は、前記第一定員と前記第一区画者数とを比較し、前記第二定員と前記第二区画者数とを比較する比較工程と、前記比較工程で前記第一区画者数が前記第一定員より多いと判断される場合、前記第一区画に属する前記位置情報の送信元の前記第二通信端末のうちの特定の第三通信端末に、前記第一定員の超過に対応させて設定された第一警報通知を送信し、前記比較工程で前記第二区画者数が前記第二定員より多いと判断される場合、前記第二区画に属する前記位置情報の送信元の前記第二通信端末のうちの特定の第四通信端末に、前記第二定員の超過に対応させて設定された第二警報通知を送信する警報工程と、を含む、ようにしてもよい。この構成によれば、第一区画者数が第一定員より多い場合、第三通信端末に第一警報通知を送信することができる。第一警報通知の受信を条件として、第三通信端末で第一報知動作を実行させることができる。第一報知動作は、第一区画者数が第一定員を超過していることを報知する動作である。第三通信端末のユーザに、第一区画からの退場を指示することができる。第一区画者数を、第一定員以下に維持することが可能となる。第二区画者数が第二定員より多い場合、第四通信端末に第二警報通知を送信することができる。第二警報通知の受信を条件として、第四通信端末で第二報知動作を実行させることができる。第二報知動作は、第二区画者数が第二定員を超過していることを報知する動作である。第四通信端末のユーザに、第二区画からの退場を指示することができる。第二区画者数を、第二定員以下に維持することが可能となる。
【発明の効果】
【００１６】
本発明によれば、管理エリアの管理に役立つ管理装置及び管理方法を得ることができる。
【図面の簡単な説明】
【００１７】
【図１】管理システムの概略構成の一例を示す図である。
【図２】管理リストの一例を示す図である。
【図３】入漁者リストの一例を示す図である。
【図４】第一通信端末で表示される地図画面の一例を示す図である。
【図５】第一管理処理のフローチャートである。
【図６】第一実施例の第二管理処理の第一部分のフローチャートである。
【図７】第一実施例の第二管理処理の第二部分のフローチャートである。
【図８】第一実施例の警報処理のフローチャートである。
【図９】第一実施例の表示処理のフローチャートである。
【図１０】第二実施例の第二管理処理のフローチャートである。
【図１１】第二実施例の警報処理のフローチャートである。
【図１２】第二実施例の表示処理の第一部分のフローチャートである。
【図１３】第二実施例の表示処理の第二部分のフローチャートである。
【図１４】第一通信端末で表示される地図画面の他の例を示す図である。
【発明を実施するための形態】
【００１８】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１９】
＜管理システム＞
管理システム１の概略構成について、図１を参照して説明する。管理システム１では、管理エリアに入場しているユーザが管理される。前述のユーザは、管理エリアに入場している入場者ともいえる。管理システム１の管理対象となる管理エリアは、屋外の特定のエリアとされる。但し、管理エリアは、屋内の特定のエリアであってもよい。実施形態では、管理システム１で管理対象となる管理エリアを、漁場としての所定の河川の特定のエリアとする。このような管理エリアには、特定の出入口が設けられておらず、管理エリアへの入場と管理エリアからの退場は、自由に行える。このような管理エリアは、例えば、所定の漁業協同組合によって管理される。漁業協同組合は、例えば、所定の料金を支払ったユーザが管理エリア内で釣りを行うことを承認する。承認されたユーザには、承認されたことを示す承認証が発行される。実施形態では、前述の承認証を、「入漁証」といい、入漁証は、電子的な媒体とする。電子的な入漁証は、例えば、インターネット上の所定のサイトで販売される。このサイトは、例えば、漁業協同組合から入漁証の発行の許諾を受けた組織又は個人によって運営される。但し、このサイトは、漁業協同組合によって運営されてもよい。このような入漁証発行システムは、例えば、特許文献１に記載されているように、公知のシステムである。従って、入漁証の発行に関する説明は、省略する。実施形態では、入漁証の承認主体の漁業協同組合を、単に「漁業協同組合」という。
【００２０】
管理システム１では、１箇所の管理エリアの管理は、この管理エリアを複数の区画に分割して行われる。分割された各区画には、所定の数の定員が設定される。各区画に対する定員は、諸条件を考慮して適宜設定される。定員の設定には、例えば、各区画における最大ユーザ数が考慮される。定員として設定される値は、「０」であってもよい。例えば、稚魚が多く生息している区画には、定員「０」が設定される。実施形態では、１箇所の管理エリアが３個の区画に分割された場合を例として説明する。分割された各区画を、「第一区画」、「第二区画」及び「第三区画」という。第一区画と第二区画と第三区画を区別しない場合、又はこれらを総称する場合、「設定区画」という。第一区画に設定される定員を、「第一定員」という。第二区画に設定される定員を、「第二定員」という。第三区画に設定される定員を、「第三定員」という。
【００２１】
管理システム１は、管理装置１０と、第一通信端末３０と、第二通信端末５０を含む。管理装置１０は、管理システム１の管理拠点に設けられる。第一通信端末３０は、例えば、管理エリアを巡回し監視する漁業協同組合によって利用される。第二通信端末５０は、管理エリアに入場するユーザによって利用される。管理エリアに入場するユーザは、管理エリアとなる河川で釣りをする釣り人である。管理システム１における第二通信端末５０の台数は、管理エリアに入場しているユーザ数に対応する。例えば、管理エリアに入場しているユーザ数が３０人である場合、管理システム１は、３０台の第二通信端末５０を含む。管理装置１０と第一通信端末３０と第二通信端末５０は、通信回線３に接続される。例えば、管理装置１０は、通信回線３に有線接続され、第一通信端末３０と第二通信端末５０は、通信回線３に無線接続される。但し、管理装置１０は、通信回線３に無線接続されてもよい。第一通信端末３０は、通信回線３に有線接続されてもよい。管理システム１では、管理装置１０と第一通信端末３０の間で、所定のデータが通信回線３を介して通信される。管理装置１０と第二通信端末５０の間で、所定のデータが通信回線３を介して通信される。
【００２２】
実施形態で、通信回線３は、特定の通信回線を意味するものでなく、公知である各種の通信回線を総称するものである。従って、管理装置１０と第一通信端末３０の間の通信に用いられる通信回線と、管理装置１０と第二通信端末５０の間の通信に用いられる通信回線は、同一の通信回線又は異なる通信回線の何れであってもよい。但し、実施形態に示す例では、漁業協同組合が管理する上述の管理エリアが管理対象とされている。この場合、通信回線３は、所定の通信事業者が提供する広域通信回線を含む。
【００２３】
管理システム１では、ユーザＩＤとパスワードが関連付けられ、管理装置１０に記憶される。ユーザＩＤは、入漁証を所有するユーザに対応する識別情報であり、パスワードは、このユーザＩＤに対応する認証情報である。ユーザＩＤとパスワードの関連付け及び記憶は、例えば、次のように行われる。即ち、第二通信端末５０を所有するユーザは、第二通信端末５０を操作し、前述のサイトで入漁証を購入する。購入された入漁証は、第二通信端末５０にダウンロードされる。第二通信端末５０には、例えば、管理システム１に対応する専用のアプリケーションプログラムがインストールされている。実施形態では、第二通信端末５０にインストールされた前述のアプリケーションプログラムを、「入漁証プログラム」という。ダウンロードされた入漁証は、入漁証プログラムに登録される。入漁証プログラムは、入漁証の登録に伴い有効な状態となる。その後、第二通信端末５０では、ユーザＩＤとパスワードの初期設定が開始される。第二通信端末５０のユーザは、ユーザＩＤとパスワードを入力する。入力されたユーザＩＤとパスワードは、第二通信端末５０から管理装置１０に送信される。管理装置１０では、第二通信端末５０からのユーザＩＤとパスワードが関連付けて記憶される（図３参照）。ユーザＩＤとパスワードの関連付け及び記憶に関し、前述の手法は、例示である。従って、管理システム１では、ユーザＩＤとパスワードの関連付け及び記憶は、これとは異なる手法にて行われてもよい。
【００２４】
第二通信端末５０では、入漁証プログラムの起動時、ユーザＩＤとパスワードが入力される。入力されたユーザＩＤとパスワードは、第二通信端末５０から管理装置１０に送信される。管理装置１０では、ユーザＩＤとパスワードを用いた認証が実行され、認証結果がユーザＩＤとパスワードの送信元である第二通信端末５０に送信される。第二通信端末５０では、認証が成功した場合、次のような処理が開始される。即ち、第二通信端末５０では、ユーザＩＤと自装置の現在位置を示す位置情報の送信が開始される。第二通信端末５０は、ＧＰＳ（Global Positioning System）に対応し、且つ入漁証プログラムを実行可能な通信端末である。第二通信端末５０では、ＧＰＳを利用することで、自装置の現在位置を示す位置情報が取得される。このような機能を有する第二通信端末５０としては、スマートフォンが例示される。実施形態では、第二通信端末５０は、スマートフォンとする。第二通信端末５０は、入漁証プログラムがインストールされている点を除き、ハードウェア的には、公知のスマートフォンと同じである。第二通信端末５０に関する説明は、適宜省略する。
【００２５】
＜管理装置＞
管理装置１０について、図１〜図３を参照して説明する。管理装置１０は、図１に示すように、ＣＰＵ１２と、記憶部１４と、ＲＡＭ１６と、通信部１８と、計時部２０を備える。ＣＰＵ１２と記憶部１４とＲＡＭ１６と通信部１８と計時部２０は、バス２２に接続される。ＣＰＵ１２は、演算処理を実行する。記憶部１４は、コンピュータが読み取り可能な記憶媒体である。記憶部１４としては、ハードディスク及び／又はフラッシュメモリが例示される。この他、記憶部１４は、ＲＯＭを含む構成であってもよい。記憶部１４には、各種のプログラムが記憶される。例えば、ＯＳ（Operating System）と各種のアプリケーションプログラムが記憶部１４に記憶される。記憶部１４に記憶されるアプリケーションプログラムには、管理プログラムが含まれる。管理プログラムは、所定のサーバ装置を、管理システム１における管理装置１０として動作させるプログラムである。管理プログラムには、第一管理処理（図５参照）のプログラムと、第二管理処理（図６及び図７（第一実施例）又は図１０（第二実施例）参照）のプログラムが含まれる。第二管理処理のプログラムには、警報処理（図８（第一実施例）又は図１１（第二実施例）参照）のプログラムが含まれる。管理プログラムは、管理システム１の構築に際し、記憶部１４に事前にインストールされる。
【００２６】
記憶部１４には、管理プログラムに対応付けて、第一区画画像データと第二区画画像データと第三区画画像データが記憶される。第一区画画像データは、第一区画画像６４を示す画像データである。第一区画画像６４は、第一区画を示す画像である（図４参照）。第二区画画像データは、第二区画画像６６を示す画像データである。第二区画画像６６は、第二区画を示す画像である（図４参照）。第三区画画像データは、第三区画画像６８を示す画像データである。第三区画画像６８は、第三区画を示す画像である（図４参照）。更に、記憶部１４には、管理プログラムに対応付けて、管理リストと入漁者リストが記憶される。管理リストには、区画情報と定員が関連付けて登録される（図２参照）。区画情報は、設定区画を示す情報である。区画情報は、複数の位置情報を含む。区画情報に含まれる複数の位置情報は、設定区画の外縁となる複数の地点に対応する。即ち、区画情報は、設定区画の範囲を定義する複数の位置情報を含む。実施形態では、第一区画を示す区画情報を、「第一区画情報」という。第二区画を示す区画情報を、「第二区画情報」という。第三区画を示す区画情報を、「第三区画情報」という。図２に示す管理リストでは、第一区画に対する第一定員として「２０」が設定され、第二区画に対する第二定員として「０」が設定され、第三区画に対する第三定員として「１０」が設定されている。
【００２７】
入漁者リストには、識別番号とユーザＩＤとパスワードと位置情報と設定区画フラグと更新時刻が関連付けて登録される（図３参照）。識別番号は、入漁者リストの各レコードを識別する番号である。入漁者リストに登録されるユーザＩＤとパスワードは、例えば、上述した初期設定が開始された第二通信端末５０から管理装置１０に送信されたユーザＩＤとパスワードである。図３に示す入漁者リストは、合計２８人に対して、入漁証が発行されている場合に対応する。
【００２８】
第二通信端末５０では、入漁証プログラムの起動後、ユーザＩＤと位置情報が管理装置１０に送信される。管理装置１０では、第二通信端末５０からの位置情報が、入漁者リストに登録される。このとき、位置情報は、この位置情報と共に受信されたユーザＩＤに一致するユーザＩＤに関連付けて登録される。例えば、第二通信端末５０からのユーザＩＤが「ＵＳＥＲ０１」で位置情報が「北緯３６°６′３０″  東経１３６°１５′３５″」である場合、入漁者リストには、位置情報「北緯３６°６′３０″  東経１３６°１５′３５″」が、ユーザＩＤ「ＵＳＥＲ０１」に関連付けて登録される（図３で、識別番号「１」のレコード参照）。図３に示す入漁者リストでは、ユーザＩＤ「ＵＳＥＲ０２」に関連付けられた位置情報として、「−」が記載されている。これは、ユーザＩＤが「ＵＳＥＲ０２」であるユーザが所有する第二通信端末５０からユーザＩＤと位置情報が送信されていないことを示す。入漁証プログラムが起動されていない第二通信端末５０では、ユーザＩＤと位置情報は、送信されない。
【００２９】
設定区画フラグは、入漁者リストに登録された位置情報が、第一区画、第二区画及び第三区画の何れの設定区画に属するかを示す情報である。設定区画フラグは、第一区画フラグと、第二区画フラグと、第三区画フラグを含む。図３では、第一区画フラグは、「第一区画」と記載され、第二区画フラグは、「第二区画」と記載され、第三区画フラグは、「第三区画」と記載されている。第一区画フラグと第二区画フラグと第三区画フラグの初期値は、「ＯＦＦ」とされる。位置情報が第一区画に属する場合、第一区画フラグが「ＯＮ」とされ、第二区画フラグ及び第三区画フラグは「ＯＦＦ」とされる。位置情報が第二区画に属する場合、第二区画フラグが「ＯＮ」とされ、第一区画フラグ及び第三区画フラグは「ＯＦＦ」とされる。位置情報が第三区画に属する場合、第三区画フラグが「ＯＮ」とされ、第一区画フラグ及び第二区画フラグは「ＯＦＦ」とされる。実施形態では、第一区画フラグと第二区画フラグと第三区画フラグを区別しない場合、又はこれらを総称する場合、「設定区画フラグ」という。更新時刻は、第一区画フラグと第二区画フラグと第三区画フラグのうちの何れかの設定区画フラグが「ＯＦＦ」から「ＯＮ」に更新された時刻である。図３に示す入漁者リストに登録された各位置情報は、説明用の単なる例示にすぎず、正確性が考慮されたものではない。
【００３０】
ＲＡＭ１６は、ＣＰＵ１２が各種のプログラムを実行する際に利用される記憶領域となる。ＲＡＭ１６には、処理の実行途中に、処理で利用される所定のデータ及び情報が所定の領域に記憶される。例えば、管理リストと入漁者リストが、記憶部１４から読み出され、ＲＡＭ１６に記憶される。管理装置１０では、ＣＰＵ１２が記憶部１４に記憶されたＯＳと上述した管理プログラムを実行する等して、管理装置１０を制御する。これにより、管理装置１０では、各種の処理が実行される。
【００３１】
通信部１８は、管理装置１０を通信回線３に接続し、通信回線３を介したデータ通信を行う。管理装置１０では、通信部１８を介して、第一通信端末３０と第二通信端末５０のそれぞれとの間で各種のデータが通信される。計時部２０は、現在時刻と、時間の経過を計測する。計時部２０は、ＯＳが有する時計機能とタイマ機能によって構成されてもよい。この場合、計時部２０は、ソフトウェアによる構成とされる。管理装置１０は、上述した管理プログラムが記憶部１４に記憶されている点が、公知のサーバ装置と相違する。但し、管理装置１０は、ハードウェア的には、公知のサーバ装置と同じである。従って、管理装置１０は、更に、公知のサーバ装置が備える構成を備える。
【００３２】
＜第一通信端末＞
第一通信端末３０について、図１及び図４を参照して説明する。第一通信端末３０は、図１に示すように、ＣＰＵ３２と、記憶部３４と、ＲＡＭ３６と、表示部３８と、通信部４０を備える。ＣＰＵ３２と記憶部３４とＲＡＭ３６と表示部３８と通信部４０は、バス４２に接続される。ＣＰＵ３２は、演算処理を実行する。記憶部３４は、コンピュータが読み取り可能な記憶媒体である。記憶部３４としては、ハードディスク及び／又はフラッシュメモリが例示される。この他、記憶部３４は、ＲＯＭを含む構成であってもよい。記憶部３４には、各種のプログラムが記憶される。例えば、ＯＳ（Operating System）と各種のアプリケーションプログラムが記憶部３４に記憶される。記憶部３４に記憶されるアプリケーションプログラムには、Ｗｅｂブラウザと、表示プログラムが含まれる。Ｗｅｂブラウザは、インターネット上の所定のサイトから所定のデータを取得する。表示プログラムは、例えば、タブレット端末若しくはスマートフォン、又はデスクトップ型若しくはノート型のパーソナルコンピュータのような所定の通信端末を、管理システム１における第一通信端末３０として動作させるプログラムである。表示プログラムには、表示処理（図９又は図１２及び図１３参照）のプログラムが含まれる。表示プログラムは、管理システム１の構築に際し、記憶部３４に事前にインストールされる。
【００３３】
ＲＡＭ３６は、ＣＰＵ３２が各種のプログラムを実行する際に利用される記憶領域となる。ＲＡＭ３６には、処理の実行途中に、処理で利用される所定のデータ及び情報が所定の領域に記憶される。例えば、地図画像６２に対応する地図データがＲＡＭ３６に記憶される。地図画像６２は、管理エリアに対応する地図の画像である（図４参照）。第一通信端末３０では、地図データは、地図の提供サービスを実施するインターネット上のサイトから取得される。前述のサイトとしては、Ｇｏｏｇｌｅ  Ｉｎｃ．が提供するＧｏｏｇｌｅ（登録商標）マップが例示される。但し、地図データは、記憶部３４に記憶されてもよい。この場合、地図データは、記憶部３４から読み出され、ＲＡＭ３６に記憶される。更に、管理装置１０から送信された各種のデータがＲＡＭ３６に記憶される。第一通信端末３０では、ＣＰＵ３２が記憶部３４に記憶されたＯＳと上述した表示プログラムを実行する等して、第一通信端末３０を制御する。これにより、第一通信端末３０では、各種の処理が実行される。
【００３４】
表示部３８は、液晶ディスプレイである。但し、表示部３８は、液晶ディスプレイとは異なる表示装置であってもよい。表示部３８には、各種の情報が表示される。表示部３８には、地図画面６０が表示される。地図画面６０は、図４に示すように、地図画像６２と、第一区画画像６４と、第一定員と、第一区画者数と、第二区画画像６６と、第二定員と、第二区画者数と、第三区画画像６８と、第三定員と、第三区画者数を含む。第一区画者数は、第一区画に属する位置情報の数に対応する数である。換言すれば、第一区画者数は、第一区画にいるユーザ数である。第二区画者数は、第二区画に属する位置情報の数に対応する数である。換言すれば、第二区画者数は、第二区画にいるユーザ数である。第三区画者数は、第三区画に属する位置情報の数に対応する数である。換言すれば、第三区画者数は、第三区画にいるユーザ数である。地図画面６０では、第一区画に対応する地図画像６２上の第一範囲に、第一区画画像６４と第一定員と第一区画者数が関連付けて表示される。地図画面６０では、第二区画に対応する地図画像６２上の第二範囲に、第二区画画像６６と第二定員と第二区画者数が関連付けて表示される。地図画面６０では、第三区画に対応する地図画像６２上の第三範囲に、第三区画画像６８と第三定員と第三区画者数が関連付けて表示される。図４に示す地図画面６０では、図２に示す管理リストに対応させ、第一定員が「２０人」とされ、第二定員が「０人」とされ、第三定員が「１０人」とされている。図４に示す地図画面６０では、第一区画者数が「１５人」とされ、第二区画者数が「１人」とされ、第三区画者数が「１１人」とされている。但し、これら各人数は、例示である。
【００３５】
通信部４０は、管理装置１０を通信回線３に接続し、通信回線３を介したデータ通信を行う。第一通信端末３０では、通信部４０を介して、管理装置１０との間で各種のデータが通信される。第一通信端末３０は、上述した表示プログラムが記憶部３４に記憶されている点が、タブレット端末若しくはスマートフォン、又はデスクトップ型若しくはノート型のパーソナルコンピュータのような公知の通信端末と相違する。但し、第一通信端末３０は、ハードウェア的には、公知の通信端末と同じである。従って、第一通信端末３０は、更に、公知の通信端末が備える構成を備える。
【００３６】
＜管理システムで実行される処理＞
管理システム１で、管理方法が実施される場合に実行される処理について、説明する。管理方法は、表示工程と、取得工程と、カウント工程と、比較工程と、警報工程を含む。表示工程は、地図画面６０を表示させる工程である。取得工程では、第二通信端末５０から送信される位置情報が取得される。第二通信端末５０では、上述した通り、位置情報と共にユーザＩＤも送信される。カウント工程では、第一区画者数と第二区画者数と第三区画者数がカウントされる。比較工程は、第一区画者数と第一定員が比較され、第二区画者数と第二定員が比較され、第三区画者数と第三定員が比較される。警報工程では、第一警報通知が送信され、第二警報通知が送信され、第三警報通知が送信される。第一警報通知と第二警報通知と第三警報通知については、後述する。
【００３７】
管理方法の実施時に管理システム１で実行される処理としては、第一管理処理と第二管理処理と表示処理が挙げられる。第二管理処理では、警報処理が実行される。管理装置１０では、例えば、ＯＳの起動に伴い管理プログラムが起動され、その後、第一管理処理と第二管理処理が実行される。管理装置１０では、第一管理処理と第二管理処理が常時実行されてもよい。第一通信端末３０では、表示プログラムの起動指示が受け付けられた場合、表示プログラムが起動され、その後、表示処理が実行される。
【００３８】
管理装置１０で第一管理処理と第二管理処理が実行され、第一通信端末３０で表示処理が実行されている場合、第二通信端末５０では、上述した通り、次のような処理が実行される。即ち、第二通信端末５０では、入漁証プログラムの起動指示が受け付けられた場合、入漁証プログラムが起動され、ユーザＩＤとパスワードの入力画面が表示される。その後、第二通信端末５０では、入力画面の表示に伴いユーザＩＤとパスワードが受け付けられる。受け付けられたユーザＩＤとパスワードは、管理装置１０に送信される。管理装置１０では、第二通信端末５０からのユーザＩＤとパスワードの組み合わせが入漁者リストに登録されているか否かが判断される。前述の組み合わせが入漁者リストに登録されていない場合、管理装置１０では、失敗通知が第二通信端末５０に送信される。第二通信端末５０では、失敗通知が受信された場合、ユーザＩＤとパスワードの再入力画面が表示され、ユーザＩＤとパスワードが、再度、受け付けられる。受け付けられたユーザＩＤとパスワードは、再度、管理装置１０に送信される。
【００３９】
第二通信端末５０からのユーザＩＤとパスワードの組み合わせが入漁者リストに登録されている場合、管理装置１０では、成功通知が第二通信端末５０に送信される。第二通信端末５０では、成功通知が受信された場合、ユーザＩＤと位置情報の送信が開始される。第二通信端末５０では、ユーザＩＤと位置情報が所定の間隔で繰り返して送信される。
【００４０】
以下では、管理システム１で実行される処理として、２つの実施例を説明する。２つの実施例の相違は、第一区画者数と第二区画者数と第三区画者数をカウントする装置が異なる点である。即ち、第一実施例では、第一区画者数と第二区画者数と第三区画者数は、管理装置１０によってカウントされる。第二実施例では、第一区画者数と第二区画者数と第三区画者数は、管理装置１０と第一通信端末３０によってカウントされる。実施形態では、管理プログラムの実行を終了させる指示を、「第一終了指示」といい、表示プログラムの実行を終了させる指示を、「第二終了指示」という。
【００４１】
＜第一実施例＞
管理システム１で実行される第一実施例の処理として、第一管理処理と第二管理処理と警報処理と表示処理について、説明する。
【００４２】
＜第一管理処理＞
第一管理処理について、図５を参照して説明する。第一管理処理を開始させたＣＰＵ１２は、ユーザＩＤと位置情報が取得されたか否かを判断する（Ｓ１１）。上述した通り、ユーザＩＤと位置情報は、成功通知を受信した第二通信端末５０から送信され、通信部１８で受信される。ＣＰＵ１２は、通信部１８を介してユーザＩＤと位置情報を取得する。ユーザＩＤと位置情報が取得されていない場合（Ｓ１１：Ｎｏ）、ＣＰＵ１２は、Ｓ１１を繰り返して実行する。
【００４３】
ユーザＩＤと位置情報が取得された場合（Ｓ１１：Ｙｅｓ）、ＣＰＵ１２は、入漁者リストに、ユーザＩＤと共に取得された位置情報を登録する（Ｓ１３）。このとき、位置情報は、登録対象の位置情報と共に取得されたユーザＩＤに一致するユーザＩＤに関連付けて登録される。既に、位置情報が登録されている場合、位置情報と共に取得されたユーザＩＤに一致するユーザＩＤに関連付けて登録済みの位置情報は、今回取得された新たな位置情報に更新される。例えば、ユーザＩＤ「ＵＳＥＲ０１」と位置情報「北緯３６°６′３０″  東経１３６°１５′３５″」が新たに取得されたとする。この場合、ＣＰＵ１２は、ユーザＩＤ「ＵＳＥＲ０１」に関連付けられた位置情報として、位置情報「北緯３６°６′３０″  東経１３６°１５′３５″」を登録する（図３参照）。
【００４４】
Ｓ１３を実行した後、ＣＰＵ１２は、処理をＳ１１に戻す。その後、ＣＰＵ１２は、再度、Ｓ１１以降の処理を実行する。第一管理処理は、管理装置１０で第一終了指示が受け付けられるまで、繰り返して実行される。
【００４５】
＜第二管理処理＞
第二管理処理について、図６及び図７を参照して説明する。第二管理処理を開始させたＣＰＵ１２は、計時部２０による計測時間と、第一カウンタと第二カウンタと第三カウンタの各値を、初期化する（Ｓ２１）。第一カウンタは、第一区画者数をカウントするカウンタである。第二カウンタは、第二区画者数をカウントするカウンタである。第三カウンタは、第三区画者数をカウントするカウンタである。実施形態では、第一カウンタと第二カウンタと第三カウンタは、ＲＡＭ１６に記憶される。ＣＰＵ１２は、ＲＡＭ１６に、後述するＳ２７で記憶された識別番号が記憶されている場合、これを消去する。
【００４６】
続けて、ＣＰＵ１２は、計時部２０による時間の計測を開始させる（Ｓ２３）。即ち、ＣＰＵ１２は、計測指示を計時部２０に出力する。これに伴い、計時部２０では、時間の計測が開始される。実施形態では、Ｓ２３の実行に伴い計時部２０で計測される時間を、「計測時間」という。その後、ＣＰＵ１２は、計測時間が基準時間となり又は計測時間が基準時間を経過したか否かを判断する（Ｓ２５）。基準時間は、後述する図７のＳ６１を繰り返して実行させる間隔として予め設定され、第二管理処理のプログラムに登録されている。計測時間が基準時間に満たない場合（Ｓ２５：Ｎｏ）、ＣＰＵ１２は、Ｓ２５を繰り返して実行する。
【００４７】
計測時間が基準時間となり又は計測時間が基準時間を経過している場合（Ｓ２５：Ｙｅｓ）、ＣＰＵ１２は、入漁者リストに登録された位置情報のうちの１つを処理対象として選択する（Ｓ２７）。処理対象として選択される位置情報は、Ｓ２９〜図７のＳ５７の処理の対象とされていない位置情報のうちの１つである。例えば、ＣＰＵ１２は、入漁者リストに登録された位置情報を、入漁者リストの識別番号の値が小さいレコードに登録された位置情報から順に処理対象として選択する。ＣＰＵ１２は、処理対象として選択された位置情報が登録されたレコードの識別番号を、ＲＡＭ１６に記憶する。続けて、ＣＰＵ１２は、処理対象の位置情報が第一区画情報に属するか否かを判断する（Ｓ２９）。位置情報が第一区画情報に属するとは、処理対象の位置情報が第一区画情報に含まれる第一区画を定義する複数の位置情報の範囲内であることを意味する。即ち、位置情報が第一区画情報に属するとは、処理対象の位置情報が示すユーザの現在位置が第一区画内の所定の位置であることを意味する。処理対象の位置情報が第一区画情報に属さない場合（Ｓ２９：Ｎｏ）、ＣＰＵ１２は、処理をＳ３９に移行する。
【００４８】
処理対象の位置情報が第一区画情報に属する場合（Ｓ２９：Ｙｅｓ）、ＣＰＵ１２は、第一カウンタによってカウントされる第一区画者数を１増加させる（Ｓ３１）。続けて、ＣＰＵ１２は、入漁者リストで、処理対象の位置情報に関連付けられた設定区画フラグのうちの第一区画フラグが「ＯＮ」であるか否かを判断する（Ｓ３３）。第一区画フラグが「ＯＦＦ」であり、「ＯＮ」でない場合（Ｓ３３：Ｎｏ）、ＣＰＵ１２は、入漁者リストで処理対象の位置情報に関連付けられた第一区画フラグを「ＯＮ」に更新する（Ｓ３５）。ＣＰＵ１２は、入漁者リストで処理対象の位置情報に関連付けられた第二区画フラグ又は第三区画フラグが「ＯＮ」である場合、「ＯＮ」である第二区画フラグ又は第三区画フラグを「ＯＦＦ」に更新する。更に、ＣＰＵ１２は、計時部２０から現在時刻を取得し、入漁者リストで処理対象の位置情報に関連付けられた更新時刻を、取得された現在時刻に更新する（Ｓ３７）。第一区画フラグが「ＯＮ」である場合（Ｓ３３：Ｙｅｓ）、又はＳ３７を実行した後、ＣＰＵ１２は、処理を図７のＳ５９に移行する。
【００４９】
Ｓ３９でＣＰＵ１２は、処理対象の位置情報が第二区画情報に属するか否かを判断する。位置情報が第二区画情報に属するとは、処理対象の位置情報が第二区画情報に含まれる第二区画を定義する複数の位置情報の範囲内であることを意味する。即ち、位置情報が第二区画情報に属するとは、処理対象の位置情報が示すユーザの現在位置が第二区画内の所定の位置であることを意味する。処理対象の位置情報が第二区画情報に属さない場合（Ｓ３９：Ｎｏ）、ＣＰＵ１２は、処理を図７のＳ４９に移行する。
【００５０】
処理対象の位置情報が第二区画情報に属する場合（Ｓ３９：Ｙｅｓ）、ＣＰＵ１２は、第二カウンタによってカウントされる第二区画者数を１増加させる（Ｓ４１）。続けて、ＣＰＵ１２は、入漁者リストで、処理対象の位置情報に関連付けられた設定区画フラグのうちの第二区画フラグが「ＯＮ」であるか否かを判断する（図７のＳ４３）。第二区画フラグが「ＯＦＦ」であり、「ＯＮ」でない場合（Ｓ４３：Ｎｏ）、ＣＰＵ１２は、入漁者リストで処理対象の位置情報に関連付けられた第二区画フラグを「ＯＮ」に更新する（Ｓ４５）。ＣＰＵ１２は、入漁者リストで処理対象の位置情報に関連付けられた第一区画フラグ又は第三区画フラグが「ＯＮ」である場合、「ＯＮ」である第一区画フラグ又は第三区画フラグを「ＯＦＦ」に更新する。更に、ＣＰＵ１２は、計時部２０から現在時刻を取得し、入漁者リストで処理対象の位置情報に関連付けられた更新時刻を、取得された現在時刻に更新する（Ｓ４７）。第二区画フラグが「ＯＮ」である場合（Ｓ４３：Ｙｅｓ）、又はＳ４７を実行した後、ＣＰＵ１２は、処理をＳ５９に移行する。
【００５１】
Ｓ４９でＣＰＵ１２は、処理対象の位置情報が第三区画情報に属するか否かを判断する。位置情報が第三区画情報に属するとは、処理対象の位置情報が第三区画情報に含まれる第三区画を定義する複数の位置情報の範囲内であることを意味する。即ち、位置情報が第三区画情報に属するとは、処理対象の位置情報が示すユーザの現在位置が第三区画内の所定の位置であることを意味する。処理対象の位置情報が第三区画情報に属さない場合（Ｓ４９：Ｎｏ）、ＣＰＵ１２は、処理をＳ５９に移行する。
【００５２】
処理対象の位置情報が第三区画情報に属する場合（Ｓ４９：Ｙｅｓ）、ＣＰＵ１２は、第三カウンタによってカウントされる第三区画者数を１増加させる（Ｓ５１）。続けて、ＣＰＵ１２は、入漁者リストで、処理対象の位置情報に関連付けられた設定区画フラグのうちの第三区画フラグが「ＯＮ」であるか否かを判断する（Ｓ５３）。第三区画フラグが「ＯＦＦ」であり、「ＯＮ」でない場合（Ｓ５３：Ｎｏ）、ＣＰＵ１２は、入漁者リストで処理対象の位置情報に関連付けられた第三区画フラグを「ＯＮ」に更新する（Ｓ５５）。ＣＰＵ１２は、入漁者リストで処理対象の位置情報に関連付けられた第一区画フラグ又は第二区画フラグが「ＯＮ」である場合、「ＯＮ」である第一区画フラグ又は第二区画フラグを「ＯＦＦ」に更新する。更に、ＣＰＵ１２は、計時部２０から現在時刻を取得し、入漁者リストで処理対象の位置情報に関連付けられた更新時刻を、取得された現在時刻に更新する（Ｓ５７）。第三区画フラグが「ＯＮ」である場合（Ｓ５３：Ｙｅｓ）、又はＳ５７を実行した後、ＣＰＵ１２は、処理をＳ５９に移行する。
【００５３】
Ｓ５９でＣＰＵ１２は、入漁者リストに登録された全ての位置情報が図６のＳ２９〜Ｓ５７の処理対象として選択されたか否かを判断する。Ｓ５９は、図６のＳ２７でＲＡＭ１６に記憶された識別番号と、入漁者リストに登録された識別番号に従い判断することができる。即ち、入漁者リストに登録された識別番号に一致する識別番号が全てＲＡＭ１６に記憶されていない場合、全ての位置情報が選択されていないと判断される（Ｓ５９：Ｎｏ）。入漁者リストに登録された識別番号に一致する識別番号が全てＲＡＭ１６に記憶されている場合、全ての位置情報が選択されていると判断される（Ｓ５９：Ｙｅｓ）。全ての位置情報が選択されていない場合（Ｓ５９：Ｎｏ）、ＣＰＵ１２は、処理を図６のＳ２７に移行する。全ての位置情報が選択されている場合（Ｓ５９：Ｙｅｓ）、ＣＰＵ１２は、処理をＳ６１に移行する。
【００５４】
例えば、入漁者リストが図３に示す登録状態であり、最新のＳ２７で処理対象とされた位置情報が識別番号「１」のレコードに登録された位置情報「北緯３６°６′３０″  東経１３６°１５′３５″」であるとする。この場合、ＣＰＵ１２は、全ての位置情報は選択されていないと判断し（Ｓ５９：Ｎｏ）、処理をＳ２７に戻す。その後、ＣＰＵ１２は、識別番号「３」のレコードに登録された位置情報「北緯３６°６′３２″  東経１３６°１５′４２″」を、処理対象として選択する。図３に示す入漁者リストでは、識別番号「２」のレコードには、位置情報が登録されていない。従って、ＣＰＵ１２は、識別番号「２」のレコードをスキップし、識別番号「１」のレコードの次に位置情報が登録された識別番号「３」のレコードの位置情報「北緯３６°６′３２″  東経１３６°１５′４２″」を、処理対象として選択する。
【００５５】
これに対して、入漁者リストが図３に示す登録状態であり、最新のＳ２７で処理対象とされた位置情報が識別番号「２８」のレコードに登録された位置情報「北緯３６°６′２８″  東経１３６°１５′４０″」であるとする。この場合、ＣＰＵ１２は、全ての位置情報が選択されていると判断し（Ｓ５９：Ｙｅｓ）、処理をＳ６１に移行する。この他、入漁者リストの登録状態が図３とは異なり、最新のＳ２７で処理対象とされた位置情報が登録されたレコード以降のレコードに、位置情報が登録されていない場合も、ＣＰＵ１２は、全ての位置情報が選択されていると判断する（Ｓ５９：Ｙｅｓ）。
【００５６】
Ｓ６１でＣＰＵ１２は、第一表示情報を送信させる。管理システム１で実行される処理の第一実施例に関し、第一表示情報は、第一区画情報と、第一区画画像データと、第一定員と、第一区画者数と、第二区画情報と、第二区画画像データと、第二定員と、第二区画者数と、第三区画情報と、第三区画画像データと、第三定員と、第三区画者数を含み、これらを総称する名称である。ＣＰＵ１２は、ＲＡＭ１６に記憶された管理リストから、第一区画情報及び第一定員と、第二区画情報及び第二定員と、第三区画情報及び第三定員を取得する。ＣＰＵ１２は、記憶部１４から、第一区画画像データと第二区画画像データと第三区画画像データを読み出す。更に、ＣＰＵ１２は、ＲＡＭ１６に記憶された第一カウンタから第一区画者数を取得する。ＣＰＵ１２は、ＲＡＭ１６に記憶された第二カウンタから第二区画者数を取得する。ＣＰＵ１２は、ＲＡＭ１６に記憶された第三カウンタから第三区画者数を取得する。第一表示情報の送信先は、第一通信端末３０に設定される。ＣＰＵ１２は、第一表示情報の送信指令を通信部１８に出力する。送信指令に従い、第一表示情報が通信部１８から第一通信端末３０に送信される。
【００５７】
次に、ＣＰＵ１２は、警報処理を実行する（Ｓ６３）。警報処理については、後述する。Ｓ６３を実行した後、ＣＰＵ１２は、処理を図６のＳ２１に戻す。その後、ＣＰＵ１２は、再度、Ｓ２１以降の処理を実行する。第二管理処理は、管理装置１０で第一終了指示が受け付けられるまで、繰り返して実行される。
【００５８】
＜警報処理＞
図７のＳ６３で実行される警報処理について、図８を参照して説明する。警報処理を開始させたＣＰＵ１２は、第一カウンタにてカウントされた第一区画者数が第一定員より多いか否かを判断する（Ｓ７１）。ＣＰＵ１２は、ＲＡＭ１６に記憶された管理リストから第一定員を取得する。第一区画者数が第一定員より多い場合（Ｓ７１：Ｙｅｓ）、ＣＰＵ１２は、第一区画情報に属する位置情報の送信元の第二通信端末５０から、第一警報通知の送信先を特定する（Ｓ７３）。第一区画情報に属する位置情報の送信元の第二通信端末５０は、入漁者リストで第一区画フラグとして「ＯＮ」が登録されている第二通信端末５０である。実施形態では、第一定員は、「２０」に設定されている（図２参照）。従って、第一警報通知は、第一定員「２０」の超過に対応させて予め設定された情報を含む。即ち、第一警報通知は、例えば、第一区画で釣りをするユーザ数が第一定員を超過していることを示す情報を含む。更に、第一警報通知は、第一区画からの退場を指示する情報を含む。実施形態では、Ｓ７３で第一警報通知の送信先として特定された第二通信端末５０を、「第三通信端末」といい、第三通信端末は、入漁者リストに登録された更新時刻に従い特定される。即ち、第三通信端末は、第一区画情報に属する位置情報の送信元の第二通信端末５０のうち、入漁者リストに登録された更新時刻が遅いユーザＩＤの第二通信端末５０とされる。第一定員に対して、第一区画者数が２以上超過している場合、更新時刻が遅い順に、超過数に一致する数の第二通信端末５０が第三通信端末として特定される。
【００５９】
Ｓ７３を実行した後、ＣＰＵ１２は、第一警報通知を送信させる（Ｓ７５）。ＣＰＵ１２は、第一警報通知の送信指令を通信部１８に出力する。送信指令に従い、第一警報通知が通信部１８から第三通信端末に送信される。第三通信端末では、第一警報通知が受信され、第一警報通知に含まれる上述の情報が自装置の表示部に表示される（図１に示す「第二通信端末５０」参照）。
【００６０】
第一区画者数が第一定員以下である場合（Ｓ７１：Ｎｏ）、又はＳ７５を実行した後、ＣＰＵ１２は、第二カウンタにてカウントされた第二区画者数が第二定員より多いか否かを判断する（Ｓ７７）。ＣＰＵ１２は、ＲＡＭ１６に記憶された管理リストから第二定員を取得する。第二区画者数が第二定員より多い場合（Ｓ７７：Ｙｅｓ）、ＣＰＵ１２は、第二区画情報に属する位置情報の送信元の第二通信端末５０から、第二警報通知の送信先を特定する（Ｓ７９）。第二区画情報に属する位置情報の送信元の第二通信端末５０は、入漁者リストで第二区画フラグとして「ＯＮ」が登録されている第二通信端末５０である。実施形態では、第二定員は、「０」に設定されている（図２参照）。従って、第二警報通知は、第二定員「０」の超過に対応させて予め設定された情報を含む。即ち、第二警報通知は、例えば、第二区画では釣りが禁止されていることを示す情報を含む。更に、第二警報通知は、第二区画からの退場を指示する情報を含む。実施形態では、Ｓ７９で第二警報通知の送信先として特定された第二通信端末５０を、「第四通信端末」という。Ｓ７９では、第二定員が「０」に設定されているため、第二区画情報に属する位置情報の送信元の第二通信端末５０の全てが第四通信端末として特定される。
【００６１】
Ｓ７９を実行した後、ＣＰＵ１２は、第二警報通知を送信させる（Ｓ８１）。ＣＰＵ１２は、第二警報通知の送信指令を通信部１８に出力する。送信指令に従い、第二警報通知が通信部１８から第四通信端末に送信される。第四通信端末では、第二警報通知が受信され、第二警報通知に含まれる上述の情報が自装置の表示部に表示される。
【００６２】
第二区画者数が第二定員以下である場合（Ｓ７７：Ｎｏ）、又はＳ８１を実行した後、ＣＰＵ１２は、第三カウンタにてカウントされた第三区画者数が第三定員より多いか否かを判断する（Ｓ８３）。ＣＰＵ１２は、ＲＡＭ１６に記憶された管理リストから第三定員を取得する。第三区画者数が第三定員より多い場合（Ｓ８３：Ｙｅｓ）、ＣＰＵ１２は、第三区画情報に属する位置情報の送信元の第二通信端末５０から、第三警報通知の送信先を特定する（Ｓ８５）。第三区画情報に属する位置情報の送信元の第二通信端末５０は、入漁者リストで第三区画フラグとして「ＯＮ」が登録されている第二通信端末５０である。実施形態では、第三定員は、「１０」に設定されている（図２参照）。従って、第三警報通知は、第三定員「１０」の超過に対応させて予め設定された情報を含む。即ち、第三警報通知は、例えば、第三区画で釣りをするユーザ数が第三定員を超過していることを示す情報を含む。更に、第三警報通知は、第三区画からの退場を指示する情報を含む。実施形態では、Ｓ８５で第三警報通知の送信先として特定された第二通信端末５０を、「第五通信端末」といい、第五通信端末は、入漁者リストに登録された更新時刻に従い特定される。即ち、第五通信端末は、第三区画情報に属する位置情報の送信元の第二通信端末５０のうち、入漁者リストに登録された更新時刻が遅いユーザＩＤの第二通信端末５０とされる。第三定員に対して、第三区画者数が２以上超過している場合、更新時刻が遅い順に、超過数に一致する数の第二通信端末５０が第五通信端末として特定される。
【００６３】
Ｓ８５を実行した後、ＣＰＵ１２は、第三警報通知を送信させる（Ｓ８７）。ＣＰＵ１２は、第三警報通知の送信指令を通信部１８に出力する。送信指令に従い、第三警報通知が通信部１８から第五通信端末に送信される。第五通信端末では、第三警報通知が受信され、第三警報通知に含まれる上述の情報が自装置の表示部に表示される（図１に示す「第二通信端末５０」参照）。Ｓ８７を実行した後、ＣＰＵ１２は、警報処理を終了する。上記では説明を省略したが、第一区画者数と第一定員の関係が図４に示す地図画面６０の状態である場合、Ｓ７１は、否定される（Ｓ７１：Ｎｏ参照）。第二区画者数と第二定員の関係が図４に示す地図画面６０の状態である場合、Ｓ７７は、肯定される（Ｓ７７：Ｙｅｓ参照）。第三区画者数と第三定員の関係が図４に示す地図画面６０の状態である場合、Ｓ８３は、肯定される（Ｓ８３：Ｙｅｓ参照）。
【００６４】
＜表示処理＞
表示処理について、図９を参照して説明する。表示処理を開始させたＣＰＵ３２は、地図データを取得する（Ｓ９１）。地図データは、上述した通り、インターネット上の所定のサイト又は記憶部３４から取得される。地図データがインターネット上の所定のサイトから取得される場合、管理エリアの位置情報を含む要求が、ＣＰＵ３２で実行されるＷｅｂブラウザによるプロセスによって通信部４０から前述の所定のサイトに送信される。所定のサイトでは、前述の要求に応じて、この要求に含まれる位置情報に対応する地図データが送信され、通信部４０で受信される。ＣＰＵ３２は、通信部４０を介して地図データを取得する。地図データが記憶部３４から取得される場合、ＣＰＵ３２は、記憶部３４から地図データを読み出す。インターネット上の所定のサイト又は記憶部３４から取得された地図データは、ＲＡＭ３６に記憶される。
【００６５】
続けて、ＣＰＵ３２は、第一表示情報が取得されたか否かを判断する（Ｓ９３）。第一表示情報は、図７のＳ６１で管理装置１０から送信され、通信部４０で受信される。ＣＰＵ３２は、通信部４０を介して第一表示情報を取得する。ＣＰＵ３２は、取得された第一表示情報に含まれる、第一区画情報と第一区画画像データと第一定員と第一区画者数と第二区画情報と第二区画画像データと第二定員と第二区画者数と第三区画情報と第三区画画像データと第三定員と第三区画者数を、ＲＡＭ３６に記憶する。第一表示情報が取得されていない場合（Ｓ９３：Ｎｏ）、ＣＰＵ３２は、Ｓ９３を繰り返して実行する。
【００６６】
第一表示情報が取得された場合（Ｓ９３：Ｙｅｓ）、ＣＰＵ３２は、地図画面データを生成する（Ｓ９５）。地図画面データは、地図画面６０を示す画像データである。地図画面データは、例えば、次のように生成される。ＣＰＵ３２は、地図データに含まれる位置情報と第一区画情報に従い、第一区画に対応する地図画像６２上の第一範囲を特定する。ＣＰＵ３２は、特定された第一範囲に従い、地図データに第一区画画像データを合成する。更に、ＣＰＵ３２は、特定された第一範囲に従い、地図データに第一定員と第一区画者数を含める。ＣＰＵ３２は、地図データに含まれる位置情報と第二区画情報に従い、第二区画に対応する地図画像６２上の第二範囲を特定する。ＣＰＵ３２は、特定された第二範囲に従い、地図データに第二区画画像データを合成する。更に、ＣＰＵ３２は、特定された第二範囲に従い、地図データに第二定員と第二区画者数を含める。ＣＰＵ３２は、地図データに含まれる位置情報と第三区画情報に従い、第三区画に対応する地図画像６２上の第三範囲を特定する。ＣＰＵ３２は、特定された第三範囲に従い、地図データに第三区画画像データを合成する。更に、ＣＰＵ３２は、特定された第三範囲に従い、地図データに第三定員と第三区画者数を含める。
【００６７】
続けて、ＣＰＵ３２は、地図画面６０を表示させる（Ｓ９７）。ＣＰＵ３２は、Ｓ９５で生成された地図画面データから得られる地図画面６０の表示指令を表示部３８に出力する。表示部３８では、表示指令に従い、地図画面６０が表示される（図４参照）。Ｓ９７を実行した後、ＣＰＵ３２は、処理をＳ９３に戻す。その後、ＣＰＵ３２は、再度、Ｓ９３以降の処理を実行する。表示処理は、第一通信端末３０で第二終了指示が受け付けられるまで、繰り返して実行される。
【００６８】
＜第二実施例＞
管理システム１で実行される第二実施例の処理として、第二管理処理と表示処理について説明する。第二実施例の処理でも、上述した第一管理処理が管理装置１０で実行される。但し、第二実施例における第一管理処理は、第一実施例の第一管理処理と同じ処理である。そのため、第二実施例の説明では、第一管理処理の説明は、省略する。
【００６９】
＜第二管理処理＞
第二管理処理について、図１０を参照して説明する。第二管理処理を開始させたＣＰＵ１２は、Ｓ１０１〜Ｓ１０５を順次実行する。Ｓ１０１〜Ｓ１０５は、図６のＳ２１〜Ｓ２５に対応する。ＣＰＵ１２は、Ｓ１０１〜Ｓ１０５を、図６のＳ２１〜Ｓ２５と同様に実行する。従って、Ｓ１０１〜Ｓ１０５に関する説明は、省略する。計測時間が基準時間となり又は計測時間が基準時間を経過している場合（Ｓ１０５：Ｙｅｓ）、ＣＰＵ１２は、第二表示情報を送信させる（Ｓ１０７）。管理システム１で実行される処理の第二実施例に関し、第二表示情報は、第一区画情報と、第一区画画像データと、第一定員と、第二区画情報と、第二区画画像データと、第二定員と、第三区画情報と、第三区画画像データと、第三定員と、入漁者リストに登録された全ての位置情報を含み、これらを総称する名称である。ＣＰＵ１２は、ＲＡＭ１６に記憶された管理リストから、第一区画情報及び第一定員と、第二区画情報及び第二定員と、第三区画情報及び第三定員を取得する。ＣＰＵ１２は、記憶部１４から、第一区画画像データと第二区画画像データと第三区画画像データを読み出す。更に、ＣＰＵ１２は、入漁者リストから全ての位置情報を取得する。第二表示情報の送信先は、第一通信端末３０に設定される。ＣＰＵ１２は、第二表示情報の送信指令を通信部１８に出力する。送信指令に従い、第二表示情報が通信部１８から第一通信端末３０に送信される。
【００７０】
次に、ＣＰＵ１２は、警報処理を実行する（Ｓ１０９）。警報処理については、後述する。Ｓ１０９を実行した後、ＣＰＵ１２は、処理をＳ１０１に戻す。その後、ＣＰＵ１２は、再度、Ｓ１０１以降の処理を実行する。第二管理処理は、管理装置１０で第一終了指示が受け付けられるまで、繰り返して実行される。
【００７１】
＜警報処理＞
図１０のＳ１０９で実行される警報処理について、図１１を参照して説明する。警報処理を開始させたＣＰＵ１２は、カウント処理を実行する（Ｓ１１１）。カウント処理では、上記同様、入漁者リストに登録された位置情報に従い、第一区画者数と第二区画者数と第三区画者数がカウントされ、且つ設定区画フラグと更新時刻が入漁者リストに登録される。即ち、カウント処理は、図６のＳ２７〜図７のＳ５９の各処理を含む。換言すれば、図６のＳ２７〜図７のＳ５９の各処理は、カウント処理である。Ｓ１１１でＣＰＵ１２は、カウント処理を、図６のＳ２７〜図７のＳ５９と同様に実行する。従って、カウント処理に関する説明は、省略する。
【００７２】
Ｓ１１１を実行した後、ＣＰＵ１２は、Ｓ１１３〜Ｓ１２９を順次実行する。Ｓ１１３〜Ｓ１２９は、図８のＳ７１〜Ｓ８７に対応する。ＣＰＵ１２は、Ｓ１１３〜Ｓ１２９を、図８のＳ７１〜Ｓ８７と同様に実行する。従って、Ｓ１１３〜Ｓ１２９に関する説明は、省略する。Ｓ１２９を実行した後、ＣＰＵ１２は、警報処理を終了する。
【００７３】
＜表示処理＞
表示処理について、図１２及び図１３を参照して説明する。表示処理を開始させたＣＰＵ３２は、地図データを取得する（Ｓ１３１）。Ｓ１３１は、図９のＳ９１に対応する。ＣＰＵ３２は、Ｓ１３１を、図９のＳ９１と同様に実行する。従って、Ｓ１３１に関する説明は、省略する。Ｓ１３１を実行した後、ＣＰＵ３２は、第二表示情報が取得されたか否かを判断する（Ｓ１３３）。第二表示情報は、図１０のＳ１０７で管理装置１０から送信され、通信部４０で受信される。ＣＰＵ３２は、通信部４０を介して第二表示情報を取得する。ＣＰＵ３２は、取得された第二表示情報に含まれる、第一区画情報と第一区画画像データと第一定員と第二区画情報と第二区画画像データと第二定員と第三区画情報と第三区画画像データと第三定員と位置情報を、ＲＡＭ３６に記憶する。第二表示情報が取得されていない場合（Ｓ１３３：Ｎｏ）、ＣＰＵ３２は、Ｓ１３３を繰り返して実行する。
【００７４】
第二表示情報が取得された場合（Ｓ１３３：Ｙｅｓ）、ＣＰＵ３２は、第四カウンタと第五カウンタと第六カウンタの各値を、初期化する（Ｓ１３５）。第三カウンタは、上述した第一カウンタに対応し、第一区画者数をカウントするカウンタである。第五カウンタは、上述した第二カウンタに対応し、第二区画者数をカウントするカウンタである。第六カウンタは、上述した第三カウンタに対応し、第三区画者数をカウントするカウンタである。実施形態では、第四カウンタと第五カウンタと第六カウンタは、ＲＡＭ３６に記憶される。
【００７５】
次に、ＣＰＵ３２は、ＲＡＭ３６に記憶された位置情報のうちの１つを処理対象として選択する（Ｓ１３７）。処理対象として選択される位置情報は、Ｓ１３９〜図１３のＳ１４９の処理の対象とされていない位置情報のうちの１つである。続けて、ＣＰＵ３２は、処理対象の位置情報が第一区画情報に属するか否かを判断する（Ｓ２９）。「位置情報が第一区画情報に属する」の意味は、図６のＳ２９に関連して説明した通りである。処理対象の位置情報が第一区画情報に属さない場合（Ｓ１３９：Ｎｏ）、ＣＰＵ３２は、処理をＳ１４３に移行する。処理対象の位置情報が第一区画情報に属する場合（Ｓ１３９：Ｙｅｓ）、ＣＰＵ３２は、第四カウンタによってカウントされる第一区画者数を１増加させる（Ｓ１４１）。その後、ＣＰＵ３２は、処理を図１３のＳ１５１に移行する。
【００７６】
Ｓ１４３でＣＰＵ３２は、処理対象の位置情報が第二区画情報に属するか否かを判断する。「位置情報が第二区画情報に属する」の意味は、図６のＳ３９に関連して説明した通りである。処理対象の位置情報が第二区画情報に属さない場合（Ｓ１４３：Ｎｏ）、ＣＰＵ３２は、処理を図１３のＳ１４７に移行する。処理対象の位置情報が第二区画情報に属する場合（Ｓ１４３：Ｙｅｓ）、ＣＰＵ３２は、第五カウンタによってカウントされる第二区画者数を１増加させる（Ｓ１４５）。その後、ＣＰＵ３２は、処理を図１３のＳ１５１に移行する。
【００７７】
Ｓ１４７でＣＰＵ３２は、処理対象の位置情報が第三区画情報に属するか否かを判断する。「位置情報が第三区画情報に属する」の意味は、図７のＳ４９に関連して説明した通りである。処理対象の位置情報が第三区画情報に属する場合（Ｓ１４７：Ｙｅｓ）、ＣＰＵ３２は、第六カウンタによってカウントされる第三区画者数を１増加させる（Ｓ１４９）。処理対象の位置情報が第三区画情報に属さない場合（Ｓ１４７：Ｎｏ）、又はＳ１４９を実行した後、ＣＰＵ３２は、処理をＳ１５１に移行する。
【００７８】
Ｓ１５１でＣＰＵ３２は、ＲＡＭ３６に記憶された全ての位置情報が図１２のＳ１３９〜Ｓ１４９の処理対象として選択されたか否かを判断する。ＣＰＵ３２は、Ｓ１５１を実行後、処理対象とされていた位置情報をＲＡＭ３６から消去するようにしてもよい。このような構成によれば、Ｓ１５１を、ＲＡＭ３６に記憶された位置情報に応じて判断することができる。即ち、ＲＡＭ３６に記憶された位置情報が２個以上である場合、全ての位置情報が選択されていないと判断される（Ｓ１５１：Ｎｏ）。ＲＡＭ３６に記憶された位置情報が１個である場合、全ての位置情報が選択されていると判断される（Ｓ１５１：Ｙｅｓ）。全ての位置情報が選択されていない場合（Ｓ１５１：Ｎｏ）、ＣＰＵ３２は、処理を図１２のＳ１３７に移行する。全ての位置情報が選択されている場合（Ｓ１５１：Ｙｅｓ）、ＣＰＵ３２は、処理をＳ１５３に移行する。
【００７９】
Ｓ１５３でＣＰＵ３２は、地図画面データを生成する（Ｓ１５３）。地図画面データは、例えば、次のように生成される。ＣＰＵ３２は、ＲＡＭ３６に記憶された第四カウンタから第一区画者数を取得する。ＣＰＵ３２は、ＲＡＭ３６に記憶された第五カウンタから第二区画者数を取得する。ＣＰＵ３２は、ＲＡＭ３６に記憶された第六カウンタから第三区画者数を取得する。ＣＰＵ３２は、地図データに含まれる位置情報と第一区画情報に従い、第一区画に対応する地図画像６２上の第一範囲を特定する。ＣＰＵ３２は、特定された第一範囲に従い、地図データに第一区画画像データを合成する。更に、ＣＰＵ３２は、特定された第一範囲に従い、地図データに第一定員と第一区画者数を含める。ＣＰＵ３２は、地図データに含まれる位置情報と第二区画情報に従い、第二区画に対応する地図画像６２上の第二範囲を特定する。ＣＰＵ３２は、特定された第二範囲に従い、地図データに第二区画画像データを合成する。更に、ＣＰＵ３２は、特定された第二範囲に従い、地図データに第二定員と第二区画者数を含める。ＣＰＵ３２は、地図データに含まれる位置情報と第三区画情報に従い、第三区画に対応する地図画像６２上の第三範囲を特定する。ＣＰＵ３２は、特定された第三範囲に従い、地図データに第三区画画像データを合成する。更に、ＣＰＵ３２は、特定された第三範囲に従い、地図データに第三定員と第三区画者数を含める。
【００８０】
続けて、ＣＰＵ３２は、地図画面６０を表示させる（Ｓ１５５）。ＣＰＵ３２は、Ｓ１５３で生成された地図画面データから得られる地図画面６０の表示指令を表示部３８に出力する。表示部３８では、表示指令に従い、地図画面６０が表示される（図４参照）。Ｓ１５５を実行した後、ＣＰＵ３２は、処理を図１２のＳ１３３に戻す。その後、ＣＰＵ３２は、再度、Ｓ１３３以降の処理を実行する。表示処理は、第一通信端末３０で第二終了指示が受け付けられるまで、繰り返して実行される。
【００８１】
＜実施形態の効果＞
実施形態によれば、次のような効果を得ることができる。
【００８２】
（１）管理システム１は、管理装置１０と、第一通信端末３０と、第二通信端末５０を含む（図１参照）。第二通信端末５０では、ユーザＩＤと自装置の位置情報が管理装置１０に送信される。管理装置１０では、入漁者リスト（図３参照）に第二通信端末５０からの位置情報が登録される（図５のＳ１３参照）。このとき、位置情報は、入漁者リストに登録されたユーザＩＤのうち、第二通信端末５０からのユーザＩＤに一致するユーザＩＤに関連付けて登録される。
【００８３】
管理システム１では、第一実施例の処理が実行される。この場合、管理装置１０では、第一区画者数と第二区画者数と第三区画者数がカウントされる（図６のＳ２７、Ｓ３１及びＳ４１、図７のＳ５１及びＳ５９参照）。その後、管理装置１０では、第一表示情報が第一通信端末３０に送信される（図７のＳ６１参照）。第一表示情報は、第一区画情報と、第一区画画像データと、第一定員と、第一区画者数と、第二区画情報と、第二区画画像データと、第二定員と、第二区画者数と、第三区画情報と、第三区画画像データと、第三定員と、第三区画者数を含む。第一通信端末３０では、第一表示情報が取得される（図９のＳ９３：Ｙｅｓ参照）。
【００８４】
管理システム１では、第二実施例の処理が実行される。この場合、管理装置１０では、第二表示情報が第一通信端末３０に送信される（図１０のＳ１０７参照）。第二表示情報は、第一区画情報と、第一区画画像データと、第一定員と、第二区画情報と、第二区画画像データと、第二定員と、第三区画情報と、第三区画画像データと、第三定員と、入漁者リストに登録された全ての位置情報を含む。第一通信端末３０では、第二表示情報が取得される（図１２のＳ１３３：Ｙｅｓ参照）。その後、第一通信端末３０では、第一区画者数と第二区画者数と第三区画者数がカウントされる（図１２のＳ１３７、Ｓ１４１及びＳ１４５、図１３のＳ１４９及びＳ１５１参照）。
【００８５】
そのため、第一通信端末３０の表示部３８に、地図画面６０を表示させることができる（図９のＳ９７又は図１３のＳ１５５参照）。地図画面６０では、地図画像６２上の第一範囲に第一区画画像６４が表示され、地図画像６２上の第二範囲に第二区画画像６６が表示され、地図画像６２上の第三範囲に第三区画画像６８が表示される（図４参照）。更に、地図画面６０では、第一区画画像６４に第一定員と第一区画者数が関連付けて表示され、第二区画画像６６に第二定員と第二区画者数が関連付けて表示され、第三区画画像６８に第三定員と第三区画者数が関連付けて表示される（図４参照）。第一通信端末３０のユーザは、表示部３８に表示される地図画面６０を確認しつつ、管理エリアを監視することができる。
【００８６】
（２）管理装置１０では、第一区画者数と第一定員が比較される（図８のＳ７１又は図１１のＳ１１３参照）。第一区画者数が第一定員より多い場合（図８のＳ７１：Ｙｅｓ又は図１１のＳ１１３：Ｙｅｓ参照）、第一警報通知が、第一区画情報に属する位置情報の送信元の第二通信端末５０のうちの特定の第三通信端末に送信される（図８のＳ７５又は図１１のＳ１１７参照）。第一警報通知は、例えば、第一区画で釣りをするユーザ数が第一定員を超過していることを示す情報と、第一区画からの退場を指示する情報を含む。そのため、第三通信端末で、第一区画で釣りをするユーザ数が第一定員を超過していることを報知させることができる（図１に示す「第二通信端末５０」参照）。第三通信端末のユーザに、第一区画からの退場を指示することができる。第一区画で釣りをするユーザ数を、第一定員以下に維持することが可能となる。
【００８７】
管理装置１０では、第二区画者数と第二定員が比較される（図８のＳ７７又は図１１のＳ１１９参照）。第二区画者数が第二定員より多い場合（図８のＳ７７：Ｙｅｓ又は図１１のＳ１１９：Ｙｅｓ参照）、第二警報通知が、第二区画情報に属する位置情報の送信元の第二通信端末５０のうちの特定の第四通信端末に送信される（図８のＳ８１又は図１１のＳ１２３参照）。第二定員が「０」に設定されている場合（図２参照）、第二警報通知は、例えば、第二区画では釣りが禁止されていることを示す情報と、第二区画からの退場を指示する情報を含む。そのため、第四通信端末で、第二区画では釣りが禁止されていることを報知させることができる。第四通信端末のユーザに、第二区画からの退場を指示することができる。第二区画で釣りをするユーザ数を、０人に維持することが可能となる。
【００８８】
管理装置１０では、第三区画者数と第三定員が比較される（図８のＳ８３又は図１１のＳ１２５参照）。第三区画者数が第三定員より多い場合（図８のＳ８３：Ｙｅｓ又は図１１のＳ１２５：Ｙｅｓ参照）、第三警報通知が、第三区画情報に属する位置情報の送信元の第二通信端末５０のうちの特定の第五通信端末に送信される（図８のＳ８７又は図１１のＳ１２９参照）。第三警報通知は、例えば、第三区画で釣りをするユーザ数が第三定員を超過していることを示す情報と、第三区画からの退場を指示する情報を含む。そのため、第五通信端末で、第三区画で釣りをするユーザ数が第三定員を超過していることを報知させることができる（図１に示す「第二通信端末５０」参照）。第五通信端末のユーザに、第三区画からの退場を指示することができる。第三区画で釣りをするユーザ数を、第三定員以下に維持することが可能となる。
【００８９】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は、適宜省略する。
【００９０】
（１）管理エリアを第一区画と第二区画と第三区画に分割し、第一定員を「２０」とし、第二定員を「０」とし、第三定員を「１０」とした構成を例として説明した。第一定員は、「０」に設定されてもよい。この場合、図８のＳ７３又は図１１のＳ１１５では、第一区画情報に属する位置情報の送信元の第二通信端末５０の全てが第一警報通知の送信先（第三通信端末）として特定される。第一警報通知は、例えば、第一区画では釣りが禁止されていることを示す情報と、第一区画からの退場を指示する情報を含む。第二定員は、「０」より大きな所定の値に設定されてもよい。この場合、図８のＳ７９又は図１１のＳ１２１では、第二区画情報に属する位置情報の送信元の第二通信端末５０のうち、前述の所定の値を超過している数（第二区画者数−第二定員）の第二通信端末５０が第二警報通知の送信先（第四通信端末）として特定される。このとき、第四通信端末は、第二区画情報に属する位置情報の送信元の第二通信端末５０から更新時刻に従い特定される。第二警報通知は、例えば、第二区画で釣りをするユーザ数が第二定員を超過していることを示す情報と、第二区画からの退場を指示する情報を含む。第三定員は、「０」に設定されてもよい。この場合、図８のＳ８５又は図１１のＳ１２７では、第三区画情報に属する位置情報の送信元の第二通信端末５０の全てが第三警報通知の送信先（第五通信端末）として特定される。第三警報通知は、例えば、第三区画では釣りが禁止されていることを示す情報と、第三区画からの退場を指示する情報を含む。
【００９１】
（２）図６及び図７に示す第一実施例の第二管理処理では、Ｓ６１（図７参照）で、第一表示情報が管理装置１０から第一通信端末３０に送信される。図１０に示す第二実施例の第二管理処理では、Ｓ１０７で、第二表示情報が管理装置１０から第一通信端末３０に送信される。第一表示情報と第二表示情報には、第一区画画像データと第二区画画像データと第三区画画像データが含まれる。第一区画画像データと第二区画画像データと第三区画画像データは、第一表示情報又は第二表示情報から省略してもよい。この場合、第一区画画像データと第二区画画像データと第三区画画像データは、表示プログラムに対応付けて、記憶部３４に記憶される。図９に示す第一実施例の表示処理では、Ｓ９５で、第一区画画像データと第二区画画像データと第三区画画像データが記憶部３４から読み出される。図１２及び図１３に示す第二実施例の表示処理では、Ｓ１５３（図１３参照）で、第一区画画像データと第二区画画像データと第三区画画像データが記憶部３４から読み出される。
【００９２】
この他、例えば、図９に示す第一実施例の表示処理では、Ｓ９５で、次のような処理が実行され、図１２及び図１３に示す第二実施例の表示処理では、Ｓ１５３（図１３参照）で、次のような処理が実行されてもよい。この場合、上述した通り、第一区画画像データと第二区画画像データと第三区画画像データは、第一表示情報又は第二表示情報から省略してもよい。第一区画画像データと第二区画画像データと第三区画画像データは、予め記憶部１４又は記憶部３４に記憶されなくてもよい。即ち、Ｓ９５又はＳ１５３では、地図データに含まれる位置情報と第一区画情報に従い、地図画像６２上の第一範囲に第一区画画像６４が配置され、前述の位置情報と第二区画情報に従い、地図画像６２上の第二範囲に第二区画画像６６が配置され、前述の位置情報と第三区画情報に従い、地図画像６２上の第三範囲に第三区画画像６８が配置されたデータが、地図データから生成される。第一区画画像６４と第二区画画像６６と第三区画画像６８が図４に示すような破線状の線画像である場合、地図データから生成される前述のデータで第一区画画像６４と第二区画画像６６と第三区画画像６８に対応するデータ部分は、第一区画情報と第二区画情報と第三区画情報に含まれる複数の位置情報に沿って配置された複数のドットを形成する。前述の複数のドットは、第一区画の外縁を示す破線状の第一区画画像６４を形成し、第二区画の外縁を示す破線状の第二区画画像６６を形成し、第三区画の外縁を示す破線状の第三区画画像６８を形成する。
【００９３】
更に、Ｓ９５又はＳ１５３で実行される処理を例示する。Ｓ９５又はＳ１５３では、上記同様、地図データに含まれる位置情報と第一区画情報に従い、第一区画に対応する地図画像６２上の第一範囲が特定され、前述の位置情報と第二区画情報に従い、第二区画に対応する地図画像６２上の第二範囲が特定され、前述の位置情報と第三区画情報に従い、第三区画に対応する地図画像６２上の第三範囲が特定される。Ｓ９５又はＳ１５３では、特定された第一範囲に従い、第一範囲に対応する第一区画画像データが生成され、特定された第二範囲に従い、第二範囲に対応する第二区画画像データが生成され、特定された第三範囲に従い、第三範囲に対応する第三区画画像データが生成される。第一区画画像データと第二区画画像データと第三区画画像データは、第一範囲と第二範囲と第三範囲に従い、地図画像６２上に合成される。
【００９４】
Ｓ９５又はＳ１５３では、上記同様、地図画像６２上の第一範囲に第一定員と第一区画者数が含められ、地図画像６２上の第二範囲に第二定員と第二区画者数が含められ、地図画像６２上の第三範囲に第三定員と第三区画者数が含められ、上記同様の地図画面データが生成される。
【００９５】
（３）図１１に示す第二実施例の警報処理では、Ｓ１１１で、カウント処理が実行され、第一区画者数と第二区画者数と第三区画者数がカウントされる。図１２及び図１３に示す第二実施例の表示処理では、Ｓ１４１（図１２参照）で、第一区画者数がカウントされ、Ｓ１４５（図１２参照）で、第二区画者数がカウントされ、Ｓ１４９（図１３参照）で、第三区画者数がカウントされる。例えば、図１３のＳ１５１が肯定された場合（Ｓ１５１：Ｙｅｓ参照）、第一通信端末３０では、前述の各処理によって取得された第一区画者数と第二区画者数と第三区画者数を、管理装置１０に送信するようにしてもよい。管理装置１０では、第一通信端末３０からの第一区画者数と第二区画者数と第三区画者数が通信部１８で受信される。ＣＰＵ１２は、通信部１８を介して第一区画者数と第二区画者数と第三区画者数を取得する。この場合、図１１のＳ１１１では、図６のＳ３１及びＳ４１と図７のＳ５１に対応する各処理は、省略してもよい。
【００９６】
（４）第一通信端末３０では、地図画面６０が表示部３８に表示される（図４及び図９のＳ９７又は図１３のＳ１５５参照）。地図画面６０は、地図画像６２と、第一区画画像６４と、第一定員と、第一区画者数と、第二区画画像６６と、第二定員と、第二区画者数と、第三区画画像６８と、第三定員と、第三区画者数を含む。地図画面６０は、図１４に示すように、更に、オブジェクト７０を含むようにしてもよい。オブジェクト７０は、管理エリアに入場しているユーザの現在位置を示す画像である。図１４に示す地図画面６０では、３個のオブジェクト７０が例示されている。３個のオブジェクト７０は、図３に示す入漁者リストで位置情報が記載されたユーザＩＤ「ＵＳＥＲ０１」、「ＵＳＥＲ０３」及び「ＵＳＥＲ２８」に対応し、前述の各ユーザＩＤに関連付けられた位置情報が示す地図画像６２上の位置に配置されている。管理装置１０では、記憶部１４に、入漁者リストに登録された各ユーザＩＤに対応するオブジェクトデータが、各ユーザＩＤに関連付けられた状態で記憶される。オブジェクトデータは、オブジェクト７０を示す画像データである。
【００９７】
管理システム１で実行される処理として第一実施例の処理が採用されるとする。この場合、図６及び図７に示す第二管理処理のＳ６１（図７参照）では、第一表示情報として、第一区画情報と第一区画画像データと第一定員と第一区画者数と第二区画情報と第二区画画像データと第二定員と第二区画者数と第三区画情報と第三区画画像データと第三定員と第三区画者数と共に、更に、次の位置情報とオブジェクトデータが、第一通信端末３０に送信される。前述の位置情報は、入漁者リストに登録された全ての位置情報である。前述のオブジェクトデータは、入漁者リストで第一表示情報として送信される位置情報に関連付けられたユーザＩＤに対応するオブジェクトデータである。第一表示情報では、位置情報とオブジェクトデータは、関連付けられる。図９に示す表示処理では、上記同様、第一表示情報が、通信部４０を介して取得され（Ｓ９３：Ｙｅｓ参照）、第一表示情報に含まれる各データがＲＡＭ３６に記憶される。図９のＳ９５では、上述した処理に加え、更に、地図データに含まれる位置情報と第一表示情報の位置情報に従い、地図画像６２上のオブジェクト７０の配置が、第一表示情報に含まれる全てのオブジェクトデータに対して特定される。更に、図９のＳ９５では、特定された配置に従い、地図データに、第一表示情報に含まれる全てのオブジェクトデータが合成される。その結果、図９のＳ９７の実行に伴い、表示部３８では、図１４に示すような地図画面６０が表示される。
【００９８】
管理システム１で実行される処理として第二実施例の処理が採用されるとする。この場合、図１０に示す第二管理処理のＳ１０７では、第二表示情報として、第一区画情報と第一区画画像データと第一定員と第二区画情報と第二区画画像データと第二定員と第三区画情報と第三区画画像データと第三定員と入漁者リストに登録された全ての位置情報と共に、更に、次のオブジェクトデータが、第一通信端末３０に送信される。前述のオブジェクトデータは、入漁者リストで第二表示情報として送信される位置情報に関連付けられたユーザＩＤに対応するオブジェクトデータである。第二表示情報では、位置情報とオブジェクトデータは、関連付けられる。図１２及び図１３に示す表示処理では、上記同様、第二表示情報が、通信部４０を介して取得され（図１２のＳ１３３：Ｙｅｓ参照）、第二表示情報に含まれる各データがＲＡＭ３６に記憶される。図１３のＳ１５３では、上述した処理に加え、更に、地図データに含まれる位置情報と第二表示情報の位置情報に従い、地図画像６２上のオブジェクト７０の配置が、第二表示情報に含まれる全てのオブジェクトデータに対して特定される。更に、図１３のＳ１５３では、特定された配置に従い、地図データに、第二表示情報に含まれる全てのオブジェクトデータが合成される。その結果、図１３のＳ１５５の実行に伴い、表示部３８では、図１４に示すような地図画面６０が表示される。
【００９９】
オブジェクトデータは、第一表示情報と第二表示情報から省略してもよい。この場合、管理装置１０では、オブジェクトデータは、記憶部１４に記憶されない。第一表示情報と第二表示情報には、入漁者リストで、第一表示情報と第二表示情報に含まれる位置情報に関連付けられたユーザＩＤが含められる。第一表示情報と第二表示情報では、位置情報とユーザＩＤは、入漁者リストでの関連付けと同様、関連付けられる。第一通信端末３０では、記憶部３４に、オブジェクト７０の素材となる画像データが記憶される。図９のＳ９５又は図１３のＳ１５３では、記憶部３４から前述の画像データが読み出される。その後、この画像データに、第一表示情報と第二表示情報に含まれるユーザＩＤが合成され、第一表示情報と第二表示情報に含まれるユーザＩＤに対応するオブジェクトデータが生成される。図９のＳ９５又は図１１のＳ１５３では、地図データに、生成されたオブジェクトデータが、上記同様、合成される。
【０１００】
オブジェクト７０は、ユーザＩＤ毎に区別された形式でなくてもよい。例えば、オブジェクトは、ユーザＩＤを含まない共通した画像としてもよい。この場合、管理装置１０又は第一通信端末３０では、１個（１種類）のオブジェクトデータが記憶される。オブジェクトデータが管理装置１０に記憶される場合、第一表示情報と第二表示情報は、１個のオブジェクトデータを含む。図９のＳ９５では、地図データに含まれる位置情報と第一表示情報の位置情報に従い、地図画像６２上のオブジェクトの配置が特定され、特定された配置に従い、地図データに、オブジェクトデータが合成される。図１３のＳ１５３では、地図データに含まれる位置情報と第二表示情報の位置情報に従い、地図画像６２上のオブジェクトの配置が特定され、特定された配置に従い、地図データに、オブジェクトデータが合成される。
【０１０１】
（５）管理リストには、予め区画情報と定員が関連付けて登録される（図２参照）。管理エリアでは、設定区画及び定員の一方又は両方が再設定されることがある。管理エリアでは、管理エリアにおける設定区画自体が見直され、設定区画数が増減されることがある。この場合、管理システム１では、管理装置１０で、管理リストの登録状態が、前述の再設定に応じて適宜更新される。例えば、第三区画をそのままとした状態で又は第三区画を省略させた状態で、第一区画の範囲と第二区画の範囲が再設定されることとなったとする。管理装置１０では、設定区画の再設定に伴い、第一区画情報と第二区画情報が更新される。即ち、第一区画情報は、再設定後の第一区画の外縁となる複数の地点に対応する複数の位置情報を含む状態へと更新される。第二区画情報は、再設定後の第二区画の外縁となる複数の地点に対応する複数の位置情報を含む状態へと更新される。これに伴い、管理リストは、更新された第一区画情報と第二区画情報が新たに登録された状態となる。管理装置１０では、更に、第一区画と第二区画の再設定に伴い、第一区画画像データが、再設定後の第一区画を示す画像データへと更新され、第二区画画像データが、再設定後の第二区画を示す画像データへと更新される。記憶部１４には、更新された第一区画画像データと第二区画画像データが新たに記憶される。
【０１０２】
上記では、管理システム１で実行される処理を、管理エリアが第一区画と第二区画と第三区画に分割された状態に対応させた形式とした。即ち、図６及び図７に示す第一実施例の第二管理処理は、第一区画を対象とする図６のＳ２９〜Ｓ３７と、第二区画を対象とする図６のＳ３９〜図７のＳ４７と、第三区画を対象とする図７のＳ４９〜Ｓ５７を含む。図８に示す第一実施例の警報処理では、第一区画を対象とするＳ７１〜Ｓ７５と、第二区画を対象とするＳ７７〜Ｓ８１と、第二区画を対象とするＳ８３〜Ｓ８７を含む。図１１の第二実施例の警報処理は、第一区画を対象とするＳ１１３〜Ｓ１１７と、第二区画を対象とするＳ１１９〜Ｓ１２３と、第三区画を対象とするＳ１２５〜Ｓ１２９を含み、Ｓ１１１で実行されるカウント処理では、図６のＳ２７及び図７のＳ５９と共に図６のＳ２９〜図７のＳ５７が実行される。図１２及び図１３に示す第二実施例の表示処理は、第一区画を対象とする図１２のＳ１３９及びＳ１４１と、第二区画を対象とする図１２のＳ１４３及びＳ１４５と、第三区画を対象とする図１３のＳ１４７及びＳ１４９を含む。
【０１０３】
例えば、第三区画が省略され、設定区画数が３個から２個とされたとする。この場合、図６のＳ３９が否定されると（Ｓ３９：Ｎｏ参照）、処理は、図７のＳ５９に移行され、図７のＳ４９〜Ｓ５７は、省略される。但し、図６のＳ３９が否定された場合（Ｓ３９：Ｎｏ参照）の移行先を、上記同様、図７のＳ４９とし、Ｓ４９を否定するようにしてもよい（Ｓ４９：Ｎｏ参照）。図８のＳ８３〜Ｓ８７は、省略される。図１１のＳ１２５〜Ｓ１２９は、省略される。但し、Ｓ８３又はＳ１２５を、否定するようにしてもよい（Ｓ８３又はＳ１２５：Ｎｏ参照）。図１２のＳ１４３が否定されると（Ｓ１４３：Ｎｏ参照）、処理は、図１３のＳ１５１に移行され、図７のＳ１４７及びＳ１４９は、省略される。但し、図１２のＳ１４３が否定された場合（Ｓ１４３：Ｎｏ参照）の移行先を、上記同様、図１３のＳ１４７とし、Ｓ１４７を否定するようにしてもよい（Ｓ１４７：Ｎｏ参照）。予め設定される設定区画数が２個である場合、管理システム１で実行される処理は、設定区画数が２個とされた前述の場合と同様とされる。
【０１０４】
この他、例えば、第四区画が設定され、設定区画数が３個から４個とされたとする。この場合、第一実施例の第二管理処理（図６及び図７参照）と第一実施例の警報処理（図８参照）と第二実施例の警報処理（図１１参照）と第二実施例の表示処理（図１２及び図１３参照）では、第四区画を対象とする処理が、例えば、第三区画を対象とする処理と同様に実行される。第四区画を対象とする処理は、例えば、図７のＳ４９が否定された場合（Ｓ４９：Ｎｏ参照）と、図８のＳ８３が否定された場合（Ｓ８３：Ｎｏ参照）又は図８のＳ８７の実行後と、図１１のＳ１２５が否定された場合（Ｓ１２５：Ｎｏ参照）又は図１１のＳ１２９の実行後と、図１３のＳ１４７が否定された場合（Ｓ１４７：Ｎｏ参照）に実行される。第四区画を対象とする処理では、管理リストに関連付けて登録された第四区画情報と第四定員が適宜用いられる。第四区画者数をカウントするカウンタが採用される。このカウンタは、ＲＡＭ１６に記憶され（第一実施例の場合）又はＲＡＭ１６とＲＡＭ３６に記憶される（第二実施例の場合）。第四区画フラグが設定され、入漁証リスト（図３参照）に「ＯＮ」又は「ＯＦＦ」が登録される。第四区画フラグの初期値は、第一区画フラグと第二区画フラグと第三区画フラグと同様、「ＯＦＦ」とされる。第四警報通知に含められる情報は、第一警報通知及び第三警報通知、又は第二警報通知と同様の情報とされる。即ち、第四警報通知に含められる情報は、第四定員に応じて設定される。予め設定される設定区画数が４個である場合、管理システム１で実行される処理は、設定区画数が４個とされた前述の場合と同様とされる。更に、設定区画数が３個から５個以上に再設定された場合、又は予め設定される設定区画数が５個以上である場合、管理システム１で実行される処理は、設定区画数が４個とされた前述の場合に準じて実行される。
【符号の説明】
【０１０５】
１  管理システム、  ３  通信回線、  １０  管理装置、  １２  ＣＰＵ
１４  記憶部、  １６  ＲＡＭ、  １８  通信部、  ２０  計時部、  ２２  バス
３０  第一通信端末、  ３２  ＣＰＵ、  ３４  記憶部、  ３６  ＲＡＭ
３８  表示部、  ４０  通信部、  ４２  バス、  ５０  第二通信端末
６０  地図画面、  ６２  地図画像、  ６４  第一区画画像、  ６６  第二区画画像
６８  第三区画画像、  ７０  オブジェクト
【図１】
2018073031.tif 000003
【図２】
2018073031.tif 000004
【図３】
2018073031.tif 000005
【図４】
2018073031.tif 000006
【図５】
2018073031.tif 000007
【図６】
2018073031.tif 000008
【図７】
2018073031.tif 000009
【図８】
2018073031.tif 000010
【図９】
2018073031.tif 000011
【図１０】
2018073031.tif 000012
【図１１】
2018073031.tif 000013
【図１２】
2018073031.tif 000014
【図１３】
2018073031.tif 000015
【図１４】
2018073031.tif 000016
【手続補正書】
【提出日】平成28年11月21日(2016.11.21)
【手続補正１】
【補正対象書類名】明細書
【補正対象項目名】０００７
【補正方法】変更
【補正の内容】
【０００７】
本発明の一側面は、管理エリアに含まれる第一区画を示す第一区画情報と、前記第一区画に対して設定された第一定員と、を関連付けて記憶し、前記管理エリアに含まれる前記第一区画とは異なる第二区画を示す第二区画情報と、前記第二区画に対して設定された第二定員と、を関連付けて記憶する記憶部と、通信部と、プロセッサと、を備え、前記プロセッサは、表示部を備え、前記管理エリアに対応する地図画像を前記表示部に表示し、前記第一区画に対応する前記地図画像上の第一範囲に、前記第一区画を示す第一区画画像と、前記第一定員と、を関連付けて表示し、前記第二区画に対応する前記地図画像上の第二範囲に、前記第二区画を示す第二区画画像と、前記第二定員と、を関連付けて表示する第一通信端末に、前記第一区画情報と、前記第一定員と、前記第二区画情報と、前記第二定員と、を前記通信部から送信させる送信処理を実行する、管理装置である。
【手続補正２】
【補正対象書類名】特許請求の範囲
【補正対象項目名】全文
【補正方法】変更
【補正の内容】
【特許請求の範囲】
【請求項１】
管理エリアに含まれる第一区画を示す第一区画情報と、前記第一区画に対して設定された第一定員と、を関連付けて記憶し、前記管理エリアに含まれる前記第一区画とは異なる第二区画を示す第二区画情報と、前記第二区画に対して設定された第二定員と、を関連付けて記憶する記憶部と、
通信部と、
プロセッサと、を備え、
前記プロセッサは、表示部を備え、前記管理エリアに対応する地図画像を前記表示部に表示し、前記第一区画に対応する前記地図画像上の第一範囲に、前記第一区画を示す第一区画画像と、前記第一定員と、を関連付けて表示し、前記第二区画に対応する前記地図画像上の第二範囲に、前記第二区画を示す第二区画画像と、前記第二定員と、を関連付けて表示する第一通信端末に、前記第一区画情報と、前記第一定員と、前記第二区画情報と、前記第二定員と、を前記通信部から送信させる送信処理を実行する、管理装置。
【請求項２】
前記プロセッサは、更に、
前記管理エリアに入場している所定のユーザが所有する第二通信端末から送信された送信元の前記第二通信端末の位置を示す位置情報を前記通信部を介して取得する取得処理と、
前記記憶部に記憶された前記第一区画情報及び前記第二区画情報と、前記取得処理で取得された前記位置情報と、に従い、前記第一区画に属する前記位置情報の数と、前記第二区画に属する前記位置情報の数と、をカウントするカウント処理と、を実行し、
前記送信処理は、前記第一範囲に、更に、前記第一区画に属する前記位置情報の数に対応する第一区画者数を関連付けて表示し、前記第二範囲に、更に、前記第二区画に属する前記位置情報の数に対応する第二区画者数を関連付けて表示する前記第一通信端末に、更に、前記第一区画者数と、前記第二区画者数と、を前記通信部から送信させる処理である、請求項１に記載の管理装置。
【請求項３】
前記プロセッサは、更に、前記管理エリアに入場している所定のユーザが所有する第二通信端末から送信された送信元の前記第二通信端末の位置を示す位置情報を前記通信部を介して取得する取得処理を実行し、
前記送信処理は、前記第一範囲に、更に、前記第一区画に属する前記位置情報の数に対応する第一区画者数を関連付けて表示し、前記第二範囲に、更に、前記第二区画に属する前記位置情報の数に対応する第二区画者数を関連付けて表示する前記第一通信端末に、更に、前記取得処理で取得された全ての前記位置情報を前記通信部から送信させる処理である、請求項１に記載の管理装置。
【請求項４】
前記記憶部は、前記第一区画画像に対応する第一区画画像データと、前記第二区画画像に対応する第二区画画像データと、を記憶し、
前記送信処理は、前記第一通信端末に、更に、前記第一区画画像データと、前記第二区画画像データと、を前記通信部から送信させる処理である、請求項１から請求項３の何れか１項に記載の管理装置。
【請求項５】
管理エリアを管理する管理システムで実行される管理方法であって、
前記管理エリアに対応する地図画像と、前記管理エリアに含まれる第一区画を示す第一区画画像と、前記第一区画に対して設定された第一定員と、前記管理エリアに含まれる前記第一区画とは異なる第二区画を示す第二区画画像と、前記第二区画に対して設定された第二定員と、を表示する表示工程を含み、
前記表示工程では、
前記第一区画に対応する前記地図画像上の第一範囲に、前記第一区画画像と、前記第一定員と、が関連付けて表示され、
前記第二区画に対応する前記地図画像上の第二範囲に、前記第二区画画像と、前記第二定員と、が関連付けて表示される、管理方法。
【請求項６】
前記管理エリアに入場している所定のユーザが所有する第二通信端末から送信された送信元の前記第二通信端末の位置を示す位置情報を取得する取得工程と、
前記第一区画を示す第一区画情報及び前記第二区画を示す第二区画情報と、前記取得工程で取得された前記位置情報と、に従い、前記第一区画に属する前記位置情報の数と、前記第二区画に属する前記位置情報の数と、をカウントするカウント工程と、を含み、
前記表示工程では、
前記第一範囲に、更に、前記第一区画に属する前記位置情報の数に対応する第一区画者数が関連付けて表示され、
前記第二範囲に、更に、前記第二区画に属する前記位置情報の数に対応する第二区画者数が関連付けて表示される、請求項５に記載の管理方法。
【請求項７】
前記第一定員と前記第一区画者数とを比較し、前記第二定員と前記第二区画者数とを比較する比較工程と、
前記比較工程で前記第一区画者数が前記第一定員より多いと判断される場合、前記第一区画に属する前記位置情報の送信元の前記第二通信端末のうちの特定の第三通信端末に、前記第一定員の超過に対応させて設定された第一警報通知を送信し、前記比較工程で前記第二区画者数が前記第二定員より多いと判断される場合、前記第二区画に属する前記位置情報の送信元の前記第二通信端末のうちの特定の第四通信端末に、前記第二定員の超過に対応させて設定された第二警報通知を送信する警報工程と、を含む、請求項６に記載の管理方法。
【手続補正書】
【提出日】平成29年4月22日(2017.4.22)
【手続補正１】
【補正対象書類名】明細書
【補正対象項目名】全文
【補正方法】変更
【補正の内容】
【発明の詳細な説明】
【技術分野】
【０００１】
本発明は、管理エリアを管理する管理システムに含まれる管理装置と、管理システムで実行される管理方法に関する。
【背景技術】
【０００２】
管理エリアの管理に関する技術が提案されている。例えば、特許文献１には、ユーザ管理方法が開示されている。ユーザ管理方法は、通信システムにて実行される。通信システムは、移動端末と管理サーバと入漁証発行サーバを含み、これら各装置は、移動パケット通信網とインターネットを介してそれぞれ接続される。移動端末は、入漁権の取得を所望するユーザが所有する携帯電話機である。管理サーバは、河川情報管理センターによって管理される。入漁証発行サーバは、河川管理漁業組合によって管理される。通信システムでは、移動端末から位置情報と画像情報を含む入漁証要求が送信されると、河川が特定され、この河川の入漁証データが移動端末に送信される。通信システムでは、移動端末のユーザに関する情報が管理され、河川において緊急事態が発生した場合、ユーザに緊急連絡情報が通知される。
【０００３】
特許文献２には、テーマパークのモバイルサービスシステムに関する技術が提案されている。特許文献３には、避難通知システムに関する技術が提案されている。
【先行技術文献】
【特許文献】
【０００４】
【特許文献１】特開２００６−２３８４１号公報
【特許文献２】特開２００４−１７８０４１号公報
【特許文献３】特開２０１５−２０３９４０号公報
【発明の概要】
【発明が解決しようとする課題】
【０００５】
特定の組織又は特定の個人によって、特定のエリアが管理されることがある。例えば、漁業協同組合によって、特定の漁場が管理される。発明者は、この管理対象となる管理エリアに対し定員を設定し、管理エリアに入場しているユーザを管理可能な技術について検討した。その際、発明者は、管理エリアを複数の区画に分割し、分割された区画毎にユーザを管理することで、細かな管理が行えると考えた。
【０００６】
本発明は、管理エリアの管理に役立つ管理装置及び管理方法を提供することを目的とする。
【課題を解決するための手段】
【０００７】
本発明の一側面は、管理エリアに含まれる第一区画を示す第一区画情報と、前記第一区画に対して設定された前記第一区画に固有の第一定員と、を関連付けて記憶し、前記管理エリアに含まれる前記第一区画とは異なる第二区画を示す第二区画情報と、前記第二区画に対して設定された前記第二区画に固有の第二定員と、を関連付けて記憶する記憶部と、通信部と、プロセッサと、を備え、前記プロセッサは、表示部を備え、前記管理エリアに対応する地図画像を前記表示部に表示し、前記第一区画に対応する前記地図画像上の第一範囲に、前記第一区画を示す第一区画画像と、前記第一定員と、を関連付けて表示し、前記第二区画に対応する前記地図画像上の第二範囲に、前記第二区画を示す第二区画画像と、前記第二定員と、を関連付けて表示する第一通信端末に、前記第一区画情報と、前記第一定員と、前記第二区画情報と、前記第二定員と、を前記通信部から送信させる第一送信処理と、前記管理エリアに入場している所定のユーザが所有する第二通信端末から所定の間隔で繰り返して送信される、送信元の前記第二通信端末のユーザに対応する識別情報と送信元の前記第二通信端末の現在位置を示す位置情報と、を前記通信部を介して取得する取得処理と、前記記憶部に記憶された前記第一区画情報及び前記第二区画情報と、前記取得処理で取得された前記位置情報と、に従い、前記位置情報が前記第一区画に属するか又は前記第二区画に属するかを判断する判断処理と、前記記憶部に記憶された前記第一区画情報及び前記第二区画情報と、前記取得処理で取得された前記位置情報と、に従い、前記第一区画に属する前記位置情報の数と、前記第二区画に属する前記位置情報の数と、をカウントするカウント処理と、前記判断処理で前記位置情報が前記第一区画に属すると判断される場合、前記第一区画に属する前記位置情報の取得に対応する第一種時刻を、前記判断処理の処理対象である前記位置情報と共に前記取得処理で取得された前記識別情報に関連付けて登録し、前記判断処理で前記位置情報が前記第二区画に属すると判断される場合、前記第二区画に属する前記位置情報の取得に対応する第二種時刻を、前記判断処理の処理対象である前記位置情報と共に前記取得処理で取得された前記識別情報に関連付けて登録する登録処理と、前記第一定員と前記第一区画に属する前記位置情報の数に対応する第一区画者数とを比較し、前記第二定員と前記第二区画に属する前記位置情報の数に対応する第二区画者数とを比較する比較処理と、前記比較処理で前記第一区画者数が前記第一定員より多いと判断される場合、前記第一種時刻が関連付けられた前記識別情報の送信元の前記第二通信端末のうち、前記第一種時刻が遅い順に、前記第一定員に対する前記第一区画者数の超過数に一致する数の前記第二通信端末を第三通信端末として特定し、前記比較処理で前記第二区画者数が前記第二定員より多いと判断される場合、前記第二種時刻が関連付けられた前記識別情報の送信元の前記第二通信端末のうち、前記第二種時刻が遅い順に、前記第二定員に対する前記第二区画者数の超過数に一致する数の前記第二通信端末を第四通信端末として特定する特定処理と、前記第三通信端末に、前記第一定員の超過に対応させて設定された第一警報通知を送信し、前記第四通信端末に、前記第二定員の超過に対応させて設定された第二警報通知を送信する第二送信処理と、を実行し、前記登録処理は、前記識別情報に関連付けて前記第一種時刻が登録されている状態で、前記第一種時刻が関連付けられた前記識別情報と同一の前記識別情報が前記取得処理で前記位置情報と共に新たに取得され、且つ新たに取得された前記位置情報が前記判断処理で前記第一区画に属すると判断される場合、登録済みの前記第一種時刻を、前記第一区画に属する前記位置情報の新たな取得に対応する前記第一種時刻に更新登録せずに登録した状態のままとし、前記識別情報に関連付けて前記第一種時刻が登録されている状態で、前記第一種時刻が関連付けられた前記識別情報と同一の前記識別情報が前記取得処理で前記位置情報と共に新たに取得され、且つ新たに取得された前記位置情報が前記判断処理で前記第二区画に属すると判断される場合、登録済みの前記第一種時刻を、前記第二区画に属する前記位置情報の新たな取得に対応する前記第二種時刻に更新登録し、前記識別情報に関連付けて前記第二種時刻が登録されている状態で、前記第二種時刻が関連付けられた前記識別情報と同一の前記識別情報が前記取得処理で前記位置情報と共に新たに取得され、且つ新たに取得された前記位置情報が前記判断処理で前記第一区画に属すると判断される場合、登録済みの前記第二種時刻を、前記第一区画に属する前記位置情報の新たな取得に対応する前記第一種時刻に更新登録し、前記識別情報に関連付けて前記第二種時刻が登録されている状態で、前記第二種時刻が関連付けられた前記識別情報と同一の前記識別情報が前記取得処理で前記位置情報と共に新たに取得され、且つ新たに取得された前記位置情報が前記判断処理で前記第二区画に属すると判断される場合、登録済みの前記第二種時刻を、前記第二区画に属する前記位置情報の新たな取得に対応する前記第二種時刻に更新登録せずに登録した状態のままとする処理である、管理装置である。
【０００８】
この管理装置によれば、第一通信端末に、第一区画情報と第一定員と第二区画情報と第二定員を送信することができる。第一通信端末では、管理装置から送信される各データを用いて、地図画像上の第一範囲に、第一区画画像と第一定員を関連付けて表示し、地図画像上の第二範囲に、第二区画画像と第二定員を関連付けて表示することができる。第一区画者数が第一定員より多い場合、第一種時刻が遅い順に、第一定員に対する第一区画者数の超過数に一致する数の第二通信端末を第三通信端末として特定することができる。第一区画者数が第一定員より多い場合、第三通信端末に第一警報通知を送信することができる。第一警報通知の受信を条件として、第三通信端末で第一報知動作を実行させることができる。第一報知動作は、第一区画者数が第一定員を超過していることを報知する動作である。第三通信端末のユーザに、第一区画からの退場を指示することができる。第一区画者数を、第一定員以下に維持することが可能となる。第二区画者数が第二定員より多い場合、第二種時刻が遅い順に、第二定員に対する第二区画者数の超過数に一致する数の第二通信端末を第四通信端末として特定することができる。第二区画者数が第二定員より多い場合、第四通信端末に第二警報通知を送信することができる。第二警報通知の受信を条件として、第四通信端末で第二報知動作を実行させることができる。第二報知動作は、第二区画者数が第二定員を超過していることを報知する動作である。第四通信端末のユーザに、第二区画からの退場を指示することができる。第二区画者数を、第二定員以下に維持することが可能となる。
【０００９】
管理装置では、前記第一送信処理は、前記第一範囲に、更に、前記第一区画者数を関連付けて表示し、前記第二範囲に、更に、前記第二区画者数を関連付けて表示する前記第一通信端末に、更に、前記第一区画者数と、前記第二区画者数と、を前記通信部から送信させる処理である、ようにしてもよい。この構成によれば、第一通信端末に、更に、第一区画者数と第二区画者数を送信することができる。第一通信端末では、管理装置から送信される各データを用いて、地図画像上の第一範囲に、第一区画画像と第一定員と第一区画者数を関連付けて表示し、地図画像上の第二範囲に、第二区画画像と第二定員と第二区画者数を関連付けて表示することができる。
【００１０】
管理装置では、前記第一送信処理は、前記第一範囲に、更に、前記第一区画者数を関連付けて表示し、前記第二範囲に、更に、前記第二区画者数を関連付けて表示する前記第一通信端末に、更に、前記取得処理で取得された全ての前記位置情報を前記通信部から送信させる処理である、ようにしてもよい。この構成によれば、第一通信端末に、更に、取得済みの全位置情報を送信することができる。第一通信端末では、管理装置から送信される第一区画情報及び第二区画情報と位置情報に従い、第一区画に属する位置情報の数と第二区画に属する位置情報の数がそれぞれカウントされる。その結果、第一通信端末では、管理装置から送信される各データと自装置でカウントされた第一区画者数及び第二区画者数を用いて、地図画像上の第一範囲に、第一区画画像と第一定員と第一区画者数を関連付けて表示し、地図画像上の第二範囲に、第二区画画像と第二定員と第二区画者数を関連付けて表示することができる。
【００１１】
管理装置では、前記記憶部は、前記第一区画画像に対応する第一区画画像データと、前記第二区画画像に対応する第二区画画像データと、を記憶し、前記第一送信処理は、前記第一通信端末に、更に、前記第一区画画像データと、前記第二区画画像データと、を前記通信部から送信させる処理である、ようにしてもよい。この構成によれば、第一通信端末に、更に、第一区画画像データと第二区画画像データを送信することができる。第一通信端末では、管理装置から送信される各データを用いて、地図画像上の第一範囲に、第一区画画像を表示し、地図画像上の第二範囲に、第二区画画像を表示することができる。
【００１２】
本発明の他の側面は、管理エリアを管理する管理システムで実行される管理方法であって、前記管理エリアに対応する地図画像と、前記管理エリアに含まれる第一区画を示す第一区画画像と、前記第一区画に対して設定された前記第一区画に固有の第一定員と、前記管理エリアに含まれる前記第一区画とは異なる第二区画を示す第二区画画像と、前記第二区画に対して設定された前記第二区画に固有の第二定員と、を表示する表示工程と、前記管理エリアに入場している所定のユーザが所有する第二通信端末から所定の間隔で繰り返して送信される、送信元の前記第二通信端末のユーザに対応する識別情報と送信元の前記第二通信端末の現在位置を示す位置情報と、を取得する取得工程と、前記第一区画を示す第一区画情報及び前記第二区画を示す第二区画情報と、前記取得工程で取得された前記位置情報と、に従い、前記位置情報が前記第一区画に属するか又は前記第二区画に属するかを判断する判断工程と、前記第一区画情報及び前記第二区画情報と、前記取得工程で取得された前記位置情報と、に従い、前記第一区画に属する前記位置情報の数と、前記第二区画に属する前記位置情報の数と、をカウントするカウント工程と、前記判断工程で前記位置情報が前記第一区画に属すると判断される場合、前記第一区画に属する前記位置情報の取得に対応する第一種時刻を、前記判断工程の処理対象である前記位置情報と共に前記取得工程で取得された前記識別情報に関連付けて登録し、前記判断工程で前記位置情報が前記第二区画に属すると判断される場合、前記第二区画に属する前記位置情報の取得に対応する第二種時刻を、前記判断工程の処理対象である前記位置情報と共に前記取得工程で取得された前記識別情報に関連付けて登録する登録工程と、前記第一定員と前記第一区画に属する前記位置情報の数に対応する第一区画者数とを比較し、前記第二定員と前記第二区画に属する前記位置情報の数に対応する第二区画者数とを比較する比較工程と、前記比較工程で前記第一区画者数が前記第一定員より多いと判断される場合、前記第一種時刻が関連付けられた前記識別情報の送信元の前記第二通信端末のうち、前記第一種時刻が遅い順に、前記第一定員に対する前記第一区画者数の超過数に一致する数の前記第二通信端末を第三通信端末として特定し、前記比較工程で前記第二区画者数が前記第二定員より多いと判断される場合、前記第二種時刻が関連付けられた前記識別情報の送信元の前記第二通信端末のうち、前記第二種時刻が遅い順に、前記第二定員に対する前記第二区画者数の超過数に一致する数の前記第二通信端末を第四通信端末として特定する特定工程と、前記第三通信端末に、前記第一定員の超過に対応させて設定された第一警報通知を送信し、前記第四通信端末に、前記第二定員の超過に対応させて設定された第二警報通知を送信する送信工程と、を含み、前記表示工程では、前記第一区画に対応する前記地図画像上の第一範囲に、前記第一区画画像と、前記第一定員と、が関連付けて表示され、前記第二区画に対応する前記地図画像上の第二範囲に、前記第二区画画像と、前記第二定員と、が関連付けて表示され、前記登録工程では、前記識別情報に関連付けて前記第一種時刻が登録されている状態で、前記第一種時刻が関連付けられた前記識別情報と同一の前記識別情報が前記取得工程で前記位置情報と共に新たに取得され、且つ新たに取得された前記位置情報が前記判断工程で前記第一区画に属すると判断される場合、登録済みの前記第一種時刻は、前記第一区画に属する前記位置情報の新たな取得に対応する前記第一種時刻に更新登録されずに登録された状態のままとされ、前記識別情報に関連付けて前記第一種時刻が登録されている状態で、前記第一種時刻が関連付けられた前記識別情報と同一の前記識別情報が前記取得工程で前記位置情報と共に新たに取得され、且つ新たに取得された前記位置情報が前記判断工程で前記第二区画に属すると判断される場合、登録済みの前記第一種時刻は、前記第二区画に属する前記位置情報の新たな取得に対応する前記第二種時刻に更新登録され、前記識別情報に関連付けて前記第二種時刻が登録されている状態で、前記第二種時刻が関連付けられた前記識別情報と同一の前記識別情報が前記取得工程で前記位置情報と共に新たに取得され、且つ新たに取得された前記位置情報が前記判断工程で前記第一区画に属すると判断される場合、登録済みの前記第二種時刻は、前記第一区画に属する前記位置情報の新たな取得に対応する前記第一種時刻に更新登録され、前記識別情報に関連付けて前記第二種時刻が登録されている状態で、前記第二種時刻が関連付けられた前記識別情報と同一の前記識別情報が前記取得工程で前記位置情報と共に新たに取得され、且つ新たに取得された前記位置情報が前記判断工程で前記第二区画に属すると判断される場合、登録済みの前記第二種時刻は、前記第二区画に属する前記位置情報の新たな取得に対応する前記第二種時刻に更新登録されずに登録された状態のままとされる、管理方法である。
【００１３】
この管理方法によれば、第一区画情報と第一区画画像と第一定員と第二区画情報と第二区画画像と第二定員を用いて、地図画像上の第一範囲に、第一区画画像と第一定員を関連付けて表示し、地図画像上の第二範囲に、第二区画画像と第二定員を関連付けて表示することができる。第一区画者数が第一定員より多い場合、第一種時刻が遅い順に、第一定員に対する第一区画者数の超過数に一致する数の第二通信端末を第三通信端末として特定することができる。第一区画者数が第一定員より多い場合、第三通信端末に第一警報通知を送信することができる。第一警報通知の受信を条件として、第三通信端末で第一報知動作を実行させることができる。第一報知動作は、第一区画者数が第一定員を超過していることを報知する動作である。第三通信端末のユーザに、第一区画からの退場を指示することができる。第一区画者数を、第一定員以下に維持することが可能となる。第二区画者数が第二定員より多い場合、第二種時刻が遅い順に、第二定員に対する第二区画者数の超過数に一致する数の第二通信端末を第四通信端末として特定することができる。第二区画者数が第二定員より多い場合、第四通信端末に第二警報通知を送信することができる。第二警報通知の受信を条件として、第四通信端末で第二報知動作を実行させることができる。第二報知動作は、第二区画者数が第二定員を超過していることを報知する動作である。第四通信端末のユーザに、第二区画からの退場を指示することができる。第二区画者数を、第二定員以下に維持することが可能となる。
【００１４】
管理方法は、前記表示工程では、前記第一範囲に、更に、前記第一区画者数が関連付けて表示され、前記第二範囲に、更に、前記第二区画者数が関連付けて表示される、ようにしてもよい。この構成によれば、第一区画情報と第一区画画像と第一定員と第一区画者数と第二区画情報と第二区画画像と第二定員と第二区画者数を用いて、地図画像上の第一範囲に、第一区画画像と第一定員と第一区画者数を関連付けて表示し、地図画像上の第二範囲に、第二区画画像と第二定員と第二区画者数を関連付けて表示することができる。
【発明の効果】
【００１５】
本発明によれば、管理エリアの管理に役立つ管理装置及び管理方法を得ることができる。
【図面の簡単な説明】
【００１６】
【図１】管理システムの概略構成の一例を示す図である。
【図２】管理リストの一例を示す図である。
【図３】入漁者リストの一例を示す図である。
【図４】第一通信端末で表示される地図画面の一例を示す図である。
【図５】第一管理処理のフローチャートである。
【図６】第一実施例の第二管理処理の第一部分のフローチャートである。
【図７】第一実施例の第二管理処理の第二部分のフローチャートである。
【図８】第一実施例の警報処理のフローチャートである。
【図９】第一実施例の表示処理のフローチャートである。
【図１０】第二実施例の第二管理処理のフローチャートである。
【図１１】第二実施例の警報処理のフローチャートである。
【図１２】第二実施例の表示処理の第一部分のフローチャートである。
【図１３】第二実施例の表示処理の第二部分のフローチャートである。
【図１４】第一通信端末で表示される地図画面の他の例を示す図である。
【発明を実施するための形態】
【００１７】
本発明を実施するための実施形態について、図面を用いて説明する。本発明は、以下に記載の構成に限定されるものではなく、同一の技術的思想において種々の構成を採用することができる。例えば、以下に示す構成の一部は、省略し又は他の構成等に置換してもよい。他の構成を含むようにしてもよい。
【００１８】
＜管理システム＞
管理システム１の概略構成について、図１を参照して説明する。管理システム１では、管理エリアに入場しているユーザが管理される。前述のユーザは、管理エリアに入場している入場者ともいえる。管理システム１の管理対象となる管理エリアは、屋外の特定のエリアとされる。但し、管理エリアは、屋内の特定のエリアであってもよい。実施形態では、管理システム１で管理対象となる管理エリアを、漁場としての所定の河川の特定のエリアとする。このような管理エリアには、特定の出入口が設けられておらず、管理エリアへの入場と管理エリアからの退場は、自由に行える。このような管理エリアは、例えば、所定の漁業協同組合によって管理される。漁業協同組合は、例えば、所定の料金を支払ったユーザが管理エリア内で釣りを行うことを承認する。承認されたユーザには、承認されたことを示す承認証が発行される。実施形態では、前述の承認証を、「入漁証」といい、入漁証は、電子的な媒体とする。電子的な入漁証は、例えば、インターネット上の所定のサイトで販売される。このサイトは、例えば、漁業協同組合から入漁証の発行の許諾を受けた組織又は個人によって運営される。但し、このサイトは、漁業協同組合によって運営されてもよい。このような入漁証発行システムは、例えば、特許文献１に記載されているように、公知のシステムである。従って、入漁証の発行に関する説明は、省略する。実施形態では、入漁証の承認主体の漁業協同組合を、単に「漁業協同組合」という。
【００１９】
管理システム１では、１箇所の管理エリアの管理は、この管理エリアを複数の区画に分割して行われる。分割された各区画には、所定の数の定員が設定される。各区画に対する定員は、諸条件を考慮して適宜設定される。定員の設定には、例えば、各区画における最大ユーザ数が考慮される。定員として設定される値は、「０」であってもよい。例えば、稚魚が多く生息している区画には、定員「０」が設定される。実施形態では、１箇所の管理エリアが３個の区画に分割された場合を例として説明する。分割された各区画を、「第一区画」、「第二区画」及び「第三区画」という。第一区画と第二区画と第三区画を区別しない場合、又はこれらを総称する場合、「設定区画」という。第一区画に設定される定員を、「第一定員」という。第二区画に設定される定員を、「第二定員」という。第三区画に設定される定員を、「第三定員」という。
【００２０】
管理システム１は、管理装置１０と、第一通信端末３０と、第二通信端末５０を含む。管理装置１０は、管理システム１の管理拠点に設けられる。第一通信端末３０は、例えば、管理エリアを巡回し監視する漁業協同組合によって利用される。第二通信端末５０は、管理エリアに入場するユーザによって利用される。管理エリアに入場するユーザは、管理エリアとなる河川で釣りをする釣り人である。管理システム１における第二通信端末５０の台数は、管理エリアに入場しているユーザ数に対応する。例えば、管理エリアに入場しているユーザ数が３０人である場合、管理システム１は、３０台の第二通信端末５０を含む。管理装置１０と第一通信端末３０と第二通信端末５０は、通信回線３に接続される。例えば、管理装置１０は、通信回線３に有線接続され、第一通信端末３０と第二通信端末５０は、通信回線３に無線接続される。但し、管理装置１０は、通信回線３に無線接続されてもよい。第一通信端末３０は、通信回線３に有線接続されてもよい。管理システム１では、管理装置１０と第一通信端末３０の間で、所定のデータが通信回線３を介して通信される。管理装置１０と第二通信端末５０の間で、所定のデータが通信回線３を介して通信される。
【００２１】
実施形態で、通信回線３は、特定の通信回線を意味するものではなく、公知である各種の通信回線を総称するものである。従って、管理装置１０と第一通信端末３０の間の通信に用いられる通信回線と、管理装置１０と第二通信端末５０の間の通信に用いられる通信回線は、同一の通信回線又は異なる通信回線の何れであってもよい。但し、実施形態に示す例では、漁業協同組合が管理する上述の管理エリアが管理対象とされている。この場合、通信回線３は、所定の通信事業者が提供する広域通信回線を含む。
【００２２】
管理システム１では、ユーザＩＤとパスワードが関連付けられ、管理装置１０に記憶される。ユーザＩＤは、入漁証を所有するユーザに対応する識別情報であり、パスワードは、このユーザＩＤに対応する認証情報である。ユーザＩＤとパスワードの関連付け及び記憶は、例えば、次のように行われる。即ち、第二通信端末５０を所有するユーザは、第二通信端末５０を操作し、前述のサイトで入漁証を購入する。購入された入漁証は、第二通信端末５０にダウンロードされる。第二通信端末５０には、例えば、管理システム１に対応する専用のアプリケーションプログラムがインストールされている。実施形態では、第二通信端末５０にインストールされた前述のアプリケーションプログラムを、「入漁証プログラム」という。ダウンロードされた入漁証は、入漁証プログラムに登録される。入漁証プログラムは、入漁証の登録に伴い有効な状態となる。その後、第二通信端末５０では、ユーザＩＤとパスワードの初期設定が開始される。第二通信端末５０のユーザは、ユーザＩＤとパスワードを入力する。入力されたユーザＩＤとパスワードは、第二通信端末５０から管理装置１０に送信される。管理装置１０では、第二通信端末５０からのユーザＩＤとパスワードが関連付けて記憶される（図３参照）。ユーザＩＤとパスワードの関連付け及び記憶に関し、前述の手法は、例示である。従って、管理システム１では、ユーザＩＤとパスワードの関連付け及び記憶は、これとは異なる手法にて行われてもよい。
【００２３】
第二通信端末５０では、入漁証プログラムの起動時、ユーザＩＤとパスワードが入力される。入力されたユーザＩＤとパスワードは、第二通信端末５０から管理装置１０に送信される。管理装置１０では、ユーザＩＤとパスワードを用いた認証が実行され、認証結果がユーザＩＤとパスワードの送信元である第二通信端末５０に送信される。第二通信端末５０では、認証が成功した場合、次のような処理が開始される。即ち、第二通信端末５０では、ユーザＩＤと自装置の現在位置を示す位置情報の送信が開始される。第二通信端末５０は、ＧＰＳ（Global Positioning System）に対応し、且つ入漁証プログラムを実行可能な通信端末である。第二通信端末５０では、ＧＰＳを利用することで、自装置の現在位置を示す位置情報が取得される。このような機能を有する第二通信端末５０としては、スマートフォンが例示される。実施形態では、第二通信端末５０は、スマートフォンとする。第二通信端末５０は、入漁証プログラムがインストールされている点を除き、ハードウェア的には、公知のスマートフォンと同じである。第二通信端末５０に関する説明は、適宜省略する。
【００２４】
＜管理装置＞
管理装置１０について、図１〜図３を参照して説明する。管理装置１０は、図１に示すように、ＣＰＵ１２と、記憶部１４と、ＲＡＭ１６と、通信部１８と、計時部２０を備える。ＣＰＵ１２と記憶部１４とＲＡＭ１６と通信部１８と計時部２０は、バス２２に接続される。ＣＰＵ１２は、演算処理を実行する。記憶部１４は、コンピュータが読み取り可能な記憶媒体である。記憶部１４としては、ハードディスク及び／又はフラッシュメモリが例示される。この他、記憶部１４は、ＲＯＭを含む構成であってもよい。記憶部１４には、各種のプログラムが記憶される。例えば、ＯＳ（Operating System）と各種のアプリケーションプログラムが記憶部１４に記憶される。記憶部１４に記憶されるアプリケーションプログラムには、管理プログラムが含まれる。管理プログラムは、所定のサーバ装置を、管理システム１における管理装置１０として動作させるプログラムである。管理プログラムには、第一管理処理（図５参照）のプログラムと、第二管理処理（図６及び図７（第一実施例）又は図１０（第二実施例）参照）のプログラムが含まれる。第二管理処理のプログラムには、警報処理（図８（第一実施例）又は図１１（第二実施例）参照）のプログラムが含まれる。管理プログラムは、管理システム１の構築に際し、記憶部１４に事前にインストールされる。
【００２５】
記憶部１４には、管理プログラムに対応付けて、第一区画画像データと第二区画画像データと第三区画画像データが記憶される。第一区画画像データは、第一区画画像６４を示す画像データである。第一区画画像６４は、第一区画を示す画像である（図４参照）。第二区画画像データは、第二区画画像６６を示す画像データである。第二区画画像６６は、第二区画を示す画像である（図４参照）。第三区画画像データは、第三区画画像６８を示す画像データである。第三区画画像６８は、第三区画を示す画像である（図４参照）。更に、記憶部１４には、管理プログラムに対応付けて、管理リストと入漁者リストが記憶される。管理リストには、区画情報と定員が関連付けて登録される（図２参照）。区画情報は、設定区画を示す情報である。区画情報は、複数の位置情報を含む。区画情報に含まれる複数の位置情報は、設定区画の外縁となる複数の地点に対応する。即ち、区画情報は、設定区画の範囲を定義する複数の位置情報を含む。実施形態では、第一区画を示す区画情報を、「第一区画情報」という。第二区画を示す区画情報を、「第二区画情報」という。第三区画を示す区画情報を、「第三区画情報」という。図２に示す管理リストでは、第一区画に対する第一定員として「２０」が設定され、第二区画に対する第二定員として「０」が設定され、第三区画に対する第三定員として「１０」が設定されている。
【００２６】
入漁者リストには、識別番号とユーザＩＤとパスワードと位置情報と設定区画フラグと更新時刻が関連付けて登録される（図３参照）。識別番号は、入漁者リストの各レコードを識別する番号である。入漁者リストに登録されるユーザＩＤとパスワードは、例えば、上述した初期設定が開始された第二通信端末５０から管理装置１０に送信されたユーザＩＤとパスワードである。図３に示す入漁者リストは、合計２８人に対して、入漁証が発行されている場合に対応する。
【００２７】
第二通信端末５０では、入漁証プログラムの起動後、ユーザＩＤと位置情報が管理装置１０に送信される。管理装置１０では、第二通信端末５０からの位置情報が、入漁者リストに登録される。このとき、位置情報は、この位置情報と共に受信されたユーザＩＤに一致するユーザＩＤに関連付けて登録される。例えば、第二通信端末５０からのユーザＩＤが「ＵＳＥＲ０１」で位置情報が「北緯３６°６′３０″  東経１３６°１５′３５″」である場合、入漁者リストには、位置情報「北緯３６°６′３０″  東経１３６°１５′３５″」が、ユーザＩＤ「ＵＳＥＲ０１」に関連付けて登録される（図３で、識別番号「１」のレコード参照）。図３に示す入漁者リストでは、ユーザＩＤ「ＵＳＥＲ０２」に関連付けられた位置情報として、「−」が記載されている。これは、ユーザＩＤが「ＵＳＥＲ０２」であるユーザが所有する第二通信端末５０からユーザＩＤと位置情報が送信されていないことを示す。入漁証プログラムが起動されていない第二通信端末５０では、ユーザＩＤと位置情報は、送信されない。
【００２８】
設定区画フラグは、入漁者リストに登録された位置情報が、第一区画、第二区画及び第三区画の何れの設定区画に属するかを示す情報である。設定区画フラグは、第一区画フラグと、第二区画フラグと、第三区画フラグを含む。図３では、第一区画フラグは、「第一区画」と記載され、第二区画フラグは、「第二区画」と記載され、第三区画フラグは、「第三区画」と記載されている。第一区画フラグと第二区画フラグと第三区画フラグの初期値は、「ＯＦＦ」とされる。位置情報が第一区画に属する場合、第一区画フラグが「ＯＮ」とされ、第二区画フラグ及び第三区画フラグは「ＯＦＦ」とされる。位置情報が第二区画に属する場合、第二区画フラグが「ＯＮ」とされ、第一区画フラグ及び第三区画フラグは「ＯＦＦ」とされる。位置情報が第三区画に属する場合、第三区画フラグが「ＯＮ」とされ、第一区画フラグ及び第二区画フラグは「ＯＦＦ」とされる。実施形態では、第一区画フラグと第二区画フラグと第三区画フラグを区別しない場合、又はこれらを総称する場合、「設定区画フラグ」という。更新時刻は、第一区画フラグと第二区画フラグと第三区画フラグのうちの何れかの設定区画フラグが「ＯＦＦ」から「ＯＮ」に更新された時刻である。図３に示す入漁者リストに登録された各位置情報は、説明用の単なる例示にすぎず、正確性が考慮されたものではない。
【００２９】
ＲＡＭ１６は、ＣＰＵ１２が各種のプログラムを実行する際に利用される記憶領域となる。ＲＡＭ１６には、処理の実行途中に、処理で利用される所定のデータ及び情報が所定の領域に記憶される。例えば、管理リストと入漁者リストが、記憶部１４から読み出され、ＲＡＭ１６に記憶される。管理装置１０では、ＣＰＵ１２が記憶部１４に記憶されたＯＳと上述した管理プログラムを実行する等して、管理装置１０を制御する。これにより、管理装置１０では、各種の処理が実行される。
【００３０】
通信部１８は、管理装置１０を通信回線３に接続し、通信回線３を介したデータ通信を行う。管理装置１０では、通信部１８を介して、第一通信端末３０と第二通信端末５０のそれぞれとの間で各種のデータが通信される。計時部２０は、現在時刻と、時間の経過を計測する。計時部２０は、ＯＳが有する時計機能とタイマ機能によって構成されてもよい。この場合、計時部２０は、ソフトウェアによる構成とされる。管理装置１０は、上述した管理プログラムが記憶部１４に記憶されている点が、公知のサーバ装置と相違する。但し、管理装置１０は、ハードウェア的には、公知のサーバ装置と同じである。従って、管理装置１０は、更に、公知のサーバ装置が備える構成を備える。
【００３１】
＜第一通信端末＞
第一通信端末３０について、図１及び図４を参照して説明する。第一通信端末３０は、図１に示すように、ＣＰＵ３２と、記憶部３４と、ＲＡＭ３６と、表示部３８と、通信部４０を備える。ＣＰＵ３２と記憶部３４とＲＡＭ３６と表示部３８と通信部４０は、バス４２に接続される。ＣＰＵ３２は、演算処理を実行する。記憶部３４は、コンピュータが読み取り可能な記憶媒体である。記憶部３４としては、ハードディスク及び／又はフラッシュメモリが例示される。この他、記憶部３４は、ＲＯＭを含む構成であってもよい。記憶部３４には、各種のプログラムが記憶される。例えば、ＯＳ（Operating System）と各種のアプリケーションプログラムが記憶部３４に記憶される。記憶部３４に記憶されるアプリケーションプログラムには、Ｗｅｂブラウザと、表示プログラムが含まれる。Ｗｅｂブラウザは、インターネット上の所定のサイトから所定のデータを取得する。表示プログラムは、例えば、タブレット端末若しくはスマートフォン、又はデスクトップ型若しくはノート型のパーソナルコンピュータのような所定の通信端末を、管理システム１における第一通信端末３０として動作させるプログラムである。表示プログラムには、表示処理（図９又は図１２及び図１３参照）のプログラムが含まれる。表示プログラムは、管理システム１の構築に際し、記憶部３４に事前にインストールされる。
【００３２】
ＲＡＭ３６は、ＣＰＵ３２が各種のプログラムを実行する際に利用される記憶領域となる。ＲＡＭ３６には、処理の実行途中に、処理で利用される所定のデータ及び情報が所定の領域に記憶される。例えば、地図画像６２に対応する地図データがＲＡＭ３６に記憶される。地図画像６２は、管理エリアに対応する地図の画像である（図４参照）。第一通信端末３０では、地図データは、地図の提供サービスを実施するインターネット上のサイトから取得される。前述のサイトとしては、Ｇｏｏｇｌｅ  Ｉｎｃ．が提供するＧｏｏｇｌｅ（登録商標）マップが例示される。但し、地図データは、記憶部３４に記憶されてもよい。この場合、地図データは、記憶部３４から読み出され、ＲＡＭ３６に記憶される。更に、管理装置１０から送信された各種のデータがＲＡＭ３６に記憶される。第一通信端末３０では、ＣＰＵ３２が記憶部３４に記憶されたＯＳと上述した表示プログラムを実行する等して、第一通信端末３０を制御する。これにより、第一通信端末３０では、各種の処理が実行される。
【００３３】
表示部３８は、液晶ディスプレイである。但し、表示部３８は、液晶ディスプレイとは異なる表示装置であってもよい。表示部３８には、各種の情報が表示される。表示部３８には、地図画面６０が表示される。地図画面６０は、図４に示すように、地図画像６２と、第一区画画像６４と、第一定員と、第一区画者数と、第二区画画像６６と、第二定員と、第二区画者数と、第三区画画像６８と、第三定員と、第三区画者数を含む。第一区画者数は、第一区画に属する位置情報の数に対応する数である。換言すれば、第一区画者数は、第一区画にいるユーザ数である。第二区画者数は、第二区画に属する位置情報の数に対応する数である。換言すれば、第二区画者数は、第二区画にいるユーザ数である。第三区画者数は、第三区画に属する位置情報の数に対応する数である。換言すれば、第三区画者数は、第三区画にいるユーザ数である。地図画面６０では、第一区画に対応する地図画像６２上の第一範囲に、第一区画画像６４と第一定員と第一区画者数が関連付けて表示される。地図画面６０では、第二区画に対応する地図画像６２上の第二範囲に、第二区画画像６６と第二定員と第二区画者数が関連付けて表示される。地図画面６０では、第三区画に対応する地図画像６２上の第三範囲に、第三区画画像６８と第三定員と第三区画者数が関連付けて表示される。図４に示す地図画面６０では、図２に示す管理リストに対応させ、第一定員が「２０人」とされ、第二定員が「０人」とされ、第三定員が「１０人」とされている。図４に示す地図画面６０では、第一区画者数が「１５人」とされ、第二区画者数が「１人」とされ、第三区画者数が「１１人」とされている。但し、これら各人数は、例示である。
【００３４】
通信部４０は、管理装置１０を通信回線３に接続し、通信回線３を介したデータ通信を行う。第一通信端末３０では、通信部４０を介して、管理装置１０との間で各種のデータが通信される。第一通信端末３０は、上述した表示プログラムが記憶部３４に記憶されている点が、タブレット端末若しくはスマートフォン、又はデスクトップ型若しくはノート型のパーソナルコンピュータのような公知の通信端末と相違する。但し、第一通信端末３０は、ハードウェア的には、公知の通信端末と同じである。従って、第一通信端末３０は、更に、公知の通信端末が備える構成を備える。
【００３５】
＜管理システムで実行される処理＞
管理システム１で、管理方法が実施される場合に実行される処理について、説明する。管理方法は、表示工程と、取得工程と、カウント工程と、比較工程と、警報工程を含む。表示工程は、地図画面６０を表示させる工程である。取得工程では、第二通信端末５０から送信される位置情報が取得される。第二通信端末５０では、上述した通り、位置情報と共にユーザＩＤも送信される。カウント工程では、第一区画者数と第二区画者数と第三区画者数がカウントされる。比較工程では、第一区画者数と第一定員が比較され、第二区画者数と第二定員が比較され、第三区画者数と第三定員が比較される。警報工程では、第一警報通知が送信され、第二警報通知が送信され、第三警報通知が送信される。第一警報通知と第二警報通知と第三警報通知については、後述する。
【００３６】
管理方法の実施時に管理システム１で実行される処理としては、第一管理処理と第二管理処理と表示処理が挙げられる。第二管理処理では、警報処理が実行される。管理装置１０では、例えば、ＯＳの起動に伴い管理プログラムが起動され、その後、第一管理処理と第二管理処理が実行される。管理装置１０では、第一管理処理と第二管理処理が常時実行されてもよい。第一通信端末３０では、表示プログラムの起動指示が受け付けられた場合、表示プログラムが起動され、その後、表示処理が実行される。
【００３７】
管理装置１０で第一管理処理と第二管理処理が実行され、第一通信端末３０で表示処理が実行されている場合、第二通信端末５０では、上述した通り、次のような処理が実行される。即ち、第二通信端末５０では、入漁証プログラムの起動指示が受け付けられた場合、入漁証プログラムが起動され、ユーザＩＤとパスワードの入力画面が表示される。その後、第二通信端末５０では、入力画面の表示に伴いユーザＩＤとパスワードが受け付けられる。受け付けられたユーザＩＤとパスワードは、管理装置１０に送信される。管理装置１０では、第二通信端末５０からのユーザＩＤとパスワードの組み合わせが入漁者リストに登録されているか否かが判断される。前述の組み合わせが入漁者リストに登録されていない場合、管理装置１０では、失敗通知が第二通信端末５０に送信される。第二通信端末５０では、失敗通知が受信された場合、ユーザＩＤとパスワードの再入力画面が表示され、ユーザＩＤとパスワードが、再度、受け付けられる。受け付けられたユーザＩＤとパスワードは、再度、管理装置１０に送信される。
【００３８】
第二通信端末５０からのユーザＩＤとパスワードの組み合わせが入漁者リストに登録されている場合、管理装置１０では、成功通知が第二通信端末５０に送信される。第二通信端末５０では、成功通知が受信された場合、ユーザＩＤと位置情報の送信が開始される。第二通信端末５０では、ユーザＩＤと位置情報が所定の間隔で繰り返して送信される。
【００３９】
以下では、管理システム１で実行される処理として、２つの実施例を説明する。２つの実施例の相違は、第一区画者数と第二区画者数と第三区画者数をカウントする装置が異なる点である。即ち、第一実施例では、第一区画者数と第二区画者数と第三区画者数は、管理装置１０によってカウントされる。第二実施例では、第一区画者数と第二区画者数と第三区画者数は、管理装置１０と第一通信端末３０によってカウントされる。実施形態では、管理プログラムの実行を終了させる指示を、「第一終了指示」といい、表示プログラムの実行を終了させる指示を、「第二終了指示」という。
【００４０】
＜第一実施例＞
管理システム１で実行される第一実施例の処理として、第一管理処理と第二管理処理と警報処理と表示処理について、説明する。
【００４１】
＜第一管理処理＞
第一管理処理について、図５を参照して説明する。第一管理処理を開始させたＣＰＵ１２は、ユーザＩＤと位置情報が取得されたか否かを判断する（Ｓ１１）。上述した通り、ユーザＩＤと位置情報は、成功通知を受信した第二通信端末５０から送信され、通信部１８で受信される。ＣＰＵ１２は、通信部１８を介してユーザＩＤと位置情報を取得する。ユーザＩＤと位置情報が取得されていない場合（Ｓ１１：Ｎｏ）、ＣＰＵ１２は、Ｓ１１を繰り返して実行する。
【００４２】
ユーザＩＤと位置情報が取得された場合（Ｓ１１：Ｙｅｓ）、ＣＰＵ１２は、入漁者リストに、ユーザＩＤと共に取得された位置情報を登録する（Ｓ１３）。このとき、位置情報は、登録対象の位置情報と共に取得されたユーザＩＤに一致するユーザＩＤに関連付けて登録される。既に、位置情報が登録されている場合、位置情報と共に取得されたユーザＩＤに一致するユーザＩＤに関連付けて登録済みの位置情報は、今回取得された新たな位置情報に更新される。例えば、ユーザＩＤ「ＵＳＥＲ０１」と位置情報「北緯３６°６′３０″  東経１３６°１５′３５″」が新たに取得されたとする。この場合、ＣＰＵ１２は、ユーザＩＤ「ＵＳＥＲ０１」に関連付けられた位置情報として、位置情報「北緯３６°６′３０″  東経１３６°１５′３５″」を登録する（図３参照）。
【００４３】
Ｓ１３を実行した後、ＣＰＵ１２は、処理をＳ１１に戻す。その後、ＣＰＵ１２は、再度、Ｓ１１以降の処理を実行する。第一管理処理は、管理装置１０で第一終了指示が受け付けられるまで、繰り返して実行される。
【００４４】
＜第二管理処理＞
第二管理処理について、図６及び図７を参照して説明する。第二管理処理を開始させたＣＰＵ１２は、計時部２０による計測時間と、第一カウンタと第二カウンタと第三カウンタの各値を、初期化する（Ｓ２１）。第一カウンタは、第一区画者数をカウントするカウンタである。第二カウンタは、第二区画者数をカウントするカウンタである。第三カウンタは、第三区画者数をカウントするカウンタである。実施形態では、第一カウンタと第二カウンタと第三カウンタは、ＲＡＭ１６に記憶される。ＣＰＵ１２は、ＲＡＭ１６に、後述するＳ２７で記憶された識別番号が記憶されている場合、これを消去する。
【００４５】
続けて、ＣＰＵ１２は、計時部２０による時間の計測を開始させる（Ｓ２３）。即ち、ＣＰＵ１２は、計測指令を計時部２０に出力する。これに伴い、計時部２０では、時間の計測が開始される。実施形態では、Ｓ２３の実行に伴い計時部２０で計測される時間を、「計測時間」という。その後、ＣＰＵ１２は、計測時間が基準時間となり又は計測時間が基準時間を経過したか否かを判断する（Ｓ２５）。基準時間は、後述する図７のＳ６１を繰り返して実行させる間隔として予め設定され、第二管理処理のプログラムに登録されている。計測時間が基準時間に満たない場合（Ｓ２５：Ｎｏ）、ＣＰＵ１２は、Ｓ２５を繰り返して実行する。
【００４６】
計測時間が基準時間となり又は計測時間が基準時間を経過している場合（Ｓ２５：Ｙｅｓ）、ＣＰＵ１２は、入漁者リストに登録された位置情報のうちの１つを処理対象として選択する（Ｓ２７）。処理対象として選択される位置情報は、Ｓ２９〜図７のＳ５７の処理の対象とされていない位置情報のうちの１つである。例えば、ＣＰＵ１２は、入漁者リストに登録された位置情報を、入漁者リストの識別番号の値が小さいレコードに登録された位置情報から順に処理対象として選択する。ＣＰＵ１２は、処理対象として選択された位置情報が登録されたレコードの識別番号を、ＲＡＭ１６に記憶する。続けて、ＣＰＵ１２は、処理対象の位置情報が第一区画情報に属するか否かを判断する（Ｓ２９）。位置情報が第一区画情報に属するとは、処理対象の位置情報が第一区画情報に含まれる第一区画を定義する複数の位置情報の範囲内であることを意味する。即ち、位置情報が第一区画情報に属するとは、処理対象の位置情報が示すユーザの現在位置が第一区画内の所定の位置であることを意味する。処理対象の位置情報が第一区画情報に属さない場合（Ｓ２９：Ｎｏ）、ＣＰＵ１２は、処理をＳ３９に移行する。
【００４７】
処理対象の位置情報が第一区画情報に属する場合（Ｓ２９：Ｙｅｓ）、ＣＰＵ１２は、第一カウンタによってカウントされる第一区画者数を１増加させる（Ｓ３１）。続けて、ＣＰＵ１２は、入漁者リストで、処理対象の位置情報に関連付けられた設定区画フラグのうちの第一区画フラグが「ＯＮ」であるか否かを判断する（Ｓ３３）。第一区画フラグが「ＯＦＦ」であり、「ＯＮ」でない場合（Ｓ３３：Ｎｏ）、ＣＰＵ１２は、入漁者リストで処理対象の位置情報に関連付けられた第一区画フラグを「ＯＮ」に更新する（Ｓ３５）。ＣＰＵ１２は、入漁者リストで処理対象の位置情報に関連付けられた第二区画フラグ又は第三区画フラグが「ＯＮ」である場合、「ＯＮ」である第二区画フラグ又は第三区画フラグを「ＯＦＦ」に更新する。更に、ＣＰＵ１２は、計時部２０から現在時刻を取得し、入漁者リストで処理対象の位置情報に関連付けられた更新時刻を、取得された現在時刻に更新する（Ｓ３７）。第一区画フラグが「ＯＮ」である場合（Ｓ３３：Ｙｅｓ）、又はＳ３７を実行した後、ＣＰＵ１２は、処理を図７のＳ５９に移行する。
【００４８】
Ｓ３９でＣＰＵ１２は、処理対象の位置情報が第二区画情報に属するか否かを判断する。位置情報が第二区画情報に属するとは、処理対象の位置情報が第二区画情報に含まれる第二区画を定義する複数の位置情報の範囲内であることを意味する。即ち、位置情報が第二区画情報に属するとは、処理対象の位置情報が示すユーザの現在位置が第二区画内の所定の位置であることを意味する。処理対象の位置情報が第二区画情報に属さない場合（Ｓ３９：Ｎｏ）、ＣＰＵ１２は、処理を図７のＳ４９に移行する。
【００４９】
処理対象の位置情報が第二区画情報に属する場合（Ｓ３９：Ｙｅｓ）、ＣＰＵ１２は、第二カウンタによってカウントされる第二区画者数を１増加させる（Ｓ４１）。続けて、ＣＰＵ１２は、入漁者リストで、処理対象の位置情報に関連付けられた設定区画フラグのうちの第二区画フラグが「ＯＮ」であるか否かを判断する（図７のＳ４３）。第二区画フラグが「ＯＦＦ」であり、「ＯＮ」でない場合（Ｓ４３：Ｎｏ）、ＣＰＵ１２は、入漁者リストで処理対象の位置情報に関連付けられた第二区画フラグを「ＯＮ」に更新する（Ｓ４５）。ＣＰＵ１２は、入漁者リストで処理対象の位置情報に関連付けられた第一区画フラグ又は第三区画フラグが「ＯＮ」である場合、「ＯＮ」である第一区画フラグ又は第三区画フラグを「ＯＦＦ」に更新する。更に、ＣＰＵ１２は、計時部２０から現在時刻を取得し、入漁者リストで処理対象の位置情報に関連付けられた更新時刻を、取得された現在時刻に更新する（Ｓ４７）。第二区画フラグが「ＯＮ」である場合（Ｓ４３：Ｙｅｓ）、又はＳ４７を実行した後、ＣＰＵ１２は、処理をＳ５９に移行する。
【００５０】
Ｓ４９でＣＰＵ１２は、処理対象の位置情報が第三区画情報に属するか否かを判断する。位置情報が第三区画情報に属するとは、処理対象の位置情報が第三区画情報に含まれる第三区画を定義する複数の位置情報の範囲内であることを意味する。即ち、位置情報が第三区画情報に属するとは、処理対象の位置情報が示すユーザの現在位置が第三区画内の所定の位置であることを意味する。処理対象の位置情報が第三区画情報に属さない場合（Ｓ４９：Ｎｏ）、ＣＰＵ１２は、処理をＳ５９に移行する。
【００５１】
処理対象の位置情報が第三区画情報に属する場合（Ｓ４９：Ｙｅｓ）、ＣＰＵ１２は、第三カウンタによってカウントされる第三区画者数を１増加させる（Ｓ５１）。続けて、ＣＰＵ１２は、入漁者リストで、処理対象の位置情報に関連付けられた設定区画フラグのうちの第三区画フラグが「ＯＮ」であるか否かを判断する（Ｓ５３）。第三区画フラグが「ＯＦＦ」であり、「ＯＮ」でない場合（Ｓ５３：Ｎｏ）、ＣＰＵ１２は、入漁者リストで処理対象の位置情報に関連付けられた第三区画フラグを「ＯＮ」に更新する（Ｓ５５）。ＣＰＵ１２は、入漁者リストで処理対象の位置情報に関連付けられた第一区画フラグ又は第二区画フラグが「ＯＮ」である場合、「ＯＮ」である第一区画フラグ又は第二区画フラグを「ＯＦＦ」に更新する。更に、ＣＰＵ１２は、計時部２０から現在時刻を取得し、入漁者リストで処理対象の位置情報に関連付けられた更新時刻を、取得された現在時刻に更新する（Ｓ５７）。第三区画フラグが「ＯＮ」である場合（Ｓ５３：Ｙｅｓ）、又はＳ５７を実行した後、ＣＰＵ１２は、処理をＳ５９に移行する。
【００５２】
Ｓ５９でＣＰＵ１２は、入漁者リストに登録された全ての位置情報が図６のＳ２９〜Ｓ５７の処理対象として選択されたか否かを判断する。Ｓ５９は、図６のＳ２７でＲＡＭ１６に記憶された識別番号と、入漁者リストに登録された識別番号に従い判断することができる。即ち、入漁者リストに登録された識別番号に一致する識別番号が全てＲＡＭ１６に記憶されていない場合、全ての位置情報が選択されていないと判断される（Ｓ５９：Ｎｏ）。入漁者リストに登録された識別番号に一致する識別番号が全てＲＡＭ１６に記憶されている場合、全ての位置情報が選択されていると判断される（Ｓ５９：Ｙｅｓ）。全ての位置情報が選択されていない場合（Ｓ５９：Ｎｏ）、ＣＰＵ１２は、処理を図６のＳ２７に移行する。全ての位置情報が選択されている場合（Ｓ５９：Ｙｅｓ）、ＣＰＵ１２は、処理をＳ６１に移行する。
【００５３】
例えば、入漁者リストが図３に示す登録状態であり、最新のＳ２７で処理対象とされた位置情報が識別番号「１」のレコードに登録された位置情報「北緯３６°６′３０″  東経１３６°１５′３５″」であるとする。この場合、ＣＰＵ１２は、全ての位置情報は選択されていないと判断し（Ｓ５９：Ｎｏ）、処理をＳ２７に戻す。その後、ＣＰＵ１２は、識別番号「３」のレコードに登録された位置情報「北緯３６°６′３２″  東経１３６°１５′４２″」を、処理対象として選択する。図３に示す入漁者リストでは、識別番号「２」のレコードには、位置情報が登録されていない。従って、ＣＰＵ１２は、識別番号「２」のレコードをスキップし、識別番号「１」のレコードの次に位置情報が登録された識別番号「３」のレコードの位置情報「北緯３６°６′３２″  東経１３６°１５′４２″」を、処理対象として選択する。
【００５４】
これに対して、入漁者リストが図３に示す登録状態であり、最新のＳ２７で処理対象とされた位置情報が識別番号「２８」のレコードに登録された位置情報「北緯３６°６′２８″  東経１３６°１５′４０″」であるとする。この場合、ＣＰＵ１２は、全ての位置情報が選択されていると判断し（Ｓ５９：Ｙｅｓ）、処理をＳ６１に移行する。この他、入漁者リストの登録状態が図３とは異なり、最新のＳ２７で処理対象とされた位置情報が登録されたレコード以降のレコードに、位置情報が登録されていない場合も、ＣＰＵ１２は、全ての位置情報が選択されていると判断する（Ｓ５９：Ｙｅｓ）。
【００５５】
Ｓ６１でＣＰＵ１２は、第一表示情報を送信させる。管理システム１で実行される処理の第一実施例に関し、第一表示情報は、第一区画情報と、第一区画画像データと、第一定員と、第一区画者数と、第二区画情報と、第二区画画像データと、第二定員と、第二区画者数と、第三区画情報と、第三区画画像データと、第三定員と、第三区画者数を含み、これらを総称する名称である。ＣＰＵ１２は、ＲＡＭ１６に記憶された管理リストから、第一区画情報及び第一定員と、第二区画情報及び第二定員と、第三区画情報及び第三定員を取得する。ＣＰＵ１２は、記憶部１４から、第一区画画像データと第二区画画像データと第三区画画像データを読み出す。更に、ＣＰＵ１２は、ＲＡＭ１６に記憶された第一カウンタから第一区画者数を取得する。ＣＰＵ１２は、ＲＡＭ１６に記憶された第二カウンタから第二区画者数を取得する。ＣＰＵ１２は、ＲＡＭ１６に記憶された第三カウンタから第三区画者数を取得する。第一表示情報の送信先は、第一通信端末３０に設定される。ＣＰＵ１２は、第一表示情報の送信指令を通信部１８に出力する。送信指令に従い、第一表示情報が通信部１８から第一通信端末３０に送信される。
【００５６】
次に、ＣＰＵ１２は、警報処理を実行する（Ｓ６３）。警報処理については、後述する。Ｓ６３を実行した後、ＣＰＵ１２は、処理を図６のＳ２１に戻す。その後、ＣＰＵ１２は、再度、Ｓ２１以降の処理を実行する。第二管理処理は、管理装置１０で第一終了指示が受け付けられるまで、繰り返して実行される。
【００５７】
＜警報処理＞
図７のＳ６３で実行される警報処理について、図８を参照して説明する。警報処理を開始させたＣＰＵ１２は、第一カウンタにてカウントされた第一区画者数が第一定員より多いか否かを判断する（Ｓ７１）。ＣＰＵ１２は、ＲＡＭ１６に記憶された管理リストから第一定員を取得する。第一区画者数が第一定員より多い場合（Ｓ７１：Ｙｅｓ）、ＣＰＵ１２は、第一区画情報に属する位置情報の送信元の第二通信端末５０から、第一警報通知の送信先を特定する（Ｓ７３）。第一区画情報に属する位置情報の送信元の第二通信端末５０は、入漁者リストで第一区画フラグとして「ＯＮ」が登録されている第二通信端末５０である。実施形態では、第一定員は、「２０」に設定されている（図２参照）。従って、第一警報通知は、第一定員「２０」の超過に対応させて予め設定された情報を含む。即ち、第一警報通知は、例えば、第一区画で釣りをするユーザ数が第一定員を超過していることを示す情報を含む。更に、第一警報通知は、第一区画からの退場を指示する情報を含む。実施形態では、Ｓ７３で第一警報通知の送信先として特定された第二通信端末５０を、「第三通信端末」といい、第三通信端末は、入漁者リストに登録された更新時刻に従い特定される。即ち、第三通信端末は、第一区画情報に属する位置情報の送信元の第二通信端末５０のうち、入漁者リストに登録された更新時刻が遅いユーザＩＤの第二通信端末５０とされる。第一定員に対して、第一区画者数が２以上超過している場合、更新時刻が遅い順に、超過数に一致する数の第二通信端末５０が第三通信端末として特定される。
【００５８】
Ｓ７３を実行した後、ＣＰＵ１２は、第一警報通知を送信させる（Ｓ７５）。ＣＰＵ１２は、第一警報通知の送信指令を通信部１８に出力する。送信指令に従い、第一警報通知が通信部１８から第三通信端末に送信される。第三通信端末では、第一警報通知が受信され、第一警報通知に含まれる上述の情報が自装置の表示部に表示される（図１に示す「第二通信端末５０」参照）。
【００５９】
第一区画者数が第一定員以下である場合（Ｓ７１：Ｎｏ）、又はＳ７５を実行した後、ＣＰＵ１２は、第二カウンタにてカウントされた第二区画者数が第二定員より多いか否かを判断する（Ｓ７７）。ＣＰＵ１２は、ＲＡＭ１６に記憶された管理リストから第二定員を取得する。第二区画者数が第二定員より多い場合（Ｓ７７：Ｙｅｓ）、ＣＰＵ１２は、第二区画情報に属する位置情報の送信元の第二通信端末５０から、第二警報通知の送信先を特定する（Ｓ７９）。第二区画情報に属する位置情報の送信元の第二通信端末５０は、入漁者リストで第二区画フラグとして「ＯＮ」が登録されている第二通信端末５０である。実施形態では、第二定員は、「０」に設定されている（図２参照）。従って、第二警報通知は、第二定員「０」の超過に対応させて予め設定された情報を含む。即ち、第二警報通知は、例えば、第二区画では釣りが禁止されていることを示す情報を含む。更に、第二警報通知は、第二区画からの退場を指示する情報を含む。実施形態では、Ｓ７９で第二警報通知の送信先として特定された第二通信端末５０を、「第四通信端末」という。Ｓ７９では、第二定員が「０」に設定されているため、第二区画情報に属する位置情報の送信元の第二通信端末５０の全てが第四通信端末として特定される。
【００６０】
Ｓ７９を実行した後、ＣＰＵ１２は、第二警報通知を送信させる（Ｓ８１）。ＣＰＵ１２は、第二警報通知の送信指令を通信部１８に出力する。送信指令に従い、第二警報通知が通信部１８から第四通信端末に送信される。第四通信端末では、第二警報通知が受信され、第二警報通知に含まれる上述の情報が自装置の表示部に表示される。
【００６１】
第二区画者数が第二定員以下である場合（Ｓ７７：Ｎｏ）、又はＳ８１を実行した後、ＣＰＵ１２は、第三カウンタにてカウントされた第三区画者数が第三定員より多いか否かを判断する（Ｓ８３）。ＣＰＵ１２は、ＲＡＭ１６に記憶された管理リストから第三定員を取得する。第三区画者数が第三定員より多い場合（Ｓ８３：Ｙｅｓ）、ＣＰＵ１２は、第三区画情報に属する位置情報の送信元の第二通信端末５０から、第三警報通知の送信先を特定する（Ｓ８５）。第三区画情報に属する位置情報の送信元の第二通信端末５０は、入漁者リストで第三区画フラグとして「ＯＮ」が登録されている第二通信端末５０である。実施形態では、第三定員は、「１０」に設定されている（図２参照）。従って、第三警報通知は、第三定員「１０」の超過に対応させて予め設定された情報を含む。即ち、第三警報通知は、例えば、第三区画で釣りをするユーザ数が第三定員を超過していることを示す情報を含む。更に、第三警報通知は、第三区画からの退場を指示する情報を含む。実施形態では、Ｓ８５で第三警報通知の送信先として特定された第二通信端末５０を、「第五通信端末」といい、第五通信端末は、入漁者リストに登録された更新時刻に従い特定される。即ち、第五通信端末は、第三区画情報に属する位置情報の送信元の第二通信端末５０のうち、入漁者リストに登録された更新時刻が遅いユーザＩＤの第二通信端末５０とされる。第三定員に対して、第三区画者数が２以上超過している場合、更新時刻が遅い順に、超過数に一致する数の第二通信端末５０が第五通信端末として特定される。
【００６２】
Ｓ８５を実行した後、ＣＰＵ１２は、第三警報通知を送信させる（Ｓ８７）。ＣＰＵ１２は、第三警報通知の送信指令を通信部１８に出力する。送信指令に従い、第三警報通知が通信部１８から第五通信端末に送信される。第五通信端末では、第三警報通知が受信され、第三警報通知に含まれる上述の情報が自装置の表示部に表示される（図１に示す「第二通信端末５０」参照）。Ｓ８７を実行した後、ＣＰＵ１２は、警報処理を終了する。上記では説明を省略したが、第一区画者数と第一定員の関係が図４に示す地図画面６０の状態である場合、Ｓ７１は、否定される（Ｓ７１：Ｎｏ参照）。第二区画者数と第二定員の関係が図４に示す地図画面６０の状態である場合、Ｓ７７は、肯定される（Ｓ７７：Ｙｅｓ参照）。第三区画者数と第三定員の関係が図４に示す地図画面６０の状態である場合、Ｓ８３は、肯定される（Ｓ８３：Ｙｅｓ参照）。
【００６３】
＜表示処理＞
表示処理について、図９を参照して説明する。表示処理を開始させたＣＰＵ３２は、地図データを取得する（Ｓ９１）。地図データは、上述した通り、インターネット上の所定のサイト又は記憶部３４から取得される。地図データがインターネット上の所定のサイトから取得される場合、管理エリアの位置情報を含む要求が、ＣＰＵ３２で実行されるＷｅｂブラウザによるプロセスによって通信部４０から前述の所定のサイトに送信される。所定のサイトでは、前述の要求に応じて、この要求に含まれる位置情報に対応する地図データが送信され、通信部４０で受信される。ＣＰＵ３２は、通信部４０を介して地図データを取得する。地図データが記憶部３４から取得される場合、ＣＰＵ３２は、記憶部３４から地図データを読み出す。インターネット上の所定のサイト又は記憶部３４から取得された地図データは、ＲＡＭ３６に記憶される。
【００６４】
続けて、ＣＰＵ３２は、第一表示情報が取得されたか否かを判断する（Ｓ９３）。第一表示情報は、図７のＳ６１で管理装置１０から送信され、通信部４０で受信される。ＣＰＵ３２は、通信部４０を介して第一表示情報を取得する。ＣＰＵ３２は、取得された第一表示情報に含まれる、第一区画情報と第一区画画像データと第一定員と第一区画者数と第二区画情報と第二区画画像データと第二定員と第二区画者数と第三区画情報と第三区画画像データと第三定員と第三区画者数を、ＲＡＭ３６に記憶する。第一表示情報が取得されていない場合（Ｓ９３：Ｎｏ）、ＣＰＵ３２は、Ｓ９３を繰り返して実行する。
【００６５】
第一表示情報が取得された場合（Ｓ９３：Ｙｅｓ）、ＣＰＵ３２は、地図画面データを生成する（Ｓ９５）。地図画面データは、地図画面６０を示す画像データである。地図画面データは、例えば、次のように生成される。ＣＰＵ３２は、地図データに含まれる位置情報と第一区画情報に従い、第一区画に対応する地図画像６２上の第一範囲を特定する。ＣＰＵ３２は、特定された第一範囲に従い、地図データに第一区画画像データを合成する。更に、ＣＰＵ３２は、特定された第一範囲に従い、地図データに第一定員と第一区画者数を含める。ＣＰＵ３２は、地図データに含まれる位置情報と第二区画情報に従い、第二区画に対応する地図画像６２上の第二範囲を特定する。ＣＰＵ３２は、特定された第二範囲に従い、地図データに第二区画画像データを合成する。更に、ＣＰＵ３２は、特定された第二範囲に従い、地図データに第二定員と第二区画者数を含める。ＣＰＵ３２は、地図データに含まれる位置情報と第三区画情報に従い、第三区画に対応する地図画像６２上の第三範囲を特定する。ＣＰＵ３２は、特定された第三範囲に従い、地図データに第三区画画像データを合成する。更に、ＣＰＵ３２は、特定された第三範囲に従い、地図データに第三定員と第三区画者数を含める。
【００６６】
続けて、ＣＰＵ３２は、地図画面６０を表示させる（Ｓ９７）。ＣＰＵ３２は、Ｓ９５で生成された地図画面データから得られる地図画面６０の表示指令を表示部３８に出力する。表示部３８では、表示指令に従い、地図画面６０が表示される（図４参照）。Ｓ９７を実行した後、ＣＰＵ３２は、処理をＳ９３に戻す。その後、ＣＰＵ３２は、再度、Ｓ９３以降の処理を実行する。表示処理は、第一通信端末３０で第二終了指示が受け付けられるまで、繰り返して実行される。
【００６７】
＜第二実施例＞
管理システム１で実行される第二実施例の処理として、第二管理処理と表示処理について説明する。第二実施例の処理でも、上述した第一管理処理が管理装置１０で実行される。但し、第二実施例における第一管理処理は、第一実施例の第一管理処理と同じ処理である。そのため、第二実施例の説明では、第一管理処理の説明は、省略する。
【００６８】
＜第二管理処理＞
第二管理処理について、図１０を参照して説明する。第二管理処理を開始させたＣＰＵ１２は、Ｓ１０１〜Ｓ１０５を順次実行する。Ｓ１０１〜Ｓ１０５は、図６のＳ２１〜Ｓ２５に対応する。ＣＰＵ１２は、Ｓ１０１〜Ｓ１０５を、図６のＳ２１〜Ｓ２５と同様に実行する。従って、Ｓ１０１〜Ｓ１０５に関する説明は、省略する。計測時間が基準時間となり又は計測時間が基準時間を経過している場合（Ｓ１０５：Ｙｅｓ）、ＣＰＵ１２は、第二表示情報を送信させる（Ｓ１０７）。管理システム１で実行される処理の第二実施例に関し、第二表示情報は、第一区画情報と、第一区画画像データと、第一定員と、第二区画情報と、第二区画画像データと、第二定員と、第三区画情報と、第三区画画像データと、第三定員と、入漁者リストに登録された全ての位置情報を含み、これらを総称する名称である。ＣＰＵ１２は、ＲＡＭ１６に記憶された管理リストから、第一区画情報及び第一定員と、第二区画情報及び第二定員と、第三区画情報及び第三定員を取得する。ＣＰＵ１２は、記憶部１４から、第一区画画像データと第二区画画像データと第三区画画像データを読み出す。更に、ＣＰＵ１２は、入漁者リストから全ての位置情報を取得する。第二表示情報の送信先は、第一通信端末３０に設定される。ＣＰＵ１２は、第二表示情報の送信指令を通信部１８に出力する。送信指令に従い、第二表示情報が通信部１８から第一通信端末３０に送信される。
【００６９】
次に、ＣＰＵ１２は、警報処理を実行する（Ｓ１０９）。警報処理については、後述する。Ｓ１０９を実行した後、ＣＰＵ１２は、処理をＳ１０１に戻す。その後、ＣＰＵ１２は、再度、Ｓ１０１以降の処理を実行する。第二管理処理は、管理装置１０で第一終了指示が受け付けられるまで、繰り返して実行される。
【００７０】
＜警報処理＞
図１０のＳ１０９で実行される警報処理について、図１１を参照して説明する。警報処理を開始させたＣＰＵ１２は、カウント処理を実行する（Ｓ１１１）。カウント処理では、上記同様、入漁者リストに登録された位置情報に従い、第一区画者数と第二区画者数と第三区画者数がカウントされ、且つ設定区画フラグと更新時刻が入漁者リストに登録される。即ち、カウント処理は、図６のＳ２７〜図７のＳ５９の各処理を含む。換言すれば、図６のＳ２７〜図７のＳ５９の各処理は、カウント処理である。Ｓ１１１でＣＰＵ１２は、カウント処理を、図６のＳ２７〜図７のＳ５９と同様に実行する。従って、カウント処理に関する説明は、省略する。
【００７１】
Ｓ１１１を実行した後、ＣＰＵ１２は、Ｓ１１３〜Ｓ１２９を順次実行する。Ｓ１１３〜Ｓ１２９は、図８のＳ７１〜Ｓ８７に対応する。ＣＰＵ１２は、Ｓ１１３〜Ｓ１２９を、図８のＳ７１〜Ｓ８７と同様に実行する。従って、Ｓ１１３〜Ｓ１２９に関する説明は、省略する。Ｓ１２９を実行した後、ＣＰＵ１２は、警報処理を終了する。
【００７２】
＜表示処理＞
表示処理について、図１２及び図１３を参照して説明する。表示処理を開始させたＣＰＵ３２は、地図データを取得する（Ｓ１３１）。Ｓ１３１は、図９のＳ９１に対応する。ＣＰＵ３２は、Ｓ１３１を、図９のＳ９１と同様に実行する。従って、Ｓ１３１に関する説明は、省略する。Ｓ１３１を実行した後、ＣＰＵ３２は、第二表示情報が取得されたか否かを判断する（Ｓ１３３）。第二表示情報は、図１０のＳ１０７で管理装置１０から送信され、通信部４０で受信される。ＣＰＵ３２は、通信部４０を介して第二表示情報を取得する。ＣＰＵ３２は、取得された第二表示情報に含まれる、第一区画情報と第一区画画像データと第一定員と第二区画情報と第二区画画像データと第二定員と第三区画情報と第三区画画像データと第三定員と位置情報を、ＲＡＭ３６に記憶する。第二表示情報が取得されていない場合（Ｓ１３３：Ｎｏ）、ＣＰＵ３２は、Ｓ１３３を繰り返して実行する。
【００７３】
第二表示情報が取得された場合（Ｓ１３３：Ｙｅｓ）、ＣＰＵ３２は、第四カウンタと第五カウンタと第六カウンタの各値を、初期化する（Ｓ１３５）。第三カウンタは、上述した第一カウンタに対応し、第一区画者数をカウントするカウンタである。第五カウンタは、上述した第二カウンタに対応し、第二区画者数をカウントするカウンタである。第六カウンタは、上述した第三カウンタに対応し、第三区画者数をカウントするカウンタである。実施形態では、第四カウンタと第五カウンタと第六カウンタは、ＲＡＭ３６に記憶される。
【００７４】
次に、ＣＰＵ３２は、ＲＡＭ３６に記憶された位置情報のうちの１つを処理対象として選択する（Ｓ１３７）。処理対象として選択される位置情報は、Ｓ１３９〜図１３のＳ１４９の処理の対象とされていない位置情報のうちの１つである。続けて、ＣＰＵ３２は、処理対象の位置情報が第一区画情報に属するか否かを判断する（Ｓ２９）。「位置情報が第一区画情報に属する」の意味は、図６のＳ２９に関連して説明した通りである。処理対象の位置情報が第一区画情報に属さない場合（Ｓ１３９：Ｎｏ）、ＣＰＵ３２は、処理をＳ１４３に移行する。処理対象の位置情報が第一区画情報に属する場合（Ｓ１３９：Ｙｅｓ）、ＣＰＵ３２は、第四カウンタによってカウントされる第一区画者数を１増加させる（Ｓ１４１）。その後、ＣＰＵ３２は、処理を図１３のＳ１５１に移行する。
【００７５】
Ｓ１４３でＣＰＵ３２は、処理対象の位置情報が第二区画情報に属するか否かを判断する。「位置情報が第二区画情報に属する」の意味は、図６のＳ３９に関連して説明した通りである。処理対象の位置情報が第二区画情報に属さない場合（Ｓ１４３：Ｎｏ）、ＣＰＵ３２は、処理を図１３のＳ１４７に移行する。処理対象の位置情報が第二区画情報に属する場合（Ｓ１４３：Ｙｅｓ）、ＣＰＵ３２は、第五カウンタによってカウントされる第二区画者数を１増加させる（Ｓ１４５）。その後、ＣＰＵ３２は、処理を図１３のＳ１５１に移行する。
【００７６】
Ｓ１４７でＣＰＵ３２は、処理対象の位置情報が第三区画情報に属するか否かを判断する。「位置情報が第三区画情報に属する」の意味は、図７のＳ４９に関連して説明した通りである。処理対象の位置情報が第三区画情報に属する場合（Ｓ１４７：Ｙｅｓ）、ＣＰＵ３２は、第六カウンタによってカウントされる第三区画者数を１増加させる（Ｓ１４９）。処理対象の位置情報が第三区画情報に属さない場合（Ｓ１４７：Ｎｏ）、又はＳ１４９を実行した後、ＣＰＵ３２は、処理をＳ１５１に移行する。
【００７７】
Ｓ１５１でＣＰＵ３２は、ＲＡＭ３６に記憶された全ての位置情報が図１２のＳ１３９〜Ｓ１４９の処理対象として選択されたか否かを判断する。ＣＰＵ３２は、Ｓ１５１を実行後、処理対象とされていた位置情報をＲＡＭ３６から消去するようにしてもよい。このような構成によれば、Ｓ１５１を、ＲＡＭ３６に記憶された位置情報に応じて判断することができる。即ち、ＲＡＭ３６に記憶された位置情報が２個以上である場合、全ての位置情報が選択されていないと判断される（Ｓ１５１：Ｎｏ）。ＲＡＭ３６に記憶された位置情報が１個である場合、全ての位置情報が選択されていると判断される（Ｓ１５１：Ｙｅｓ）。全ての位置情報が選択されていない場合（Ｓ１５１：Ｎｏ）、ＣＰＵ３２は、処理を図１２のＳ１３７に移行する。全ての位置情報が選択されている場合（Ｓ１５１：Ｙｅｓ）、ＣＰＵ３２は、処理をＳ１５３に移行する。
【００７８】
Ｓ１５３でＣＰＵ３２は、地図画面データを生成する（Ｓ１５３）。地図画面データは、例えば、次のように生成される。ＣＰＵ３２は、ＲＡＭ３６に記憶された第四カウンタから第一区画者数を取得する。ＣＰＵ３２は、ＲＡＭ３６に記憶された第五カウンタから第二区画者数を取得する。ＣＰＵ３２は、ＲＡＭ３６に記憶された第六カウンタから第三区画者数を取得する。ＣＰＵ３２は、地図データに含まれる位置情報と第一区画情報に従い、第一区画に対応する地図画像６２上の第一範囲を特定する。ＣＰＵ３２は、特定された第一範囲に従い、地図データに第一区画画像データを合成する。更に、ＣＰＵ３２は、特定された第一範囲に従い、地図データに第一定員と第一区画者数を含める。ＣＰＵ３２は、地図データに含まれる位置情報と第二区画情報に従い、第二区画に対応する地図画像６２上の第二範囲を特定する。ＣＰＵ３２は、特定された第二範囲に従い、地図データに第二区画画像データを合成する。更に、ＣＰＵ３２は、特定された第二範囲に従い、地図データに第二定員と第二区画者数を含める。ＣＰＵ３２は、地図データに含まれる位置情報と第三区画情報に従い、第三区画に対応する地図画像６２上の第三範囲を特定する。ＣＰＵ３２は、特定された第三範囲に従い、地図データに第三区画画像データを合成する。更に、ＣＰＵ３２は、特定された第三範囲に従い、地図データに第三定員と第三区画者数を含める。
【００７９】
続けて、ＣＰＵ３２は、地図画面６０を表示させる（Ｓ１５５）。ＣＰＵ３２は、Ｓ１５３で生成された地図画面データから得られる地図画面６０の表示指令を表示部３８に出力する。表示部３８では、表示指令に従い、地図画面６０が表示される（図４参照）。Ｓ１５５を実行した後、ＣＰＵ３２は、処理を図１２のＳ１３３に戻す。その後、ＣＰＵ３２は、再度、Ｓ１３３以降の処理を実行する。表示処理は、第一通信端末３０で第二終了指示が受け付けられるまで、繰り返して実行される。
【００８０】
＜実施形態の効果＞
実施形態によれば、次のような効果を得ることができる。
【００８１】
（１）管理システム１は、管理装置１０と、第一通信端末３０と、第二通信端末５０を含む（図１参照）。第二通信端末５０では、ユーザＩＤと自装置の位置情報が管理装置１０に送信される。管理装置１０では、入漁者リスト（図３参照）に第二通信端末５０からの位置情報が登録される（図５のＳ１３参照）。このとき、位置情報は、入漁者リストに登録されたユーザＩＤのうち、第二通信端末５０からのユーザＩＤに一致するユーザＩＤに関連付けて登録される。
【００８２】
管理システム１では、第一実施例の処理が実行される。この場合、管理装置１０では、第一区画者数と第二区画者数と第三区画者数がカウントされる（図６のＳ２７、Ｓ３１及びＳ４１、図７のＳ５１及びＳ５９参照）。その後、管理装置１０では、第一表示情報が第一通信端末３０に送信される（図７のＳ６１参照）。第一表示情報は、第一区画情報と、第一区画画像データと、第一定員と、第一区画者数と、第二区画情報と、第二区画画像データと、第二定員と、第二区画者数と、第三区画情報と、第三区画画像データと、第三定員と、第三区画者数を含む。第一通信端末３０では、第一表示情報が取得される（図９のＳ９３：Ｙｅｓ参照）。
【００８３】
管理システム１では、第二実施例の処理が実行される。この場合、管理装置１０では、第二表示情報が第一通信端末３０に送信される（図１０のＳ１０７参照）。第二表示情報は、第一区画情報と、第一区画画像データと、第一定員と、第二区画情報と、第二区画画像データと、第二定員と、第三区画情報と、第三区画画像データと、第三定員と、入漁者リストに登録された全ての位置情報を含む。第一通信端末３０では、第二表示情報が取得される（図１２のＳ１３３：Ｙｅｓ参照）。その後、第一通信端末３０では、第一区画者数と第二区画者数と第三区画者数がカウントされる（図１２のＳ１３７、Ｓ１４１及びＳ１４５、図１３のＳ１４９及びＳ１５１参照）。
【００８４】
そのため、第一通信端末３０の表示部３８に、地図画面６０を表示させることができる（図９のＳ９７又は図１３のＳ１５５参照）。地図画面６０では、地図画像６２上の第一範囲に第一区画画像６４が表示され、地図画像６２上の第二範囲に第二区画画像６６が表示され、地図画像６２上の第三範囲に第三区画画像６８が表示される（図４参照）。更に、地図画面６０では、第一区画画像６４に第一定員と第一区画者数が関連付けて表示され、第二区画画像６６に第二定員と第二区画者数が関連付けて表示され、第三区画画像６８に第三定員と第三区画者数が関連付けて表示される（図４参照）。第一通信端末３０のユーザは、表示部３８に表示される地図画面６０を確認しつつ、管理エリアを監視することができる。
【００８５】
（２）管理装置１０では、第一区画者数と第一定員が比較される（図８のＳ７１又は図１１のＳ１１３参照）。第一区画者数が第一定員より多い場合（図８のＳ７１：Ｙｅｓ又は図１１のＳ１１３：Ｙｅｓ参照）、第一警報通知が、第一区画情報に属する位置情報の送信元の第二通信端末５０のうちの特定の第三通信端末に送信される（図８のＳ７５又は図１１のＳ１１７参照）。第一警報通知は、例えば、第一区画で釣りをするユーザ数が第一定員を超過していることを示す情報と、第一区画からの退場を指示する情報を含む。そのため、第三通信端末で、第一区画で釣りをするユーザ数が第一定員を超過していることを報知させることができる（図１に示す「第二通信端末５０」参照）。第三通信端末のユーザに、第一区画からの退場を指示することができる。第一区画で釣りをするユーザ数を、第一定員以下に維持することが可能となる。
【００８６】
管理装置１０では、第二区画者数と第二定員が比較される（図８のＳ７７又は図１１のＳ１１９参照）。第二区画者数が第二定員より多い場合（図８のＳ７７：Ｙｅｓ又は図１１のＳ１１９：Ｙｅｓ参照）、第二警報通知が、第二区画情報に属する位置情報の送信元の第二通信端末５０のうちの特定の第四通信端末に送信される（図８のＳ８１又は図１１のＳ１２３参照）。第二定員が「０」に設定されている場合（図２参照）、第二警報通知は、例えば、第二区画では釣りが禁止されていることを示す情報と、第二区画からの退場を指示する情報を含む。そのため、第四通信端末で、第二区画では釣りが禁止されていることを報知させることができる。第四通信端末のユーザに、第二区画からの退場を指示することができる。第二区画で釣りをするユーザ数を、０人に維持することが可能となる。
【００８７】
管理装置１０では、第三区画者数と第三定員が比較される（図８のＳ８３又は図１１のＳ１２５参照）。第三区画者数が第三定員より多い場合（図８のＳ８３：Ｙｅｓ又は図１１のＳ１２５：Ｙｅｓ参照）、第三警報通知が、第三区画情報に属する位置情報の送信元の第二通信端末５０のうちの特定の第五通信端末に送信される（図８のＳ８７又は図１１のＳ１２９参照）。第三警報通知は、例えば、第三区画で釣りをするユーザ数が第三定員を超過していることを示す情報と、第三区画からの退場を指示する情報を含む。そのため、第五通信端末で、第三区画で釣りをするユーザ数が第三定員を超過していることを報知させることができる（図１に示す「第二通信端末５０」参照）。第五通信端末のユーザに、第三区画からの退場を指示することができる。第三区画で釣りをするユーザ数を、第三定員以下に維持することが可能となる。
【００８８】
＜変形例＞
実施形態は、次のようにすることもできる。以下に示す変形例のうちの幾つかの構成は、適宜組み合わせて採用することもできる。以下では上記とは異なる点を説明することとし、同様の点についての説明は、適宜省略する。
【００８９】
（１）管理エリアを第一区画と第二区画と第三区画に分割し、第一定員を「２０」とし、第二定員を「０」とし、第三定員を「１０」とした構成を例として説明した。第一定員は、「０」に設定されてもよい。この場合、図８のＳ７３又は図１１のＳ１１５では、第一区画情報に属する位置情報の送信元の第二通信端末５０の全てが第一警報通知の送信先（第三通信端末）として特定される。第一警報通知は、例えば、第一区画では釣りが禁止されていることを示す情報と、第一区画からの退場を指示する情報を含む。第二定員は、「０」より大きな所定の値に設定されてもよい。この場合、図８のＳ７９又は図１１のＳ１２１では、第二区画情報に属する位置情報の送信元の第二通信端末５０のうち、前述の所定の値を超過している数（第二区画者数−第二定員）の第二通信端末５０が第二警報通知の送信先（第四通信端末）として特定される。このとき、第四通信端末は、第二区画情報に属する位置情報の送信元の第二通信端末５０から更新時刻に従い特定される。第二警報通知は、例えば、第二区画で釣りをするユーザ数が第二定員を超過していることを示す情報と、第二区画からの退場を指示する情報を含む。第三定員は、「０」に設定されてもよい。この場合、図８のＳ８５又は図１１のＳ１２７では、第三区画情報に属する位置情報の送信元の第二通信端末５０の全てが第三警報通知の送信先（第五通信端末）として特定される。第三警報通知は、例えば、第三区画では釣りが禁止されていることを示す情報と、第三区画からの退場を指示する情報を含む。
【００９０】
（２）図６及び図７に示す第一実施例の第二管理処理では、Ｓ６１（図７参照）で、第一表示情報が管理装置１０から第一通信端末３０に送信される。図１０に示す第二実施例の第二管理処理では、Ｓ１０７で、第二表示情報が管理装置１０から第一通信端末３０に送信される。第一表示情報と第二表示情報には、第一区画画像データと第二区画画像データと第三区画画像データが含まれる。第一区画画像データと第二区画画像データと第三区画画像データは、第一表示情報又は第二表示情報から省略してもよい。この場合、第一区画画像データと第二区画画像データと第三区画画像データは、表示プログラムに対応付けて、記憶部３４に記憶される。図９に示す第一実施例の表示処理では、Ｓ９５で、第一区画画像データと第二区画画像データと第三区画画像データが記憶部３４から読み出される。図１２及び図１３に示す第二実施例の表示処理では、Ｓ１５３（図１３参照）で、第一区画画像データと第二区画画像データと第三区画画像データが記憶部３４から読み出される。
【００９１】
この他、例えば、図９に示す第一実施例の表示処理では、Ｓ９５で、次のような処理が実行され、図１２及び図１３に示す第二実施例の表示処理では、Ｓ１５３（図１３参照）で、次のような処理が実行されてもよい。この場合、上述した通り、第一区画画像データと第二区画画像データと第三区画画像データは、第一表示情報又は第二表示情報から省略してもよい。第一区画画像データと第二区画画像データと第三区画画像データは、予め記憶部１４又は記憶部３４に記憶されなくてもよい。即ち、Ｓ９５又はＳ１５３では、地図データに含まれる位置情報と第一区画情報に従い、地図画像６２上の第一範囲に第一区画画像６４が配置され、前述の位置情報と第二区画情報に従い、地図画像６２上の第二範囲に第二区画画像６６が配置され、前述の位置情報と第三区画情報に従い、地図画像６２上の第三範囲に第三区画画像６８が配置されたデータが、地図データから生成される。第一区画画像６４と第二区画画像６６と第三区画画像６８が図４に示すような破線状の線画像である場合、地図データから生成される前述のデータで第一区画画像６４と第二区画画像６６と第三区画画像６８に対応するデータ部分は、第一区画情報と第二区画情報と第三区画情報に含まれる複数の位置情報に沿って配置された複数のドットを形成する。前述の複数のドットは、第一区画の外縁を示す破線状の第一区画画像６４を形成し、第二区画の外縁を示す破線状の第二区画画像６６を形成し、第三区画の外縁を示す破線状の第三区画画像６８を形成する。
【００９２】
更に、Ｓ９５又はＳ１５３で実行される処理を例示する。Ｓ９５又はＳ１５３では、上記同様、地図データに含まれる位置情報と第一区画情報に従い、第一区画に対応する地図画像６２上の第一範囲が特定され、前述の位置情報と第二区画情報に従い、第二区画に対応する地図画像６２上の第二範囲が特定され、前述の位置情報と第三区画情報に従い、第三区画に対応する地図画像６２上の第三範囲が特定される。Ｓ９５又はＳ１５３では、特定された第一範囲に従い、第一範囲に対応する第一区画画像データが生成され、特定された第二範囲に従い、第二範囲に対応する第二区画画像データが生成され、特定された第三範囲に従い、第三範囲に対応する第三区画画像データが生成される。第一区画画像データと第二区画画像データと第三区画画像データは、第一範囲と第二範囲と第三範囲に従い、地図画像６２上に合成される。
【００９３】
Ｓ９５又はＳ１５３では、上記同様、地図画像６２上の第一範囲に第一定員と第一区画者数が含められ、地図画像６２上の第二範囲に第二定員と第二区画者数が含められ、地図画像６２上の第三範囲に第三定員と第三区画者数が含められ、上記同様の地図画面データが生成される。
【００９４】
（３）図１１に示す第二実施例の警報処理では、Ｓ１１１で、カウント処理が実行され、第一区画者数と第二区画者数と第三区画者数がカウントされる。図１２及び図１３に示す第二実施例の表示処理では、Ｓ１４１（図１２参照）で、第一区画者数がカウントされ、Ｓ１４５（図１２参照）で、第二区画者数がカウントされ、Ｓ１４９（図１３参照）で、第三区画者数がカウントされる。例えば、図１３のＳ１５１が肯定された場合（Ｓ１５１：Ｙｅｓ参照）、第一通信端末３０では、前述の各処理によって取得された第一区画者数と第二区画者数と第三区画者数を、管理装置１０に送信するようにしてもよい。管理装置１０では、第一通信端末３０からの第一区画者数と第二区画者数と第三区画者数が通信部１８で受信される。ＣＰＵ１２は、通信部１８を介して第一区画者数と第二区画者数と第三区画者数を取得する。この場合、図１１のＳ１１１では、図６のＳ３１及びＳ４１と図７のＳ５１に対応する各処理は、省略してもよい。
【００９５】
（４）第一通信端末３０では、地図画面６０が表示部３８に表示される（図４及び図９のＳ９７又は図１３のＳ１５５参照）。地図画面６０は、地図画像６２と、第一区画画像６４と、第一定員と、第一区画者数と、第二区画画像６６と、第二定員と、第二区画者数と、第三区画画像６８と、第三定員と、第三区画者数を含む。地図画面６０は、図１４に示すように、更に、オブジェクト７０を含むようにしてもよい。オブジェクト７０は、管理エリアに入場しているユーザの現在位置を示す画像である。図１４に示す地図画面６０では、３個のオブジェクト７０が例示されている。３個のオブジェクト７０は、図３に示す入漁者リストで位置情報が記載されたユーザＩＤ「ＵＳＥＲ０１」、「ＵＳＥＲ０３」及び「ＵＳＥＲ２８」に対応し、前述の各ユーザＩＤに関連付けられた位置情報が示す地図画像６２上の位置に配置されている。管理装置１０では、記憶部１４に、入漁者リストに登録された各ユーザＩＤに対応するオブジェクトデータが、各ユーザＩＤに関連付けられた状態で記憶される。オブジェクトデータは、オブジェクト７０を示す画像データである。
【００９６】
管理システム１で実行される処理として第一実施例の処理が採用されるとする。この場合、図６及び図７に示す第二管理処理のＳ６１（図７参照）では、第一表示情報として、第一区画情報と第一区画画像データと第一定員と第一区画者数と第二区画情報と第二区画画像データと第二定員と第二区画者数と第三区画情報と第三区画画像データと第三定員と第三区画者数と共に、更に、次の位置情報とオブジェクトデータが、第一通信端末３０に送信される。前述の位置情報は、入漁者リストに登録された全ての位置情報である。前述のオブジェクトデータは、入漁者リストで第一表示情報として送信される位置情報に関連付けられたユーザＩＤに対応するオブジェクトデータである。第一表示情報では、位置情報とオブジェクトデータは、関連付けられる。図９に示す表示処理では、上記同様、第一表示情報が、通信部４０を介して取得され（Ｓ９３：Ｙｅｓ参照）、第一表示情報に含まれる各データがＲＡＭ３６に記憶される。図９のＳ９５では、上述した処理に加え、更に、地図データに含まれる位置情報と第一表示情報の位置情報に従い、地図画像６２上のオブジェクト７０の配置が、第一表示情報に含まれる全てのオブジェクトデータに対して特定される。更に、図９のＳ９５では、特定された配置に従い、地図データに、第一表示情報に含まれる全てのオブジェクトデータが合成される。その結果、図９のＳ９７の実行に伴い、表示部３８では、図１４に示すような地図画面６０が表示される。
【００９７】
管理システム１で実行される処理として第二実施例の処理が採用されるとする。この場合、図１０に示す第二管理処理のＳ１０７では、第二表示情報として、第一区画情報と第一区画画像データと第一定員と第二区画情報と第二区画画像データと第二定員と第三区画情報と第三区画画像データと第三定員と入漁者リストに登録された全ての位置情報と共に、更に、次のオブジェクトデータが、第一通信端末３０に送信される。前述のオブジェクトデータは、入漁者リストで第二表示情報として送信される位置情報に関連付けられたユーザＩＤに対応するオブジェクトデータである。第二表示情報では、位置情報とオブジェクトデータは、関連付けられる。図１２及び図１３に示す表示処理では、上記同様、第二表示情報が、通信部４０を介して取得され（図１２のＳ１３３：Ｙｅｓ参照）、第二表示情報に含まれる各データがＲＡＭ３６に記憶される。図１３のＳ１５３では、上述した処理に加え、更に、地図データに含まれる位置情報と第二表示情報の位置情報に従い、地図画像６２上のオブジェクト７０の配置が、第二表示情報に含まれる全てのオブジェクトデータに対して特定される。更に、図１３のＳ１５３では、特定された配置に従い、地図データに、第二表示情報に含まれる全てのオブジェクトデータが合成される。その結果、図１３のＳ１５５の実行に伴い、表示部３８では、図１４に示すような地図画面６０が表示される。
【００９８】
オブジェクトデータは、第一表示情報と第二表示情報から省略してもよい。この場合、管理装置１０では、オブジェクトデータは、記憶部１４に記憶されない。第一表示情報と第二表示情報には、入漁者リストで、第一表示情報と第二表示情報に含まれる位置情報に関連付けられたユーザＩＤが含められる。第一表示情報と第二表示情報では、位置情報とユーザＩＤは、入漁者リストでの関連付けと同様、関連付けられる。第一通信端末３０では、記憶部３４に、オブジェクト７０の素材となる画像データが記憶される。図９のＳ９５又は図１３のＳ１５３では、記憶部３４から前述の画像データが読み出される。その後、この画像データに、第一表示情報と第二表示情報に含まれるユーザＩＤが合成され、第一表示情報と第二表示情報に含まれるユーザＩＤに対応するオブジェクトデータが生成される。図９のＳ９５又は図１１のＳ１５３では、地図データに、生成されたオブジェクトデータが、上記同様、合成される。
【００９９】
オブジェクト７０は、ユーザＩＤ毎に区別された形式でなくてもよい。例えば、オブジェクトは、ユーザＩＤを含まない共通した画像としてもよい。この場合、管理装置１０又は第一通信端末３０では、１個（１種類）のオブジェクトデータが記憶される。オブジェクトデータが管理装置１０に記憶される場合、第一表示情報と第二表示情報は、１個のオブジェクトデータを含む。図９のＳ９５では、地図データに含まれる位置情報と第一表示情報の位置情報に従い、地図画像６２上のオブジェクトの配置が特定され、特定された配置に従い、地図データに、オブジェクトデータが合成される。図１３のＳ１５３では、地図データに含まれる位置情報と第二表示情報の位置情報に従い、地図画像６２上のオブジェクトの配置が特定され、特定された配置に従い、地図データに、オブジェクトデータが合成される。
【０１００】
（５）管理リストには、予め区画情報と定員が関連付けて登録される（図２参照）。管理エリアでは、設定区画及び定員の一方又は両方が再設定されることがある。管理エリアでは、管理エリアにおける設定区画自体が見直され、設定区画数が増減されることがある。この場合、管理システム１では、管理装置１０で、管理リストの登録状態が、前述の再設定に応じて適宜更新される。例えば、第三区画をそのままとした状態で又は第三区画を省略させた状態で、第一区画の範囲と第二区画の範囲が再設定されることとなったとする。管理装置１０では、設定区画の再設定に伴い、第一区画情報と第二区画情報が更新される。即ち、第一区画情報は、再設定後の第一区画の外縁となる複数の地点に対応する複数の位置情報を含む状態へと更新される。第二区画情報は、再設定後の第二区画の外縁となる複数の地点に対応する複数の位置情報を含む状態へと更新される。これに伴い、管理リストは、更新された第一区画情報と第二区画情報が新たに登録された状態となる。管理装置１０では、更に、第一区画と第二区画の再設定に伴い、第一区画画像データが、再設定後の第一区画を示す画像データへと更新され、第二区画画像データが、再設定後の第二区画を示す画像データへと更新される。記憶部１４には、更新された第一区画画像データと第二区画画像データが新たに記憶される。
【０１０１】
上記では、管理システム１で実行される処理を、管理エリアが第一区画と第二区画と第三区画に分割された状態に対応させた形式とした。即ち、図６及び図７に示す第一実施例の第二管理処理は、第一区画を対象とする図６のＳ２９〜Ｓ３７と、第二区画を対象とする図６のＳ３９〜図７のＳ４７と、第三区画を対象とする図７のＳ４９〜Ｓ５７を含む。図８に示す第一実施例の警報処理では、第一区画を対象とするＳ７１〜Ｓ７５と、第二区画を対象とするＳ７７〜Ｓ８１と、第二区画を対象とするＳ８３〜Ｓ８７を含む。図１１の第二実施例の警報処理は、第一区画を対象とするＳ１１３〜Ｓ１１７と、第二区画を対象とするＳ１１９〜Ｓ１２３と、第三区画を対象とするＳ１２５〜Ｓ１２９を含み、Ｓ１１１で実行されるカウント処理では、図６のＳ２７及び図７のＳ５９と共に図６のＳ２９〜図７のＳ５７が実行される。図１２及び図１３に示す第二実施例の表示処理は、第一区画を対象とする図１２のＳ１３９及びＳ１４１と、第二区画を対象とする図１２のＳ１４３及びＳ１４５と、第三区画を対象とする図１３のＳ１４７及びＳ１４９を含む。
【０１０２】
例えば、第三区画が省略され、設定区画数が３個から２個とされたとする。この場合、図６のＳ３９が否定されると（Ｓ３９：Ｎｏ参照）、処理は、図７のＳ５９に移行され、図７のＳ４９〜Ｓ５７は、省略される。但し、図６のＳ３９が否定された場合（Ｓ３９：Ｎｏ参照）の移行先を、上記同様、図７のＳ４９とし、Ｓ４９を否定するようにしてもよい（Ｓ４９：Ｎｏ参照）。図８のＳ８３〜Ｓ８７は、省略される。図１１のＳ１２５〜Ｓ１２９は、省略される。但し、Ｓ８３又はＳ１２５を、否定するようにしてもよい（Ｓ８３又はＳ１２５：Ｎｏ参照）。図１２のＳ１４３が否定されると（Ｓ１４３：Ｎｏ参照）、処理は、図１３のＳ１５１に移行され、図７のＳ１４７及びＳ１４９は、省略される。但し、図１２のＳ１４３が否定された場合（Ｓ１４３：Ｎｏ参照）の移行先を、上記同様、図１３のＳ１４７とし、Ｓ１４７を否定するようにしてもよい（Ｓ１４７：Ｎｏ参照）。予め設定される設定区画数が２個である場合、管理システム１で実行される処理は、設定区画数が２個とされた前述の場合と同様とされる。
【０１０３】
この他、例えば、第四区画が設定され、設定区画数が３個から４個とされたとする。この場合、第一実施例の第二管理処理（図６及び図７参照）と第一実施例の警報処理（図８参照）と第二実施例の警報処理（図１１参照）と第二実施例の表示処理（図１２及び図１３参照）では、第四区画を対象とする処理が、例えば、第三区画を対象とする処理と同様に実行される。第四区画を対象とする処理は、例えば、図７のＳ４９が否定された場合（Ｓ４９：Ｎｏ参照）と、図８のＳ８３が否定された場合（Ｓ８３：Ｎｏ参照）又は図８のＳ８７の実行後と、図１１のＳ１２５が否定された場合（Ｓ１２５：Ｎｏ参照）又は図１１のＳ１２９の実行後と、図１３のＳ１４７が否定された場合（Ｓ１４７：Ｎｏ参照）に実行される。第四区画を対象とする処理では、管理リストに関連付けて登録された第四区画情報と第四定員が適宜用いられる。第四区画者数をカウントするカウンタが採用される。このカウンタは、ＲＡＭ１６に記憶され（第一実施例の場合）又はＲＡＭ１６とＲＡＭ３６に記憶される（第二実施例の場合）。第四区画フラグが設定され、入漁証リスト（図３参照）に「ＯＮ」又は「ＯＦＦ」が登録される。第四区画フラグの初期値は、第一区画フラグと第二区画フラグと第三区画フラグと同様、「ＯＦＦ」とされる。第四警報通知に含められる情報は、第一警報通知及び第三警報通知、又は第二警報通知と同様の情報とされる。即ち、第四警報通知に含められる情報は、第四定員に応じて設定される。予め設定される設定区画数が４個である場合、管理システム１で実行される処理は、設定区画数が４個とされた前述の場合と同様とされる。更に、設定区画数が３個から５個以上に再設定された場合、又は予め設定される設定区画数が５個以上である場合、管理システム１で実行される処理は、設定区画数が４個とされた前述の場合に準じて実行される。
【符号の説明】
【０１０４】
１  管理システム、  ３  通信回線、  １０  管理装置、  １２  ＣＰＵ
１４  記憶部、  １６  ＲＡＭ、  １８  通信部、  ２０  計時部、  ２２  バス
３０  第一通信端末、  ３２  ＣＰＵ、  ３４  記憶部、  ３６  ＲＡＭ
３８  表示部、  ４０  通信部、  ４２  バス、  ５０  第二通信端末
６０  地図画面、  ６２  地図画像、  ６４  第一区画画像、  ６６  第二区画画像
６８  第三区画画像、  ７０  オブジェクト
【手続補正２】
【補正対象書類名】特許請求の範囲
【補正対象項目名】全文
【補正方法】変更
【補正の内容】
【特許請求の範囲】
【請求項１】
管理エリアに含まれる第一区画を示す第一区画情報と、前記第一区画に対して設定された前記第一区画に固有の第一定員と、を関連付けて記憶し、前記管理エリアに含まれる前記第一区画とは異なる第二区画を示す第二区画情報と、前記第二区画に対して設定された前記第二区画に固有の第二定員と、を関連付けて記憶する記憶部と、
通信部と、
プロセッサと、を備え、
前記プロセッサは、
表示部を備え、前記管理エリアに対応する地図画像を前記表示部に表示し、前記第一区画に対応する前記地図画像上の第一範囲に、前記第一区画を示す第一区画画像と、前記第一定員と、を関連付けて表示し、前記第二区画に対応する前記地図画像上の第二範囲に、前記第二区画を示す第二区画画像と、前記第二定員と、を関連付けて表示する第一通信端末に、前記第一区画情報と、前記第一定員と、前記第二区画情報と、前記第二定員と、を前記通信部から送信させる第一送信処理と、
前記管理エリアに入場している所定のユーザが所有する第二通信端末から所定の間隔で繰り返して送信される、送信元の前記第二通信端末のユーザに対応する識別情報と送信元の前記第二通信端末の現在位置を示す位置情報と、を前記通信部を介して取得する取得処理と、
前記記憶部に記憶された前記第一区画情報及び前記第二区画情報と、前記取得処理で取得された前記位置情報と、に従い、前記位置情報が前記第一区画に属するか又は前記第二区画に属するかを判断する判断処理と、
前記記憶部に記憶された前記第一区画情報及び前記第二区画情報と、前記取得処理で取得された前記位置情報と、に従い、前記第一区画に属する前記位置情報の数と、前記第二区画に属する前記位置情報の数と、をカウントするカウント処理と、
前記判断処理で前記位置情報が前記第一区画に属すると判断される場合、前記第一区画に属する前記位置情報の取得に対応する第一種時刻を、前記判断処理の処理対象である前記位置情報と共に前記取得処理で取得された前記識別情報に関連付けて登録し、前記判断処理で前記位置情報が前記第二区画に属すると判断される場合、前記第二区画に属する前記位置情報の取得に対応する第二種時刻を、前記判断処理の処理対象である前記位置情報と共に前記取得処理で取得された前記識別情報に関連付けて登録する登録処理と、
前記第一定員と前記第一区画に属する前記位置情報の数に対応する第一区画者数とを比較し、前記第二定員と前記第二区画に属する前記位置情報の数に対応する第二区画者数とを比較する比較処理と、
前記比較処理で前記第一区画者数が前記第一定員より多いと判断される場合、前記第一種時刻が関連付けられた前記識別情報の送信元の前記第二通信端末のうち、前記第一種時刻が遅い順に、前記第一定員に対する前記第一区画者数の超過数に一致する数の前記第二通信端末を第三通信端末として特定し、前記比較処理で前記第二区画者数が前記第二定員より多いと判断される場合、前記第二種時刻が関連付けられた前記識別情報の送信元の前記第二通信端末のうち、前記第二種時刻が遅い順に、前記第二定員に対する前記第二区画者数の超過数に一致する数の前記第二通信端末を第四通信端末として特定する特定処理と、
前記第三通信端末に、前記第一定員の超過に対応させて設定された第一警報通知を送信し、前記第四通信端末に、前記第二定員の超過に対応させて設定された第二警報通知を送信する第二送信処理と、を実行し、
前記登録処理は、
前記識別情報に関連付けて前記第一種時刻が登録されている状態で、前記第一種時刻が関連付けられた前記識別情報と同一の前記識別情報が前記取得処理で前記位置情報と共に新たに取得され、且つ新たに取得された前記位置情報が前記判断処理で前記第一区画に属すると判断される場合、登録済みの前記第一種時刻を、前記第一区画に属する前記位置情報の新たな取得に対応する前記第一種時刻に更新登録せずに登録した状態のままとし、
前記識別情報に関連付けて前記第一種時刻が登録されている状態で、前記第一種時刻が関連付けられた前記識別情報と同一の前記識別情報が前記取得処理で前記位置情報と共に新たに取得され、且つ新たに取得された前記位置情報が前記判断処理で前記第二区画に属すると判断される場合、登録済みの前記第一種時刻を、前記第二区画に属する前記位置情報の新たな取得に対応する前記第二種時刻に更新登録し、
前記識別情報に関連付けて前記第二種時刻が登録されている状態で、前記第二種時刻が関連付けられた前記識別情報と同一の前記識別情報が前記取得処理で前記位置情報と共に新たに取得され、且つ新たに取得された前記位置情報が前記判断処理で前記第一区画に属すると判断される場合、登録済みの前記第二種時刻を、前記第一区画に属する前記位置情報の新たな取得に対応する前記第一種時刻に更新登録し、
前記識別情報に関連付けて前記第二種時刻が登録されている状態で、前記第二種時刻が関連付けられた前記識別情報と同一の前記識別情報が前記取得処理で前記位置情報と共に新たに取得され、且つ新たに取得された前記位置情報が前記判断処理で前記第二区画に属すると判断される場合、登録済みの前記第二種時刻を、前記第二区画に属する前記位置情報の新たな取得に対応する前記第二種時刻に更新登録せずに登録した状態のままとする処理である、管理装置。
【請求項２】
前記第一送信処理は、前記第一範囲に、更に、前記第一区画者数を関連付けて表示し、前記第二範囲に、更に、前記第二区画者数を関連付けて表示する前記第一通信端末に、更に、前記第一区画者数と、前記第二区画者数と、を前記通信部から送信させる処理である、請求項１に記載の管理装置。
【請求項３】
前記第一送信処理は、前記第一範囲に、更に、前記第一区画者数を関連付けて表示し、前記第二範囲に、更に、前記第二区画者数を関連付けて表示する前記第一通信端末に、更に、前記取得処理で取得された全ての前記位置情報を前記通信部から送信させる処理である、請求項１に記載の管理装置。
【請求項４】
前記記憶部は、前記第一区画画像に対応する第一区画画像データと、前記第二区画画像に対応する第二区画画像データと、を記憶し、
前記第一送信処理は、前記第一通信端末に、更に、前記第一区画画像データと、前記第二区画画像データと、を前記通信部から送信させる処理である、請求項１から請求項３の何れか１項に記載の管理装置。
【請求項５】
管理エリアを管理する管理システムで実行される管理方法であって、
前記管理エリアに対応する地図画像と、前記管理エリアに含まれる第一区画を示す第一区画画像と、前記第一区画に対して設定された前記第一区画に固有の第一定員と、前記管理エリアに含まれる前記第一区画とは異なる第二区画を示す第二区画画像と、前記第二区画に対して設定された前記第二区画に固有の第二定員と、を表示する表示工程と、
前記管理エリアに入場している所定のユーザが所有する第二通信端末から所定の間隔で繰り返して送信される、送信元の前記第二通信端末のユーザに対応する識別情報と送信元の前記第二通信端末の現在位置を示す位置情報と、を取得する取得工程と、
前記第一区画を示す第一区画情報及び前記第二区画を示す第二区画情報と、前記取得工程で取得された前記位置情報と、に従い、前記位置情報が前記第一区画に属するか又は前記第二区画に属するかを判断する判断工程と、
前記第一区画情報及び前記第二区画情報と、前記取得工程で取得された前記位置情報と、に従い、前記第一区画に属する前記位置情報の数と、前記第二区画に属する前記位置情報の数と、をカウントするカウント工程と、
前記判断工程で前記位置情報が前記第一区画に属すると判断される場合、前記第一区画に属する前記位置情報の取得に対応する第一種時刻を、前記判断工程の処理対象である前記位置情報と共に前記取得工程で取得された前記識別情報に関連付けて登録し、前記判断工程で前記位置情報が前記第二区画に属すると判断される場合、前記第二区画に属する前記位置情報の取得に対応する第二種時刻を、前記判断工程の処理対象である前記位置情報と共に前記取得工程で取得された前記識別情報に関連付けて登録する登録工程と、
前記第一定員と前記第一区画に属する前記位置情報の数に対応する第一区画者数とを比較し、前記第二定員と前記第二区画に属する前記位置情報の数に対応する第二区画者数とを比較する比較工程と、
前記比較工程で前記第一区画者数が前記第一定員より多いと判断される場合、前記第一種時刻が関連付けられた前記識別情報の送信元の前記第二通信端末のうち、前記第一種時刻が遅い順に、前記第一定員に対する前記第一区画者数の超過数に一致する数の前記第二通信端末を第三通信端末として特定し、前記比較工程で前記第二区画者数が前記第二定員より多いと判断される場合、前記第二種時刻が関連付けられた前記識別情報の送信元の前記第二通信端末のうち、前記第二種時刻が遅い順に、前記第二定員に対する前記第二区画者数の超過数に一致する数の前記第二通信端末を第四通信端末として特定する特定工程と、
前記第三通信端末に、前記第一定員の超過に対応させて設定された第一警報通知を送信し、前記第四通信端末に、前記第二定員の超過に対応させて設定された第二警報通知を送信する送信工程と、を含み、
前記表示工程では、
前記第一区画に対応する前記地図画像上の第一範囲に、前記第一区画画像と、前記第一定員と、が関連付けて表示され、
前記第二区画に対応する前記地図画像上の第二範囲に、前記第二区画画像と、前記第二定員と、が関連付けて表示され、
前記登録工程では、
前記識別情報に関連付けて前記第一種時刻が登録されている状態で、前記第一種時刻が関連付けられた前記識別情報と同一の前記識別情報が前記取得工程で前記位置情報と共に新たに取得され、且つ新たに取得された前記位置情報が前記判断工程で前記第一区画に属すると判断される場合、登録済みの前記第一種時刻は、前記第一区画に属する前記位置情報の新たな取得に対応する前記第一種時刻に更新登録されずに登録された状態のままとされ、
前記識別情報に関連付けて前記第一種時刻が登録されている状態で、前記第一種時刻が関連付けられた前記識別情報と同一の前記識別情報が前記取得工程で前記位置情報と共に新たに取得され、且つ新たに取得された前記位置情報が前記判断工程で前記第二区画に属すると判断される場合、登録済みの前記第一種時刻は、前記第二区画に属する前記位置情報の新たな取得に対応する前記第二種時刻に更新登録され、
前記識別情報に関連付けて前記第二種時刻が登録されている状態で、前記第二種時刻が関連付けられた前記識別情報と同一の前記識別情報が前記取得工程で前記位置情報と共に新たに取得され、且つ新たに取得された前記位置情報が前記判断工程で前記第一区画に属すると判断される場合、登録済みの前記第二種時刻は、前記第一区画に属する前記位置情報の新たな取得に対応する前記第一種時刻に更新登録され、
前記識別情報に関連付けて前記第二種時刻が登録されている状態で、前記第二種時刻が関連付けられた前記識別情報と同一の前記識別情報が前記取得工程で前記位置情報と共に新たに取得され、且つ新たに取得された前記位置情報が前記判断工程で前記第二区画に属すると判断される場合、登録済みの前記第二種時刻は、前記第二区画に属する前記位置情報の新たな取得に対応する前記第二種時刻に更新登録されずに登録された状態のままとされる、管理方法。
【請求項６】
前記表示工程では、
前記第一範囲に、更に、前記第一区画者数が関連付けて表示され、
前記第二範囲に、更に、前記第二区画者数が関連付けて表示される、請求項５に記載の管理方法。